(57)【要約】 【課題】クボタトラクター株式会社と北海道大学に有る衛生GPS全自動では、道路及び地上の誤差の少ない位置安定確認認識が、全自動では、無理な為、北海道農業及び日本の全国の未来農業に於いて全自動で作業工程すべてが形態電話等のインプット技術で出来る全自動技術がなかった。【解決手段】山岳ヘリコプターGPS地図無線鉄塔位置安定の三角点位置設定確認認識技術カメラテレポーテイション被写体設定確認認識全自動判断カメラダイオード技術カラー色ライトラインカメラ設定確認認識全自動判断技術更に音位置集音マイク位置補助確認技術などによって、無害無給油発電機によって、全自動多機能電気トラクターシステム著作権原本説明。【選択図】図1
2013102688.tif 000002
【特許請求の範囲】
【請求項１】
本先知的所有財産の先発明は、アンテナ水発電機などのアンテナ無害無給油連続作動発電機の途切れない連続した高出力発電が可能にした発電機を積載した多機能全自動電気トラクター。
【請求項２】
本先知的所有財産の先発明は、連続して途切れないアンテナ無害無給油発電機の電気エネルギーを使用した2連結以上超高速複数配線制御モーターと電磁石ブレーキ制御可能なレールモーターの二種類の同軸作動出来る超高速制御モーターを積載させた多機能電気トラクター。
【請求項３】
本先知的所有財産の先発明は、ダイナモ装置の中央部に圧電素子磁石体そして更に軽水素を一緒に練り合成などの合成内蔵方法によって、圧電素子の電気発電量を軽水素内蔵によって圧電素子発電アップさせた軽水素内蔵圧電素子磁石体装置をダイナモ発電装置の中央部に軽水素圧電素子磁石体ダイナモ発電電気打撃発電装置を内蔵させた構造にしたダイナモ装置の発電電気エネルギー軽水素内蔵圧電素子打撃ダイナモ電気増幅発電方法によって補助発電出来る多機能電気トラクター。
【請求項４】
本先知的所有財産の先発明は、アンテナ超高速ダブル制御モーターに軽水素圧電素子磁石体をダイナモ発電装置の中央部に内蔵させたダイナモ発電の電気増幅出来る軽水素圧電素子磁石体ダイナモ発電電気打撃発電装置を内蔵させたダイナモ装置に、超高速ダブルブレーキ制御モーター軸に連結同軸作動出来る超高速ダブルブレーキ制御出来る軽水素圧電素子磁石体ダイナモモーターレールモーター制御ブレーキ装置によって超高速トリプル制御ブレーキ作動出来る多機能電気トラクター。
【請求項５】
本先知的所有財産の先発明の全自動走行装置説明は、カーナビゲイションGPSと鉄塔地図位置確認認識伝達無線波送受信の二つのトラクター位置確認出来る多機能電気トラクター。
【請求項６】
本先知的所有財産の先発明の全自動走行装置のダブル位置確認に対しての鉄塔地図無線波送受信の補助電気トラクターの空中からの電気トラクター位置確認装置としてあらゆる電波の送受信可能な装置と鉄塔地図を内蔵させた山岳ヘリコプター装置によって全自動走行のダブル地図確認出来る多機能電気トラクター。
【請求項７】
本先知的所有財産の先発明のアンテナ全自動走行装置の正確なトラクター道路位置をダブル地図すなわちナビゲイション道路地図と鉄塔電波地図確認認識する為に、トラクター両サイドのカラー色ライトライン装置と前後のカラーライトラインのレールモーターカラーライトライン位置設定出来るカラー色ライトラインモーター装置を積載搭載させた多機能電気トラクター。
【請求項８】
本先知的所有財産の先発明の全自動走行装置の正確なトラクター道路位置をダブル地図確認認識する為にアンテナ10方向ライトカメラ装置によって、カラー色ライトライン装置の道路両端または中央線にカラー色ライトライン装置のカラー色ラインモーター設定したカラー色ラインライトをアンテナ10方向ライトカメラの全部のカメラカラー色ライトライン焦点を鉄塔電波地図装置地図位置確認設定とカーナビゲイション装置地図位置確認設定のダブル地図位置カメラ確認設定出来る多機能トラクター。
【請求項９】
本先知的所有財産の先発明の全自動走行装置の正確なトラクター道路カーナビゲイション地図位置を上空飛行機GPS地図設定内蔵の山岳ヘリコプター複数アンテナライトカメラ装置によって道路上のカラー色ライトライン設定によって全自動走行して入る多機能電気トラクターのカラー色ライトライン道路位置設定確認地図及び鉄塔電波をキャッチ出来る上空飛行機GPS地図と地上の道路地図位置積載においてのダブル多機能電気トラクターの道路上の確定位置を安定位置上空の山岳ヘリコプターライトカメラ道路多機能電気トラクター位置確認を再チェック及びダブル地図確認出来るダブル地図システム認識確認出来る全自動走行システム装置を積載した多機能電気トラクター。
2008年7月1日PM18時24分57秒美馬牛カンキチ夕食の段取りを始める。
2008年7月1日PM19時6分35分玉子丼を食べ納豆追加梅湯を飲んで再スタート美馬牛カンキチ 
【請求項１０】
先知的所有財産の先発明の全自動走行に必要とされる、前方の車の確認の為のアンテナ10方向ライトカメラ装置に対して前方の自動車の車間距離を、カメラ焦点ダイオード光り認識位置確認設定する事によって、カメラ焦点設定位置距離をデーター設定カメラ焦点距離維持出来る多機能電気トラクター。
【請求項１１】
先知的所有財産の先発明の夜間の全自動走行に必要とされているアンテナ10方向ライトカメラ確認の前方の車などの車間距離維持に対してカメラ焦点ダイオード光の設定カメラ焦点距離確認しやすくするために多機能電気トラクターの前方にスイッチモーター角度調整可能なカラー色ライトライン装置を備えた多機能電気トラクター。
【請求項１２】
先知的所有財産の先発明の日中の全自動走行に必要とされているアンテナカメラテレポーテイション技術とは、カメラに映し出される被写体距離にし出される被写体ダイオード光形状の光り認識確認、光り形状データーの圧電素子磁気体記録出来るカメラテレポーテイションデーター圧電素子磁気体ストック記録出来る装置を積載した多機能電気トラクター。
【請求項１３】
先知的所有財産の先発明の日中の全自動走行に必要とされているアンテナカメラテレポーテイション技術に必要とされる対物形状確認圧電素子磁気データー及び対人形状確認圧電素子磁気データー及び対動物形状確認圧電素子磁気データーなどを一括して纏めた物体及び人及び動物の圧電素子磁気データーを磁気記録出来る装置を積載した多機能電気トラクター。
【請求項１４】
先知的所有財産の先発明の日中の全自動走行に必要とされているアンテナカメラテレポーテイション技術は、圧電素子磁気カメラ設定焦点距離物体形状光りダイオード確認データーとカメラテレポーテイション設定のカメラ焦点距離物体及び人及び動物形状光りダイオード光り形状ダイオード認識確認の同じダイオード光り形状を持つ同体被写体確認及び認識出来るカメラテレポーテイション装置を積載した多機能電気トラクター。
【請求項１５】
先知的所有財産の先発明の日中の全自動走行に必要とされるアンテナトラクターカメラの十字路の左右確認と前方対抗車線のあらゆる自動車被写体テレポーテイション確認とバイク被写体テレポーテイション確認と自転車被写体テレポーテイション確認と人すべての被写体テレポーテイション確認と動物被写体テレポーテイション確認によって十字路の対向車をカメラテレポーテイションによって、確認とカメラ確認認識パネル文字譲り運転する事によって、十字路をスムーズムに全自動走行出来る多機能電気トラクター。
【請求項１６】
先知的所有財産の先発明の日中の全自動走行及び夜間のアンテナテレポーテイション確認認識のスピード率を上げる為に物体及び人及び動物の温度を確認認識出来るカメラによって、横断歩道または、全自動走行中の多機能電気トラクターの前方を、横切ったり横断使用とする物体及び人及び動物の温度を確認認識出来るカメラによって、道路横断する物体及び動物の温度をカメラ確認認識する事で、全自動トラクターの非常停止及びモーター低速徐行制御走行出来る多機能電気トラクター。
【請求項１７】
先知的所有財産の先発明の日中及び夜間の全自動走行に対して貰い事故すなわち対向車線からの飛び込み衝突車両事故に対して、アンテナテレポーテイションカメラ貰い事故カメラ焦点危険距離カメラ被写体スピードダイオード光形状確認に於いて非常形態電話または非常無線文字画像連絡出来る装置を積載した多機能電気トラクター。
【請求項１８】
先知的所有財産の先発明の日中及び夜間走行に於いて全自動走行に対して故障箇所に対しての電気信号回路遮断通達及びオーバー電気遮断回路通達及び違法電波電気回路侵入非常停止回路及び全自動走行多機能トラクター漏電事故非常停止回路及び全自動走行多機能トラクター雷事故非常停止回路及び異常磁波確認非常停止回路及び全自動走行多機能トラクター地震情報非常停止回路及び全自動走行多機能トラクター津波警報非常停止回路及び全自動走行多機能トラクター竜巻非常停止回路及び全自動走行多機能トラクター太陽光度風速計危険数値自動感知非常停止回路及び緊急車両接近非常停止回路及び全自動走行多機能トラクターの人音声会話装置の人合図テレポーテイション確認非常停止回路及び全自動走行多機能トラクターの公開ロボット合図接近確認非常停止回路などによって緊急携帯カメラ電話連絡及び非常テープ音声と画像文字連絡出来る多機能トラクター。
2008年7月2日PM13時17分46秒から図面補正先に北海道庁に出した多機能電気自動車に磁波計測装置を取り付けるのを忘れる。美馬牛カンキチ
【請求項１９】
先知的所有財産の先発明の多機能電気トラクターにはアンテナ超小型磁波計測装置または超小型軽水素炒り磁波計測装置を多機能電気トラクターの無害無給連続発電機すなわち水発電機の下に取り付けて24時間連続の磁波計測データー送受信出来る磁波データー計測出来る装置を積載した多機能電気トラクター
【請求項２０】
先知的所有財産の先発明考案は、多機能電気トラクターにはアンテナ停止作動型地震計を備え24時間携帯波連絡及び無線波連絡その他高速電波などの電波を使って電気トラクター停止作動型地震計を積載した多機能電気トラクター。
【請求項２１】
先知的所有財産の先発明考案は、多機能電気トラクターにはアンテナ停止作動型温度計湿度計を無害無給油連続発電機の水発電機の下に二重真空構造にした本体熱遮断停止作動型温度計湿度計装置を24時間携帯波連絡及び無線波連絡出来る装置を積載した多機能電気トラクター。
【請求項２２】
先知的所有財産の先発明考案は、多機能電気トラクターには、アンテナ停止作動型風速計と強風作動発電風速計を24時間携帯波連絡及び無線波連絡出来る装置を積載した多機能電気トラクター。
【請求項２３】
先知的所有財産の先発明考案は、多機能電気トラクターにはアンテナ太陽発生光度計装置と衛生時計を24時間携帯波連絡または無線波連絡出来る装置を積載した多機能電気トラクター。
2008年7月2日PM16時10分55秒小休止の美馬牛カンキチ
2008年7月2日PM17時19分53秒夕食終え夕霧の大雪山眺めしそよ吹く風と共に夏を見る美馬牛カンキチ
【請求項２４】
先知的所有財産の先発明考案は、多機能電気トラクターには望遠鏡を逆さまにした装置にライト光を通す事によってライトの細い光りを遠くまで飛ばす事の出来る光り連絡装置を積載した多機能電気トラクター。
【請求項２５】
先知的所有財産の先発明考案の山岳ヘリコプターは、2連振り子機械式発電機などの無害無給油連続作動発電機を積載させた鉄塔無線波中継または携帯波中継電波送受信の電気トラクター無線波CD表裏両面の鉄塔無線波中継地図カメラダブル位置の確認認識情報送受信装置を積載した多機能電気トラクター。
【請求項２６】
先知的所有財産の先発明考案の山岳ヘリコプター装置は、圧電素子4電子磁気分割装置を積載する事によって、2連振り子機械式発電機から発電される電気の中から電気抵抗だけ取り除いて、取り除いた熱電気を軽水素ダイオードリサイクル発電装置によって、熱電気の再利用化を図って熱電気の取り除いた電気によってよりスピードの有る山岳ヘリコプターのシステム作動を望んだ山岳ヘリコプター内蔵の圧電素子4電子磁気分割装置機能システムの多機能電気トラクター。
【請求項２７】
先知的所有財産の先発明考案の山岳ヘリコプター装置の高速プロペラ装置を連続回転させて、空中に連続空中同位置連続作動する為の2連結以上制御モーター装置を積載させた山岳ヘリコプター装置のデーター全自動管理システムの多機能電気トラクター。
【請求項２８】
先知的所有財産の先発明考案の山岳へりコプター装置のプロペラ装置と鉄塔無線波中継地図位置連絡送受信装置とアンテナ磁波計測装置とカラー色ライトライン装置とアンテナライトカメラとアンテナ電気温度計とアンテナ電気湿度計アテンナ太陽光度計などを作動させる為の2連振り子機械式発電機を積載させた山岳ヘリコプターシステム誘導の多機能電気トラクター。
【請求項２９】
先知的所有財産の先発明考案の山岳ヘリコプター装置の2連振り子機械式発電機の電気エネルギーによって36O度夜でも望めるアンテナ複数ライトカメラ装置を積載させて、電気トラクター位置を24時間空中同位置連続作動して電気トラクターの全自動ダブル地図確認と山岳ヘリコプターカラー色ライトライン誘導出来る全自動システムと衛生GPS補助確認出来る多機能電気トラクター。
【請求項３０】
先知的所有財産の先発明考案の山岳ヘリコプター装置のアンテナ複数ライトカメラ装置は多機能電気トラクター装置自身のカーナビゲイシヨン地図と鉄塔無線中継地図電気トラクター位置と6台の山岳ヘリコプター鉄塔無線中継地図トラクター位置によって、1センチ程の位置の狂い全自動修正を可能にした総計8台の電気トラクター位置及び位置全自動修正によって、狂いの1センチ以内で済ませる電気トラクターカメラライトラインカメラ焦点地図設定位置確認認識及び再チェック位置修正機能が出来る山岳ヘリコプター鉄塔無線中継地図トラクター位置を含めた総計8台の電気トラクター地図位置確認及び再地図位置確認及び全自動地図位置修正及び全自動地図位置再チェック出来る多機能電気トラクター。
【請求項３１】
先知的所有財産の先発明考案の山岳ヘリコプター装置に積載されているアンテナカメラシステムの二つ目のカメラテレポーテイション技術の多機能電気トラクター360度周辺の物体及び人及び動物補助確認出来る山岳ヘリコプター6台の複数ライトカメラテレポーテイションの物体及び人及び動物補助確認の全自動カメラ追跡可能な山岳ヘリコプターシステムによって、全自動多機能トラクターの安全補助走行のテレポーテイションカメラ確認をする為の装置を積載している、それぞれの山岳ヘリコプター装置カメラ補助確認の多機能電気トラクター。
【請求項３２】
先知的所有財産の先発明考案の山岳ヘリコプター装置の鉄塔無線中継地図トラクター位置確認の際の無線波及び携帯波またはその他の電波の送受信アンテナ装置に使用される山岳ヘリコプター足型アンテナ装置を積載搭載した山岳ヘリコプターシステムによって全自動作動走行出来る多機能電気トラクター。
【請求項３３】
先知的所有財産の先発明先考案の多機能電気トラクターの作業機作動装置に使用されるアンテナ高速ダブル制御モーターを積載搭載させている多機能電気トラクター。
【発明の詳細な説明】
【技術分野】
【０００１】
本発明は、一般農業社会の全自動多機能電気トラクターの技術に関する説明。
【背景技術】
【０００２】
従来の農業用全自動作業トラクターは、国道及び都道府県市町村道及び農道を、無害無給油連続作動発電機と超高速ダブル制御出来る軽水素圧電素子内蔵ダイナモ発電モーター装置の全自動トラクター走行出来る技術がなかった。(例えばクボタ農機株式会社の衛生GPS全自動が有る。)。
2008年7月2日AM11時19分54秒(水)美馬牛市街地晴れ高速電波の電波の有り方は、美馬牛郵便局から、出して来た美馬牛市街地晴れ大雪山は、薄靄鳥たちは、朝3時には騒いでいたのを覚えている風の竜たちそよぐ風と共に静けさなり我もまた大地と共に美馬牛カンキチ
【０００３】
以下図1から図6の図面説明によって、従来の石油系エンジン搭載のGPS全自動農業トラクターとの違いを説明する。
2008年7月3日AM10時31分28秒薄靄の大雪山そして美馬牛市街地風の竜もまた海竜もまた荒れし我が家宅恋いの渡り鳥そして二人の猫たち我を見て道急ぐ夢基めし蝉の声美馬牛カンキチ
2008年7月3日(火)PM13時2分49秒昼食終え食器を洗い米を研ぎ、風竜は、地竜に戦いを挑みし風竜は竜巻竜となりて地竜を去る。19行目から再び書き始める。
【０００４】
図1に於いて(40)のアンテナ多機能トラクター構造説明を始める。
図1に於いて(40)のアンテナ多機能トラクターは、(9)のバックミラーで有り(10)のハンドルで有り (12)の座席椅子で有り、(14)の超高低速切り換えレバーで有り(45)の作業けい引装置取り付け部装置で有り、これら装置は、今までのトラクター構造と変わらない構造で有る。
図1に於いて今までのトラクターと異なった構造説明を始める。
従って、(8)の10方向ライトカメラのレンズ(55)は、電熱線入りカメラレンズで有りカメラレンズガード日除け装置付きで有り、泥水で汚れた場合(56)の非常カメラ洗浄用噴水装置によって洗浄出来る構造で有り、またトラクターの前のカメラ泥跳ね防止に複数エアー装置カーテンによってレンズの泥よけ装置で有り、(11)のサイドライトで有り夜間のカメラ視界を得る為の構造で有り、(15)のカラー色ライトライン装置は、(8)夜間のライトカメラ焦点目印で有り、(39)のレンズライト目印装置でも有りこれらライトシステムで有り、(13)のGPSアンテナ電気トラクターは、図4の(18)の山岳ヘリコプター(A,B,C,D,E,F,)の図2の(17)の鉄塔無線波送受信アンテナの(40)のアンテナ多機能電気トラクターの無線波カメラ位置確認認識の(13)のGPSアンテナ電気トラクターの補助位置システム構造で有る。
そして、(50)のアンテナ磁波計測装置は、軽水素入りの反応の早い超小型装置構造で有り、他にゲルマニュームラジオの特性利用として磁波の強い場所などでラジオ波の乱れ感知を磁波の計測装置としたのも特徴で有り、二種類の磁波計測装置を積載している構造で有る。
そして、(57)のアンテナ停止地震計は、(40)のアンテナ多機能電気トラクターが停止して入る時だけ作動する振り子キャッチカップ型停止地震計装置方式は、(40)アンテナ多機能電気トラクターの、動いて時は地震計キャッチカップによって地震計を保護して入る構造に成って入る。
更に、(52)アンテナ停止風速計は、強風の時だけ発電する大きめのダイナモ軽水素圧電素子内蔵発電装置を取り付けた超小型風速計を積載した(40)のアンテナ多機能電気トラクターで有る。
そして、(40)のアンテナ多機能電気トラクターの(58)のアンテナ絶縁温度計と(59)のアンテナ絶縁湿度計は、(40)のアンテナ多機能電気トラクターの機械熱絶縁のため、(40)のアンテナ多機能トラクターの機体底の日陰の部分にマホービン二重構造にした(40)アンテナ多機能電気トラクターの(58)のアンテナ絶縁温度計と(59)のアンテナ絶縁湿度計装置の構造説明である。
【０００５】
図2に於いて(39)はレンズライト装置で有り(21)の突レンズ装置で有り、(20)のおおレンズで有り(19)のライト玉装置で有る。
そして、図4の(18)の山岳ヘリコプター装置に積載されている(24)のアンテナ無線波GPS中継装置は、農業を営む家の無線電波全自動設定書き込み出来る無線装置で有りまたは別の仕事の為出張先の携帯電話から、一度(17)の鉄塔送受信アンテナ装置に無線波及び携帯波を送り6台それぞれの(18)の山岳ヘリコプターA,B,C,D,E,F,装置の表裏両面CD地図データー及び電波スピードキャッチ位置データーと(17)鉄塔送受信アンテナからの(40)のアンテナ多機能電気トラクター電波距離と(18のB)の山岳ヘリコプターと(40)アンテナ多機能電気トラクターの電波距離と(17)鉄塔送受信アンテナと(18のB)の山岳ヘリコプター電波距離を(18のB)の山岳ヘリコプター距離を(18)山岳ヘリコプター表裏両面CD中央圧電素子磁石体図面地図書き込み距離確認認識を、(17)鉄塔無線送受信アンテナと(18のA,B,C,D,E,F,)の山岳ヘリコプターの(40)のアンテナ多機能電気トラクターの無線波内蔵地図書き込み地図の6点の地図書き込み位置の(13)の衛生GPS地図電気トラクター位置チェックによる(40)のアンテナ多機能電気トラクター(18)の山岳ヘリコプター6台の位置確認認識の全自動再生チェック機能によって、より正確な衛生GPS位置を得る事の出来る装置構造説明。 
【０００６】
図3に於いて(40)のアンテナ多機能電気トラクターの構造説明を始める。
図3において(2)は無害無給連続作動発電機の水発電機の連続発電可能な液体マグネシウムの気化酸素と気化水素の融合体瞬間吸収連続発電した電気エネルギーで、(1)超高速ダブル制御ダイナモモーター装置は、超高速モーター走行及び同軸のモーターダイナモ発電出来る装置で有り(3)の複数配線制御2連結以上モーター装置で有り、同じモーター同軸の(4)電磁石制御レールモーターを同じ同軸モーターに連動連結させた(5)超高速ダブル制御ダイナモモーター軸装置で有り、(7)軽水素圧電素子内蔵ダイナモ装置のダイナモ発電電気の電気打撃による軽水素圧電素子発電が可能な超高速ダブル制御発電モーター説明で有る。  
(特許文献29参照。)(特許文献1参照。)。(特許文献30参照。)。(特許文献31参照。)。(特許文献35参照。)。
そして、(1)の超高速ダブル制御ダイナモモーター装置で有り、(47)のアンテナレールモーターホイスト制御発電ブレーキでも有るため、二つのモーター配線電気量制御と電磁石吸引制御ブレーキとダイナモレールモーターホイスト押し金属圧ダイナモブレーキ操作によって、ブレーキ停止出来る装置説明。
更に,(47)のアンテナレールモーターホイスト制御ダイナモブレーキのダイナモ構造説明を始める。
従って、(5)の超高速ダブル制御ダイナモモーター軸のダイナモを半分に割った構造のダイナモ中心部を切り抜き、更に軽水素と(6)の圧電素子磁石物質を混合練り合成及び(6)の圧電素子磁石体の数箇所の縦構造に軽水素を内蔵させた(6)の圧電素子磁石体をダイナモ装置の半割り構造の中心部に設置しダイナモ装置の蓋を被せてボルトとナットで固定させた(7)の軽水素圧電素子内蔵ダイナモ装置説明で有る。  
【０００７】
図4に於いて、(40)アンテナ多機能電気トラクターの図1の(8)のアンテナ10方向ライトカメラ装置で有り、(60)の10方向カメラ装置は、ライトとカメラが一体型であり、(55)の弱電熱線の電気を使用したレンズの為、(8)の10方向ライトカメラ装置は、金属カメラ装置のアルミニューム金属装置10方向カメラ装置で有り、短い配線構造は、アルミニューム絶縁体配線を使用している構造と固形窒素冷却回路保護かモーターフアン送風冷却いずれかによって(8)の10方向ライトカメラ装置のカメラ回路保護対策構造説明で有る。
次に、図1にも有る(40)アンテナ多機能電気トラクターの左右前後にカメラ焦点夜間カラー色ダイオード光の光りダイオード電気量反応によって(40)のアンテナ多機能電気トラクター設置始まりのGPS位置を決める為の夜間のライトカメラダイオード色確認の為の(15)カラー色ライトライン装置構造説明は、(30)のライト玉装置で有り、(61)はカラー色クリスタルガラスで有り、(28)大レンズで有り(29)突レンズ構造説明で有る。
そして、(40)のアンテナ多機能電気トラクター位置を6箇所の上空の(18)の山岳ヘリコプター(A,B,C,D,E,F,)内蔵の(24)アンテナ無線波GPS中継表裏両面CDの中央部圧電素子磁石体磁気内蔵の両面CD装置からGPS地図位置及び(17)鉄塔送受信アンテナと(18)の6台の山岳ヘリコプター(A,B,C,D,E,F,)の位置と(40)のアンテナ多機能電気トラクターの三カ所の地点距離位置確定による衛生GPS地図位置の正確位置を7重の位置のチェックを行って(40)のアンテナ多機能電気トラクターの正確な全自動走行を可能にした構造説明。
そして、(18)山岳ヘリコプター(A,B,C,D,E,F,)の構造説明を始める。
図4の(22)は、プロペラ装置で有り(3)は複数配線制御2連結以上モーター装置で有り、(25)は圧電素子4電子磁気分割装置説明で有り、(51)はソーラーパネルの電気量計測可能なアンテナ太陽光度計で有り、(24)無線波GPS中継装置で有り(27)は送受信アンテナ装置で有り、(48)は山岳ヘリコプターライトカメラ装置で有り、(49)はカラー色ライトライン装置で有り(56)は、非常カメラ洗浄用噴水装置で有り、(58)のアンテナ絶縁温度計で有り、(59)のアンテナ絶縁温度計で有り(62)の足型アンテナで有りこれら装置全体を連続作動維持させる為の連続作動発電出来る(26)の2連振り子機械式発電機の(18)の山岳ヘリコプター(A,B,C,D,E,F,)構造説明で有る。
2008年7月3日PM18時36分41秒美馬牛市街地大雪山見えし風の竜大地の竜呼びし川の水もの水竜呼びし風の竜運び賜る大地の水の恵み呼ぶなりて、美馬牛カンキチ夕食にする。
2008年7月3日PM19時30分4秒夕食の玉子丼を食べて大雪山まだ見えし竜の涙我に届けし再び風の竜にききし川面の水の竜に囁きし再びの大地の地竜と
共に風の竜と共に一振りの水竜を二つの竜と共に呼びせし美馬牛カンキチ。
【０００８】
図5の(31,32,33,34,)はテレポーテイションカメラ被写体で有り(35,36,37,38,)は、テレポーテイション被写体ストックカードで有る。
【０００９】
図6の構造説明を始める。
図6の(40)はアンテナ多機能電気トラクターで有り(2)の無害無給連続作動発電機の水発電機で有り(50)アンテナ磁波超小型計測装置で有り(41)は前方作業灯で有り(52)アンテナ停止風速計で有り(43)ウインカー装置で有り(15)は、カラー色ライトライン装置で有り、(51)アンテナ太陽光度計で有り、(42)は後方作業灯で有り(44)はアンテナ停止太陽光度計で有り(45)は作業機けい引用取り付け装置で有り(46)はパネルメーター装置で有り(3)は複数配線制御二連結以上モーター装置で有り(4)電磁石制御レールモーター装置のダブル制御モーター構造説明で有る。
(特許文献29,1,30 ,31,参照。)。(特許文献35参照。)。
【先行技術文献】
【特許文献】
【００１０】
【特許文献１】特許公開2003−328925号の真空装置と機械式発電機を、使った水だけの発電機
【００１１】
【特許文献２】特許公開2012-187001号のテレビ局の目と有識者の目と大学教授の目と共に国民の電気エネルギー危機の再チェックと試作が必要と思われる電力不足危機対応の対策案の為に公開する、国の危機の全額借金返済の為の新２連振子型機械式無害無給油無休憩発電機（半永久連続作動発電機）
【００１２】
【特許文献３】特許公開2012−170063号の国の全額借金返済と都道府県市町村区の全額借金返済の為の知的所有財産の圧電素子補助急速充電携帯電話著作権原本
【００１３】
【特許文献４】特許公開2012−166951号の国の全額借金返済と都道府県市町村区の全額借金返済の為の知的所有財産の生ゴミ真空装置粉末処理車著作権原本2008年5月2日PM20時40分美馬牛
【００１４】
【特許文献５】特許公開2012−140584号の国の全額借金返済と都道府県市町村区の全額借金返済の為の炭素固形フロン冷蔵庫著作権原本
【００１５】
【特許文献６】特許公開2012−120440号の国の全額借金返済と都道府県市町村区の全額借金返済の為の多機能電気自動車著作権原本コメント２００８年６月２５日ＰＭ１４時５３分８秒大雪山がくっきりはっきり見える程のそよ風びよりの快晴の美馬牛市街地余り会えない親戚に自宅横の窓際で会える事と相なる。美馬牛カンキチ。
【００１６】
【特許文献７】特許公開2012−110727号の国の全額借金返済と都道府県市町村区の全額借金返済の為の知的所有財産の最速スクリュー水電気消防装置著作権原本。
【００１７】
【特許文献８】特許公開2012−108140号の国の全額借金返済と都道府県市町村区の全額借金返済の為の知的所有財産の化石燃料一切必要としないレントゲンカメラ放射線飛散防止パネル装置著作権原本
【００１８】
【特許文献９】特許公開2012−101790号の国の全額借金返済と都道府県市町村区の全額借金返済の為の知的所有財産のワンタッチ全自動エアー浮輪著作権原本２００８年５月２日ＰＭ１７時３９分１７秒美馬牛夕食後書く墫野
【００１９】
【特許文献１０】特許公開2012−099506号の燃料電池発電機と総合発電量の競争を含めた国の全額借金返済と都道府県市町村区の全額借金返済の為の知的所有財産の五種類の半永久発電装置を内蔵積載した軽水素入りの水循環発電型の燃料電池発電機著作権原本（別名高出力水発電機）
【００２０】
【特許文献１１】特許公開2012−097559号の国の全額借金返済と都道府県市町村区の全額借金返済の為の知的所有財産の化石燃料一切必要としない高速瞬間気化処理除雪車著作権原本コメント２００８年５月１３日ＰＭ２３時４３分１０秒墫野ニャン本日ここまで眠る。２００８年５月１４日ＡＭ１１時４４分５１秒部屋の掃除朝風呂洗濯後から書く墫野
【００２１】
【特許文献１２】特許公開2012−097558号の国の全額借金返済と都道府県市町村区の全額借金返済の為の知的所有財産の固形窒素プラスチックグラスフアイバーパネル著作権原本
【００２２】
【特許文献１３】特許公開2012−094548号の国の全額借金返済と都道府県市町村区の全額借金返済の為の知的所有財産の光りフアイバーブラウン官テレビ著作権原本
【００２３】
【特許文献１４】特許公開2012−077607号の国の全額借金返済と都道府県市町村区の全額借金返済の為の知的所有財産のヘドロ処理運搬車装置の著作権原本コメント２００８年８月２４日ＰＭ２０時２２分３３秒ヘドロ処理運搬車の図面を漸く書き終え再び書き始める美馬牛カンキチ。
【００２４】
【特許文献１５】特許公開2012−056558号のパワーアップハイブリッド車
【００２５】
【特許文献１６】特許公開2012−052788号の国の全額借金返済と都道府県市町村区の全額借金返済の為の知的所有財産の化石燃料一切必要としない電気ストーブ著作権原本コメント2008年5月20日美瑛駅NO,10821ー47まだ時間付きでない領収書
【００２６】
【特許文献１７】特許公開2011−233228号の多機能ビデオ著作権原本
【００２７】
【特許文献１８】特許公開2011−215148号の電子熱核燃料原石核融合発電と放射能廃棄物処理方法。コメント２００８年６月１９日（木）ＰＭ１４時１７分３４秒薄曇りのまま美馬牛市街地先程は見かけぬ客人の鳥が来ていた明日給料日カンキチ原子力処理装置先知的所有財産書き急ぐ事する。
【００２８】
【特許文献１９】特許公開2011−209290号の多目的カーナビゲイション著作権原本と都道府県市町村区と国の全額借金返済と弱者自立社会を目指す為の２００１年からの道民財産著作権原本
【００２９】
【特許文献２０】特許公開2011−205895号の多機能情報冷暖房無休憩発電機（原子力事故及び地震事故対応型）（無害無給油の無休憩の半永久全自動作動発電機型）
【００３０】
【特許文献２１】特許公開2011−205675号の多機能携帯電話装置原本
【００３１】
【特許文献２２】特許公開2011−202498号の一戸建て免震装置著作権原本及び国の全額借金返済と都道府県市町村区の全額借金返済と弱者自立と救済の著作権技術説明の２００１年からの道民財産著作権
【００３２】
【特許文献２３】特許公開2011−155267号の超軽量高出力発電人工衛星
【００３３】
【特許文献２４】特許公開2011−105307号の未来的電気自動車
【００３４】
【特許文献２５】特許公開2011−064060号の日本の弱者国民救済の地震対応型の多機能発電ハウスシステム
【００３５】
【特許文献２６】特許公開2011−060294号の発電タッチパソコン
【００３６】
【特許文献２７】特許公開2010−171943号の多機能新技術携帯電話
【００３７】
【特許文献２８】特許公開2010−165355号の国の９００兆円越えの借金全額返済の為の世界最新の公共事業対策装置
【００３８】
【特許文献２９】特許公開2006−254697号の全レールモーター制御無害無給油発電機を、使用した電気自動車
【００３９】
【特許文献３０】特許公開2004−304993号の一度に複数の電気配線と複数の電気コイルを、持ち得た焼けないで、力のあるモーターのあり方。
【００４０】
【特許文献３１】特許公開2004−304992号の電気から熱抵抗電気を減らして、電気を長持ちさせ電気製品に無理をかけない電気装置の有り方。(別名圧電素子4電子磁気分割装置)
【００４１】
【特許文献３２】特許公開2004−135480号の自動充電池
【００４２】
【特許文献３３】登録実用新案第3168043号の高出力発電７連結以上モーター
【００４３】
【特許文献３４】登録実用新案第3145903号の省エネルギー水気化水発電機（別名水発電機）
【００４４】
【特許文献３５】登録実用新案第3114491号の二連結以上モーター
【発明の概要】
【発明が解決しようとする課題】
【００４５】
以上に述べた従来の石油系燃料作動GPSトラクターでは、決められた資源だけ使ってしまった場合二度と動かなくなる石油系エンジンで有り、有害物質を事実上排出して入る事実には変わりなく困った場合の対策が、考えられるべきだと言えた。
【００４６】
本発明は、このような従来の産業社会が有していた問題を解決するものであり、石油系エンジンに変わって燃料電池の循環発電型の水発電機と2連振り子型機械式発電機などの無害無給油連続作動発電機を、積載連続作動発電を、開始する事で自然に対して無害で安全な電気エネルギーを提供実現する事を、目的とするものである。
【課題を解決するための手段】
【００４７】
第1の課題解決手段は、アンテナ無害無給油連続作動発電機の水発電機説明を始める。
そして本先知的所有財産の先発明考案は、上記目的を達成する為に燃料電池システムを連続作動循環型の無給油燃料電池発電に変える為に水素タンクの気化水素と外気酸素を発電室の液体マグネシウム瞬間気化水素と気化酸素を同時に瞬間吸収発電する事で水だけが残る。
更に発電残水タンクまたは水タンクの水位センサーが、水の満タンを示したと同時に水中ポンプモーターが、水発電システム全自動する事で、水は水を通り二つの電動仕切り弁を通り、真空装置室の水位センサーが、満水を示すまで、真空装置室に水を送り、水中ポンプで連続に水を、送り続ける事で真空装置室の水位センサーが、満水を示すと同時に真空装置が、水発電システムとして連続作動し、真空装置室の酸素を一瞬にして真空装置モーターで、抜き取る事で、真空装置室の気圧が、ゼロ以下になる事で真空装置室の水は瞬間気化して、真空装置エアー吸引モーターで、液体マグネシウム発電室へ瞬間にして気化酸素と気化水素の融合体を連続して送る事で、燃料電池発電機作用と同じ液体マグネシウム発電が、行われる。
従って再び水だげが、残る事実に対して上記説明した水発電機システムの繰り返し発電が燃料電池改良型の無害無給油連続作動発電機の水発電機説明で有る。
【００４８】
また、第2の課題解決手段は、アンテナ超高速ダブル制御ダイナモモーター説明で有る。
従って2連結モーターとは、内コイルまたは外コイルどちらにでも言える複数コイルの数と複数コイル数を繋ぐ複数配線と複数コイル絶縁体を必要とするモーター力分だけのコイル及びコイル配線及びコイル絶縁体を設けた複数配線の電気量調整によって2連結モーター回転を全自動電気量制御する事で、モーター回転制御可能にしたモーターで有り、従って更にレールモーターとは、圧電素子磁石体にプラス配線マイナス配線を持ち得た装置を複数絶縁体を、一つ一つ使用しながら丸い円錐状に圧電素子磁石体プラス及びマイナス配線の取り付けられた圧電素子磁石を円周上に二列並べる事によって、2列の圧電素子磁石体プラスマイナス配線の圧電素子電磁石配線の連続した磁極切り替えを続ける事で、片側を固定した円周上の複数圧電素子磁石配列体を、モーター軸設定して連続圧電素子磁極切り替え続けるモーター連続作動回転出来るレールモーター構造作動説明とする。
【００４９】
また第3の課題解決手段は、アンテナ超高速ダブル制御軽水素圧電素子内蔵ダイナモモーター発電の説明を始める。
従って、通常一般に使用されるダイナモ装置を半割り状態にして、更に半割り状態の二つのダイナモ装置の中央部を円形圧電素子が、きっちり入るようにくり抜き、圧電素子体物質の圧電効果の大きいロシェル塩・チタン酸バリュームと軽水素を混合圧縮合成または、圧電素子の中央部に軽水素を内蔵させる事で、軽水素内蔵圧電素子として、二つの半割り状態のダイナモ装置の中央部に軽水素内蔵圧電素子磁石体を内蔵して二つ割りのダイナモを元の形に戻して、圧電素子内蔵の軽水素が漏れないパッキン構造にしてからボルトナットで、外れないように固定した軽水素内蔵圧電素子体のダイナモ中央部構造とした軽水素圧電素子内蔵ダイナモを回転作動発電する事によって、まず、最初にダイナモ回転作動発電電気エネルギーは、軽水素内蔵圧電素子ダイナモ連続電気打撃発電を繰り返す事によって、ダイナモ電気量と圧電素子に内蔵されている軽水素電気質量分の発電と圧電素子ダイナモ電気打撃発電分の三つの発電電気エネルギーが、合わさって発電出来る軽水素圧電素子内蔵ダイナモ発電方法の説明とする。
【００５０】
また第4の課題解決手段は、アンテナ超小型ダブル制御軽水素圧電素子内蔵ダイナモのレールモーターホイストの大型金属ダイナモブラシのレールモーター制御の大型金属ダイナモブラシブレーキによって、モーターホイスト制御可能な発電ブレーキ装置の説明とする。
【００５１】
また第5の課題解決手段は、アンテナ超小型磁波計測装置説明を始める。
超小型磁波計測装置とは、大きい活火山現象及び大きい活断層近くで起こる大型地震に対して、磁気を帯びた地殻変動の事を磁場から磁波と書き改めて大地の磁気を帯びたマグマ活動によって起きる磁気を帯びたマグマ熱地殻変動摩擦から起こる地殻熱電気摩擦波の事を磁波の表現とする。
従ってマグマ摩擦磁波は、テレビ波及びラジオ波を曲げる特性の有る事は、磁波の強い地域では、テレビ映像が乱れたりラジオ音声が乱れたりする現象は、注意するとすぐにわかる現象です。
上記説明の上で、地震及び活火山現象の前兆に起こる現象つまり、磁波が強まる時間時期を24時間態勢で、監視する事は、地震及び活火山現象の予知学としてとても大事なデーター作りとなる為に、なるべく多くの磁波の正確な時間時期場所計測が、要求される為、大変にじみでも絶対に磁波24時間態勢計測が、必要な全世界でも有名な活火山地震国でも有り、より多くの地震及び活火山の被害をくい止める為に絶対必要な地殻変動波の磁波計測装置を、小型装置に変えたり、電気反応の早い軽水素を入れた磁波計測装置または、ゲルマニュームラジオ装置を磁波の強い場所をいち早く確定する為にゲルマニュームラジオ電波の乱れを地震波に置き換えた装置を、ゲルマニュームラジオ磁波計測装置とした二つの磁波計測装置を積載搭載しいつでも24時間磁波情報を2連振り子機械式発電機の電気エネルギーによって磁波情報を送り続ける事が出来る多機能電気トラクター説明で有る。
【００５２】
また、第6の課題解決手段は、電気中の電気抵抗だけを取り除く事のできる圧電素子磁気4電子分割装置説明を始める。
従って、通常電気には必ず電気抵抗の存在は、古くから知られており、電気中から電気抵抗を無くす技術としては、超電導技術として、電気をマイナス数百度で、電気抵抗ゼロになる事が、一般社会説明の常識として長年電気科学社会で、通常学説として取り扱われて来た事実で有る。
従って本先知的所有財産の先発明考案は、電気抵抗の有る電気を冷やして電気抵抗を、無くす発想から電気を磁気変化させて、磁気分割させる事の出来る技術説明に対して圧電素子磁石を使用した圧電素子磁気4電子分割方法の説明に移る。
上記説明にある圧電素子磁石素子体の中央にあたる部分を圧電素子中間電子部分として、プラス圧電素子中間電子磁石体部分にプラス配線を取り付ける第一作業。
更に、圧電素子磁石素子体の中央部分にあたる部分の圧電素子中間電子のマイナス圧電素子中間電子磁石体部分にマイナス電気配線を取り付ける第二作業。
更に圧電素子磁石体の一番プラス磁石力の強い部分を圧電素子陽電子磁石体と名付け更に、圧電素子陽電子磁石体の一番磁石力の強い部分にプラス電気配線を取り付ける第三作業。
更に圧電素子磁石体の一番マイナス磁石力の強い部分に圧電素子陰電子磁石体と名付け更に、圧電素子陰電子磁石体の一番磁石力の強い部分にマイナス電気配線を取り付ける第四作業。
上記説明の圧電素子磁石体に第一作業によって、圧電素子中間陽電子配線に一般家庭電気配線のプラス電気配線を繋なぐ第五作業。
更に圧電素子磁石体に第二作業によって、圧電素子中間陽電子配線に一般家庭電気配線のマイナス電気配線を繋ぐ第六作業。
以上上記作業を終えた上で、圧電素子中間陽電子配線と圧電素子中間陰電子配線それぞれに一般家庭電気を流す行為とする。
次に、一般家庭電気は、圧電素子のプラス磁石体とマイナス磁石体それぞれに流れる。
従って圧電素子磁石体に流れる電気は、電磁石作用に起こる電気の磁気化現象を起こす事になる。
そのため、圧電素子磁石体の磁気力の一番弱い部分のプラス圧電素子中間陽電子磁石体の引き込み電気配線には、圧電素子の磁石力の弱い圧電素子中間陽電子電気すなわち圧電素子中間陽電子熱電気が、流れる圧電素子磁石分割配線圧電素子磁石説明事実とする。
更に圧電素子磁石体の磁気力の一番弱い部分のマイナス圧電素子体中間陰電子磁石体の引き込み電気配線には圧電素子の磁石力の弱い圧電素子中間陰電子電気すなわち圧電素子中間陰電子熱電気が流れる圧電素子磁石分割配線圧電素子磁石説明事実とする。
上記説明によって、圧電素子磁石体にプラス家庭電気とマイナス家庭電気が、通る電気の事実説明を受けて、一般家庭電気の電気抵抗は、圧電素子磁石体の中間部分に圧電素子熱抵抗電気磁気として、集まる事実説明。
更に、圧電素子磁石体に通る一般家庭電気は、圧電素子4電子磁気説明の一番強い圧電素子磁石体の陽電子磁石体部分に集まる電気は、圧電素子磁石体中央に集まる熱抵抗磁石と異なる磁石磁気スピードの早い強い圧電素子磁石体説明になる。
上記説明を受けて、一般家庭電気が、圧電素子磁石体を通る場合圧電素子磁石体が、電子集合体で有る事実を受けて一般家庭電気が、圧電素子磁石体を通る事によって、一般家庭電気が、圧電素子磁石体の間だけ、一般家庭電気が、磁気電子化したと言う説明になる。
更に、圧電素子磁気電気の特性として圧電素子磁気の強い電気説明として、圧電素子磁気力の一番強い電気と圧電素子磁気力の一番弱い電気に別れたと言う表現の圧電素子磁気分割説明になる。
従って、一般家庭電気のプラス電気及びマイナス電気を圧電素子磁石中間電子磁石体にプラス電気とマイナス電気を流す事と同時に引き込み圧電素子磁石配線には一般家庭電気の熱抵抗電気の意味圧電素子磁気4分割説明になる圧電素子中間電子陽電子電気と圧電素子中間電子陰電子電気の二つの熱磁気電気すなわちリサイクル熱電気分割電気と圧電素子陽電子磁気電気と圧電素子陰電子磁気電気の4つの圧電素子磁石体磁気電子電気の分割方法の手段とする。
最後に、圧電素子陽電子磁気電気と圧電素子陰電子磁気電気は、圧電素子4電子磁気分割配線取り付け事実説明に於いて、圧電素子陽電子磁気電気は、熱抵抗電気の含まれていない圧電素子磁気電子陽電子電気と言います。更に圧電素子陰電子磁気電気は、熱抵抗電気の含まれていない圧電素子磁気電子陰電子電気の二つの電気抵抗の含まない電気用語説明になる。
2008年7月4日PM13時36分52秒一振りの風の竜と水の竜は、一振りの雨になりて大地にほこり止め程度の雨となり得た事実を見る。美馬牛カンキチ昨日の続きを書くにあたって高速電波配線回路一つは、北海道庁へ大雪山は、白い雲の中水竜は、川面に戻りて再び風の竜だけが、大地の竜と一つになりて、太陽の日差しをまた再び求めし白雲の姿変わりし地竜再び風の竜と火差しの竜二つの竜呼びし再び三つの竜の融合を見る。
【００５３】
また、第7の解決手段は、アンテナ停止地震計の説明を始める。
図1の停止地震計に対して、現在地震計設置場所及び、コード地震計及びアンテナ地震計及びアンテナ自動電池地震計などが、考えられるが、実際の細かい地図地域地震計更に磁波計測計などを含めて現在の活断層地図地震予知情報が、作れない状態である為、多機能電気トラクターが、移動している間は停止地震計の地震震度振り子計測計の振り子装置を両方のレールモーターゴム装置で挟んで止めるシステム装置を、キヤッチヤー装置と言う。
更に地震計の振り子装置を止めている状態停止地震計システムに対して実際に地震が、起こった場合は、全自動多機能電気トラクターの作業を一時停止させてから、今まで止まっていた停止地震計を作動させる事によって、地震測定計測を行い携帯波もしくは無線波によって、多機能電気トラクター位置の地震データーを送るシステムを備えている。
更に、多機能電気トラクターが作業停止している場合、多機能電気トラクターの停止地震計は、いつでも作動出来る態勢を多機能電気トラクターの2連振り子機械式発電機のバッテリー以外の補助自動充電池の電気によって、いつでも地震情報と磁波情報を伝える事の出来る停止地震計装置システム説明で有る。                     
【００５４】
第8の解決手段は、アンテナ10方向金属ライトカメラシステム装置説明を始める。
また、第8の解決手段は、10方向金属ライトカメラ装置は、多機能電気トラクターが、泥水または水溜まりを通る際10方向金属ライトカメラレンズに取り付けられているレンズに電熱線が取り付けられている為に、アルミニューム絶縁金属などでなければ、10方向金属ライトカメラ装置のプラスチック及びゴム製品が電気熱で溶けるおそれが有る為、アルミニューム絶縁金属によって、ライトとカメラをボルトナット固定保護している10方向金属ライトカメラ装置で有り、カラー色ライトライン装置のレールモーターによってカラー色ライン光の角度調整を行う事によってカラー色ライン光の位置を10方向金属ライトカメラ装置のそれぞれ前後左右上下を一度に確認出るソーラー太陽光度確認認識ライトカメラは太陽光度量によって全自動カメラライトスイッチが入る太陽光度量全自動スイッチが入る事の出来る10方向金属ライトカメラシステム装置で有る。
従って、カメラ焦点距離全自動地図設定によりカラー色ライトライン位置設定距離認識をカメラGPS地図によって再確認の為の、チェックシステムを6台の山岳ヘリコプターライトカメラ装置によって無線波送受信鉄塔アンテナ位置及び山岳ヘリコプター位置及び移動する多機能電気トラクター三角距離位置の電波距離の表示方式によって多機能電気トラクターの衛生補助地図位置確認が行える事の出来る山岳ヘリコプター多機能電気トラクター位置誘導出来る山岳ヘリコプターの全自動トラクター位置確認認識装置。
更に、山岳ヘリコプターカメラ焦点距離確認認識出来る装置によって、多機能電気トラクターのカラー色ライトライン位置設定認識距離の山岳ヘリコプター鉄塔送受信アンテナと山岳ヘリコプターと多機能電気トラクターとの三角電波送受信距離を全自動で山岳ヘリコプター地図画面上に表して設定認識確認の多機能電気トラクター位置を上空の6台の山岳ヘリコプターで行える装置。
そして、無線波三角電波距離表示方式の表裏両面圧電素子磁気内蔵のCD地図位置設定確認認識装置と山岳ヘリコプターカメラからの多機能電気トラクター位置のテレポーテイション物体及び人及び動物ダイオード形状認識確認テレポーテイションカード照合技術によって多機能電気トラクター位置確定によって多機能全自動トラクター走行出来る全自動走行技術説明である。
【００５５】
また、第9の課題解決手段は、レンズライト説明で有る。
第9の課題解決手段として、レンズライト構造説明を始める。
レンズライトとは、望遠鏡装置を逆さまにした構造装置にライト光をレンズライト装置の大レンズ装置にライト光を充てる事によって、凸レンズから細いライトの光りを、遠くまで届ける事が出来る装置のレンズライト装置で有る。
そして、レンズライトの光り角度をレンズライト装置の上下をレールモーター装置の制御作動によって調整出来るレンズライト装置のレールモーター装置で有る。
【００５６】
また、第10の課題解決手段はアンテナ停止風速計の説明で有る。
第10の課題解決手段として停止風速計構造説明で有り、通常の風速計と異なり軽水素圧電素子内蔵ダイナモ装置設置して有る、風速2メートルを越えなければ、回転作動しないダイナモ作動発電電気量計測携帯波及び無線波送受信連絡型の風速計装置で有る。
【００５７】
また、第11の課題解決手段は、山岳ヘリコプター装置の足型無線アンテナと足型携帯波アンテナ説明と衛生GPSアンテナ説明を始める。
従って、山岳ヘリコプター足型無線アンテナとは、山岳ヘリコプターに積載されている鉄塔無線固定位置と山岳ヘリコプター固定位置と多機能電気トラクター移動位置を鉄塔無線電波と周波数の異なる電波によって、移動する多機能電気トラクターを設定している鉄塔無線三角点地図位置の確認認識定全自動作動走行と衛生GPS地図設定全自動作動走行於いて衛生GPSモーターアンテナを設置積載した山岳ヘリコプターで有り、無線アンテナは山岳ヘリコプター足型アンテナとしている。
更に、携帯アンテナは、携帯電話から、多機能トラクターの全自動作動を管理する為の携帯波で有り、山岳ヘリコプター足型アンテナ構造としている。                            
そして、山岳ヘリコプターには衛生波アンテナが積載されており、鉄塔無線電波地図位置確認設定認識の全自動多機能トラクターの地図位置設定誘導出来る山岳ヘリコプター6台のダブル鉄塔無線電波の全自動地図位置多機能電気トラクター誘導出来る山岳ヘリコプターシステム装置。                                   
【００５８】
また、第12の課題解決手段は、アンテナ太陽光度計説明を始める。
太陽光度計の設置使用目的とは、農業太陽光量のデーター計測を記録する事によって将来先々のデーター農業をする為の太陽光度計による太陽光度量測定携帯波及び無線波の全自動太陽光度量を連絡出来るデーター送受信出来る多機能全自動電気トラクターの太陽光度計システム装置の説明とする。
2008年7月4日PM23時43分22秒あまり進まない先知的所有財産書きで有った一日夜食と共に寝る事とする美馬牛カンキチ。
2008年7月5日AM8時57分58秒美馬牛市街地白雲の大雪山眺めし地の竜もまた風の竜もまた水の竜そして三匹の竜戯れる美馬牛カンキチ今日こそ終わらさなければならない知的所有財産書き。  
朝食を済ませ始める。
2008年7月5日AM9時52分8秒朝食済ませ書き始める。
【００５９】
また、第13の課題解決手段は、アンテナ停止温度計湿度計の説明を始める。
アンテナ停止温度計湿度計の構造説明を始める。
アンテナ温度計と湿度計は、多機能電気トラクターの水発電機などの下側に二重構造にした外気温度と湿度を計測出来る電動仕切り弁蓋型の多機能電気トラクターが、停止している時は、電動仕切り弁の蓋が全自動で開いて外気の温度と湿度を計測して無線波または携帯波、を使用して24時間態勢で、多機能電気トラクターが、停止している場所の温度湿度を全自動測定して無線波及び携帯波で、全自動温度湿度データー連絡出来る温度湿度24時間停止連絡システムを積載した多機能電気トラクターの説明とする。                      
【００６０】
また、第14の課題解決手段は、アンテナ衛生時計の説明を始める。
アンテナ衛生時計の構造説明を始める。
アンテナ衛生時計は、携帯電話又は無線波を通じての無線映像画面による無線映像アンテナ衛生時計の時間確認チェックが、出来る多機能電気トラクターの衛生時計システムの説明を始める。
【００６１】
また、第15の課題解決手段は、アンテナカメラ非常洗浄用噴水装置の説明を始める。
アンテナカメラ非常洗浄用噴水装置の説明を始める。
多機能電気トラクターに取り付けてあるアンテナ10方向カメラのレンズが、泥水またはほこりなどで汚れた場合全自動多機能トラクターが、動き出す前に確認済みの外気温湿度によってのカメラ照度全自動確認装置によって、カメラレンズの汚れ等を全自動把握する。
この場合、実際に衛生GPS地図位置確認と鉄塔固定位置無線波三角地点地図位置によって、作業にかかる前にアンテナカメラ照度全自動チェックによってカメラレンズの汚れを確認し、作業中に泥水などで、アンテナカメラレンズが、汚れるとアンテナカメラテレポーテイションのアンテナカメラダイオード風景色非常事態ダイオード光り異常感知システムすなわち突然に風景のダイオード光の反応が、突然に変わったりした場合、テレポーテイションの風景形状異常連絡を携帯波の携帯電話画像連絡または、無線電波映像異常事態非常連絡装置作動と多機能電気トラクターを非常停止させ、山岳ヘリコプターを一台呼んで山岳ヘリコプターのアンテナカメラ非常洗浄用噴水装置を作動させて多機能電気トラクターのアンテナカメラの汚れを落とす事の出来る山岳ヘリコプターアンテナカメラ非常洗浄用噴水装置の説明である。          
【００６２】
また、第16の課題解決手段は、多機能電気トラクターのアンテナカメラエアーカーテン装置の説明を始める。
第15の課題解決手段で、説明した対策だけでは、全自動多機能トラクター装置のアンテナ10方向カメラのカメラレンズ汚れを山岳ヘリコプター落とす方法を紹介したが、全自動多機能トラクターの作動時に発生する泥水カメラレンズ汚れまたは雨水カメラレンズ汚れをなくす対策として、多機能電気トラクターのアンテナ10方向カメラのカメラレンズ汚れがつかない方法の手段説明を行う。
従って、アンテナ10方向カメラに泥水または雨水がかからないように超小型コンプレッサーエアーカーテン技術は、ライトエアーカーテン技術及びレンズライトエアーカーテン技術及びカラー色ライトラインエアーカーテン技術及び多機能電気トラクター汚れ防止エアーカーテンを多機能電気トラクター車体全体に施す技術は、歩道のエアーカーテン外気温侵入防止及びビル外気温度侵入防止エアーカーテン技術によって、雨の日でも傘がなくても生活出来る未来生活と他の電気自動車等の猛暑の温度上昇を押さえる技術更に自転車及びバイク等の雨水を避けたり、猛暑の外気を避けるエアーカーテンバリアの技術使用の説明とする。
2008年7月5日PM昼12時16分15秒美馬牛カンキチ昼食休憩とする。
2008年7月5日PM13時11分28秒再び書き始める美馬牛カンキチ。
【発明の効果】
【００６３】
上述したように本発明のアンテナ全自動多機能電気トラクターは、無人操作の道路走行及び農作業を衛生GPS補助とアンテナカメラシステムの無線電波地図確認認識全自動作業走行システムによって将来及び未来のアンテナ全自動多機能電気トラクターシステム提供が出来る。
【００６４】
また、無害無給油全自動連続作動発電機の電気と圧電素子磁気4電子分割装置と2連結以上モーターと電磁石レールモーター制御によって、電気消費の少ない超高速電気モーター無給油作業によって、今まで石油化石燃料エネルギー及び天然ガスエネルギー及び原子力エネルギー及び水素給油エネルギーなどの発電エネルギー資源の調達資金などの、心配をしなくても良いエネルギー追加なしのエネルギー循環型の農業経済社会の構築と安定した日本農業経済安定社会を迎える効果を発揮するもので有る。             
【発明を実施するための形態】
【００６５】
以下本先知的所有財産先発明の試作実施の形態を図1〜図6に基づいて説明する。
2008年7月5日(土)PM15時30分58秒白雲の大雪山眺めし美馬牛カンキチ
【００６６】
図1に於いて、(50)のアンテナ磁波計測装置と(57)のアンテナ停止地震計と(8)のアンテナ10方向ライトカメラと(15)のアンテナカラー色ライトライン装置と(52)のアンテナ停止風速計と(58)のアンテナ絶縁温度計と(59)のアンテナ絶縁温度計と(47)のアンテナレンズライトと(1)のアンテナ超高速ダブル制御ダイナモモーターと(47)のアンテナレールモーターホイストダイナモブレーキこれら装置は、携帯波においては携帯電話によって全自動多機能電気トラクターデーターを携帯電話ですべてが見る事が出来て、(40)のアンテナ多機能電気トラクターの全自動セット修正を携帯電話から出来るシステムで有り、(18)の無線山岳ヘリコプター地図による(40)のアンテナ多機能電気トラクターの全自動チェック設定修正の出来る全自動システムの(40)のアンテナ多機能電気トラクターである。                     
2008年7月5日PM17時16分11秒軽い夕食炊事済ませ大雪山の変わらぬ白雲今も眺めし風もまた風大地もまた大地そして久しぶりの蝉の声美馬牛カンキチ
2008年7月5日PM21時34分11秒二度目の夕食再び書き始める美馬牛カンキチ。
【００６７】
図1の続きとして、(40)のアンテナ多機能電気トラクターの(9)のバックミラーと(10)のハンドルと(12)の座席椅子と(14)の超高低速切り換えレバーと(13)の衛生GPSアンテナと(23)のハンドルウインカー装置と(45)の作業機けい引用取り付け装置と(16)の前照灯ライトなどは、今までと同じトラクター装置と考えて良いと思われる。
【００６８】
更に、図1の(1)の超高速ダブル制御ダイナモモーターは、(3)の複数配線制御2連結以上モーターと(4)の電磁石制御レールモーターを(5)の超高速ダブル制御ダイナモモーター軸によって連軸接合されている。
更に(7)の軽水素圧電素子内蔵ダイナモ装置は、ダイナモ装置を半分にした構造に圧電素子体に軽水素を内蔵するか、練り合成処理した圧電素子が内蔵される構造で有る。
【００６９】
そして、(47)のアンテナレールモーターホイストダイナモブレーキで有り(7)の軽水素内蔵圧電素子内蔵ダイナモ装置で有り(66)の特殊ボルトナットのダイナモ固定型の割りピン止め装置を取り付けた構造によって、制御レールモーター大型ダイナモ端子金属ブレーキ装置によって制御出来るブレーキで有る。
【００７０】
図2に於いて(18)の無線三角位置地図の山岳ヘリコプター装置A,B,C,D,E,F,の6台の(18)山岳ヘリコプターの無線三角位置地図は、衛生GPS地図位置確認認識が作動出来る両面裏表CDの圧電素子磁気内蔵で有るため、チェック再チェック地図書き込みが出来る(18)の無線三角位置地図山岳ヘリコプター(A,B,C,D,E,F,)装置で有る。
【００７１】
図2に於いて(39)のレンズライト構造は望遠鏡逆さま構造の(19)のライト玉装置と(20)おおレンズで有り(21)のとつレンズ構造からなっており、(39)のレンズライトを上下させて(21)の突レンズの細い光りの位置制御調整を(4)の電磁石制御レールモーター装置で行う事が出来る(39)のレンズライト装置で有り、(55)の電熱線内蔵レンズである。
2008年7月6日8(日)AM11時47分57秒白雲の大雪山風の竜まだ火の竜と共に漂い地の竜再び水の竜再び解き放つ美馬牛カンキチ。0038の3行目から書き始める。
【００７２】
図3に於いて(2)の水発電機の無害無給油連続作動発電機で有り、(8)の10方向ライトカメラ装置で有り、泥跳ね防止のため、(63)の超小型コンプレッサーのエアーカーテン装置で有り雨と泥水跳ねを防止し雨と泥水を避ける事の出来る装置。          
【００７３】
図3に於いて(40)アンテナ多機能電気トラクターは(58,59,)はアンテナ停止温度湿度計は、(67)の電動四角仕切り弁装置によって、(40)アンテナ多機能電気トラクターが、停止している時だけ(67)の電動四角仕切り弁装置の二重底の蓋を開けて太陽光が、直接当たらない構造の上で外気温度と湿度測定を行うため、湿度計に使用する湿度計用水タンクも内蔵構造になっている。
尚、(53)のチエンジレバーで有り、(41)の前方作業灯で有り、(60)はウインカー装置で有り、(1)は超高速ダブル制御ダイナモモーター装置で有り、(2)の水発電機装置等の図3の図説で有る。
【００７４】
図4に於いて(18)無線三角位置地図内蔵の山岳ヘリコプター(A,B,C,D,E,F,)の試作実施の形態を説明する。
図4の(22)は山岳ヘリコプター(A,B,C,D,E,F,)のプロペラ装置で有り、(3)の複数配線制御二連結以上モーターは、内コイルの3連結させた細巻コイルによって上空安定停止位置に於いて24時間同位置連続作動出来る(26)の2連振り子型機械式発電機の(7)の軽水素圧電素子内蔵のダイナモ装置連続振り作動発電の電気エネルギーは、(25)の圧電素子4電子磁気分割装置によって省電気消費高速作動出来る(18)の山岳ヘリコプター(A,B,C,D,E,F,)無線三角位置地図装置の(3)の複数配線制御二連結以上モーター装置を省電気エネルギー消費可能な超高速上空安定停止位置の連続作動出来る(18)の山岳ヘリコプター(A,B,C,E,F,)装置で有る。
【００７５】
図4に於いて(18)山岳ヘリコプター(A,B,C,D,E,F,)無線三角位置地図装置は、上空安定停止位置連続作動に対しての位置すなわち(13)のGPSアンテナ置によって、(18)山岳ヘリコプター(A,B,C,D,E,F,)の二種類の位置の有り方すなわち、(18)山岳ヘリコプター(A,B,C,D,E,F,)無線三角位置地図出し方として(17)の送受信位置固定無線波送受信アンテナ装置からの電波を(18)の山岳ヘリコプター(A,B,C,D,E,F,)無線三角位置地図装置とは、裏表両面圧電素子磁気素子をCDの中間に敷き詰めたCDの裏表両面装置片面は、衛生GPS地図で有り、反対の片面CDは、(17)の鉄塔送受信アンテナ固定位置装置と更に(18)山岳ヘリコプターA,B,C,D,E,F,)無線三角位置地図の二つ目の固定位置24時間衛生GPS地図山岳ヘリコプター位置確認によって、二番目の無線三角地図位置確定になり、(40)のアンテナ多機能電気トラクターの(18)の山岳ヘリコプター(A,B,C,D,E,F,)無線三角位置地図誘導出来る装置で有る。
更に、山岳ヘリコプターの6台の装置の試作品実施の形態説明であり、山岳ヘリコプター6台それぞれは、(13)のトラクターGPSアンテナ装置設置で有りそれぞれが、衛生GPS装置位置を持っている為、非常手段としては二つの地図位置の一つだけでも連続作動出来る(18)の山岳ヘリコプター(A,B,C,D,E,F,)装置で有る。
【００７６】
図4に於いて、(18)の山岳ヘリコプター(A,B,C,D,E,F,)無線三角位置地図装置の(48)のアンテナ山岳ヘリコプターライトカメラの(40)のアンテナ多機能電気トラクターの(15)のカラー色ライトラインの(4)の電磁石制御レールモーター全自動カラー色ライトライン光固定位置設定による、(18)山岳ヘリコプター(A,B,C,D,E,F,)の(48)のアンテナ山岳ヘリコプターライトカメラの(40)のアンテナ多機能電気トラクターカラー色ライトラインカメラ焦点データー設定位置は、(48)のアンテナ山岳ヘリコプターライトカメラ内蔵の無線波送受信装置によって、(18)の山岳ヘリコプター(A,B,C,D,E,F,)無線三角位置地図とは別の地図位置の出し方として、(48)の山岳ヘリコプターアンテナライトカメラの焦点距離データー計測は、(48)の山岳ヘリコプター(A,B,C,D,E,F,)内蔵の両面裏表のCDの中心部に圧電素子磁気内蔵の地図位置データー書き込みチェックによって、(48)の山岳ヘリコプターアンテナライトカメラの電波送受信距離とアンテナライトカメラの(15)のアンテナ多機能電気トラクターのカラー色ライトライン設置カメラ距離データーチェック再チェック出来る(18)の山岳ヘリコプター無線三角位置地図装置の(48)の山岳ヘリコプターのアンテナライトカメラ焦点設定距離位置を(13)の山岳ヘリコプター内蔵のGPSアンテナ地図電気トラクターシステムによって(40)のアンテナ多機能電気トラクターの衛生GPS地図位置確認認識に対して(18)の山岳リコプター(A,B,C,D,E,F,)無線三角位置地図装置の(48)の山岳ヘリコプターのアンテナライトカメラの(40)のアンテナ多機能電気トラクターの(15)のカラー色ライトラインの(48)の山岳ヘリコプターのアンテナライトカメラ焦点位置の地図位置確認認識出来る(18)の山岳ヘリコプター(A,B,C,D,E,F,)無線三角位置地図のアンテナカメラ焦点距離位置のチェック再チェックアンテナライトカメラ焦点距離確認認識誘導設定作動システム説明で有る。
【００７７】
図4に於いて(18)の山岳ヘリコプター(A,B,C,D,E,F,)無線三角位置地図の(48)の山岳ヘリコプターアンテナライトカメラ焦点距離位置確認認識設定動システムは、(40)のアンテナ多機能電気トラクター内蔵の(15)のカラー色ライトライン装置が故障及びつまり、ライトの玉切れ故障対策として(18)の山岳ヘリコプター(A,B,C,D,E,F,)無線三角位置地図によって、(40)アンテナ多機能電気トラックター内蔵設置の衛生GPS装置電波位置を(18)の山岳ヘリコプターの(A,B,C,D,E,F,)それぞれの無線三角位置地図の衛生GPS電波位置確認認識によって、(40)のアンテナ多機能電気トラクターの(15)のカラー色ライトライン装置の故障に対しての対策として、つまり(40)のアンテナ多機能電気トラクターの(8)のアンテナ10方向ライトカメラ装置の(15)のカラー色ライトライン装置の玉切れに対しての(40)のアンテナ多機能電気トラクターカメラ全自動走行作業を再開開始する為に、6台有るうちの一台の(18)の山岳ヘリコプター(A,B,C,D,E,F,)無線三角位置地図内蔵装置の(49)の山岳ヘリコプターカラー色ライトライン装置を(40)のアンテナ多機能電気トラクターの衛生GPS電波位置に設定する為に(18)の山岳ヘリコプター(A,B,C,D,E,F,)の一台を位置全自動多機能電気トラクターGPS電波位置設定を行ってから、(49)の山岳ヘリコプターカラー色ライトライン装置システムを作動させて(8)のアンテナ10方向ライトカメラ装置のカメラダイオードカラー色ライトラインの玉切れチェック及び再チェックに対してアンテナ10方向ライトかめら装置のダイオードカラー色確認認識作動エラー対策全自動チェック再チェックシステム作動によって、(18)の山岳ヘリコプター無線三角位置地図装置の(A,B,C,D,E,F,)の一台の山岳ヘリコプターの衛生GPS電波位置を作動
させて、(40)のアンテナ多機能電気トラクターGPSと連動電波位置確認認識作動させて(40)のアンテナ多機能電気トラクターの(8)のアンテナ10方向ライトカメラの(18)の山岳ヘリコプター全自動地図設定追尾と(8)アンテナ10方向ライトカメラ装置のカラー色ライトライン全自動確認認識と再チェック再設定によって、(49)の山岳ヘリコプターカラー色ライトライン装置の全自動追尾設定チェック再チェック再設定全自動作動を行う事の出来る(8,15,48,49,)のアンテナライトカメラ全自動設定チェック再チェック再設定全自動作動出来る(40)のアンテナ多機能電気トラクター玉切れ故障全自動対策の全自動チェック及び再チェックの全自動再開システムの説明である。
更に、6台の(18)の山岳ヘリコプター無線三角位置地図装置を一台はずして5台設定作動の(40)のアンテナ全自動多機能電気トラクター作動移動作業が、携帯電話ボタン設定の全自動作動が、可能になりアンテナリモコン無線装置などによって、ボタン全自動設定可能な(40)のアンテナ多機能電気トラクターシステムで有る。
更に、(18)の山岳ヘリコプターの無線三角位置地図装置の次に向かう場所の(18)の山岳ヘリコプターの無線三角位置地図装置の上空山岳ヘリコプター位置と危険箇所の事前の(27)のアンテナ送受信装置の携帯波装置などによって、アンテナライトカメラ全自動撮影を可能にした(18)の山岳ヘリコプター(A,B,C,D,E,F,)無線三角位置装置の携帯波全自動設定作動出来る装置。
2008年7月6日PM20時46分26秒眠くなり2時間近くうた眠する美馬牛カキンチ。
【００７８】
図4の(18)の山岳ヘリコプター(A,B,C,D,E,F,)の無線三角位置地図の(62)は足型アンテナで有り、無線波の送受信キャッチ体でも有り、(27)は、携帯電波送受信アンテナ装置で有り、(50)はアンテナ超小型磁波計測装置で有り磁波の情報を24時間データー連絡出来る装置で有り、ゲルマニュームラジオ磁波波データーダブル計測24時間連絡無線波連絡装置によって、地震予知情報の活断層地震予知事前連絡に役立てる事を目的としている。
【００７９】
図4の(58)のアンテナ絶縁温度計と(59)のアンテナ絶縁湿度計は、(67)の電動仕切り弁構造の中に設置されており(18)の山岳ヘリコプターA,B,C,D,E,F,)が、作動して空中に全自動位置安定連続作動すると(67)の電動仕切り弁構造の中に設置されておる電動仕切り弁蓋が全自動で開く構造になっている。
【００８０】
図4の(51)はアンテナ太陽光度計ソーラーパネルセンサーは炭素シリコン軽水素内蔵パネル構造のアンテナ太陽光度情報24時間無線波連絡装置で有る。
【００８１】
図4の(8)のアンテナ10方向ライトカメラ装置は、10個のライトとカメラ構造を備えたアンテナライトカメラ装置で有り、炭素シリコン軽水素ソーラーパネル装置で有る。
【００８２】
図4の(15)及び(49)のカラー色ライトライン装置の構造は、(29)の突レンズで有り(28)のおおレンズで有り、(61)のカラー色クリスタルガラスで有り、そして(30)のライト玉装置で有り、カラー色ライトライン装置のカラー色光の光り角度上下調整構造は、(4)の電磁石制御レールモーター構造で有り、(15,49,)のカラー色ライトラインの細いカラー色ライト光の角度距離設定を、(40)のアンテナ全自動多機能電気トラクターシステムによって、太陽光度量全自動測定全自動作動出来る(15,49,)のカラー色ライトライン装置説明で有る。
【００８３】
図5の(8)のアンテナ10方向ライトカメラ装置のテレポーテイションカードは、(31,32,33,34)は、テレポーテイションカメラ画像被写体で有り(35,36,37,38,)は、テレポーテイションストック画像のダイオード形状認識確認カード装置である。
従って、(8)のアンテナ10方向ライトカメラ焦点画像認識カメラ装置回線に接続されている(35,36,37,38,)は、あらかじめカメラ被写体画像のダイオード光形状認識確認用のカードとして(8)のアンテナ10方向ライトカメラ装置の全自動カメラ焦点被写体認識確認IC回路 構造として内蔵されておる(8)アンテナ10方向ライトカメラ装置説明で有り、(31,32,33,34,)のアンテナ10方向ライトカメラ装置画像被写体をカメラ被写体画像ダイオード形状認識確認する為に、全自動カメラの焦点被写体認識確認IC回路にテレポーテイションストック画像ダイオード形状認識確認カード装置の(35,36,37,38,)に全自動カメラ焦点の被写体画像ダイオード形状認識確認全自動作動出来る(8)のアンテナ10方向ライトカメラ装置システムで有る。
【００８４】
図6の説明に入る。
図6の(65)のパネルメーター装置で有り衛生時計時間によって管理される(46)のスピードパネルメーター装置で有り、(57)のアンテナ停止地震作動時間記録計で有り(58)は、アンテナ絶縁温度作動時間記録計で有り(59)は、アンテナ絶縁温度作動時間記録計で有り(51)は、アンテナ軽水素炭素シリコンーラーパネル停止太陽光度作動時間記録計で有り(50)は、アンテナ磁波計測作動時間記録計で有り(52)はアンテナ停止風速作動時間記録計で有る。
2008年7月6日PM23時55分37秒メーターの図面書きで今日はここまでで終わる美馬牛カンキチ
2008年7月7日AM10時30分39秒図面追加と美馬牛市街地風の竜が騒ぎ大雪山白雲につつまれしひっそり、地の竜と水面の水の竜二つの竜はひそかに眠る。
【００８５】
図6の(54)作業機チエンジレバーで有り(41)前方作業ライト灯で有り(42)バック作業問ライト灯で有り(45)作業機けい引用取り付け部である。
【００８６】
図7の(58)はアンテナ絶縁温度計で有り最高温度時間と最高温度分と最低温度時間と最低温度分と現在温度計に別れる。
次に(59)はアンテナ絶縁湿度計で有り最高湿度時間と最高湿度分と最低湿度時間と最低湿度分と現在湿度計に別れる。
そして、(50)は、アンテナ磁波計測装置で有り最高磁波時間と最高磁波分と最低磁波時間と最低磁波分と現在磁波量計に別れる。
そして、(51)は、アンテナ太陽光度量計装置は最高光度量時間と最高光度量分と最低光度量時間と最低光度量分と現在太陽光度量計に別れる。
そして、(52)は、アンテナ停止風速計で有り最高風速時間と最高風速分と最低風速時間と最低風速分と現在風速度計に別れる。
そして、(57)は、アンテナ停止地震計で有り最高地震時間と最高地震分と最低地震時間と最低地震分と現在地震度数計に別れる。
これら、上記に掲げたパネルメーターは、(40)アンテナ多機能電気トラクターの自然環境計測装置を備えて実施する事で、自然災害を事前予知する事よって自然災害の死亡率を下げる効果を発揮する。
先知的所有財産発明の経緯
先知的所有財産発明の経緯とは、特許法第一条では、発明考案の保護を、特許法で謳い発明の利用を図る事と書きながらの特許187条では、特許表示義務まで至ってないそればかりか、特許法の特許庁職員言い分は、先発明より後の発明に対して他の人間が発明の特許提出を、先発明者の特許提出を、特許庁にした場合、先発明横領が、特許法で、認められる。金の無い弱者に対しては、金と暇がなければ、特許提出など、いつになるかは解りませんなの言い方も聞こえてくる特許庁の平等な人権になっていない、特許提出と特許認定と特開公開表示義務つまり先知的所有財産権の公開義務を、行わない特許庁のため、誰がいつ何処でどの様に発明したのかも、解らない状態のまま、弱者に先知的所有財産発明考案日の個人調査つまり、弱者に金を遣わすだけの特許法しか書かない、エリート大学出の考え方を、公開のテレビ局などで、個人それぞれから、話を聞く時代が実際に来てしまった事。
この事を踏まえて、現在まで、一般国民の著作権取り扱いは、国に証拠として、著作権請求しなければ他のものは、いくらでも真似をする傾向が、明らかであった。
1999年頃の4月末のNHKテレビ放送で、政治家が現在の子供達に今までの国と都道府県市町村の全額借金返済させるのテレビ発言で墫野和夫が、先知的所有財産の内の発明と考案の略図及び文章を、北海道知事に郵便手紙確認保管してもらう。この事は信用の有る民主党本部共産党及び朝日テレビなどにも、現在の子供達に借金苦を、味合わせないために、行った事である。
先知的所有財産公開提出の意図
特許法第79条(先使用による通常実施権)とは
特許出願に係わる発明の内容を知らないで自らその発明をし、又は特許出願に係わる発明の内容を知らないでその発明をした者から知得して、特許出願の際現に日本国内に於いてその発明の実施である事業をしている者又はその事業の準備をしている者はその実施又は準備している発明及び事業の目的の範囲内に於いて、その特許出願に係わる特許権について通常実施権を有する。
特許出願に係わる発明の内容を知らないで自らがその発明をしとまず特許法に書かれているが、特許出願作品に対して特許庁が、出願と同時に審査請求つまり、同一特許作品を、いち早く特許庁は、職権義務公開しなければならないと言える。理由として、発明考案つまり、知的財産とは、先発明及び先考案及び先知的所有財産者が、同一の後発明又は後考案又は後知的財産によって先発明及び先考案及び先知的所有財産を、超えた同一発明の利益は、横領としか考えられない。
理由として、言い換えれば特許切れ又は著作権切れの先知的所有財産物に対して同じものを、作っても現在の法律では、違法とは、書いてないが、同一先知的財産権期限切れ商品を、複数の者が作った場合、国の財政経営に対してインフレとデフレを、同時に二つ作る事となり、知的所有財産権期限切れの商品を、国が作って国民全員に平等に配布しない限り所得の不平等の激しさはなお一層増す事となるおそれがある。
特許の内容を、知らずに出す事は、許される行為と書くならば、発明に対して先発明を、優先し先発明の保護の方法として、郵便物の領収書の改革として、相手の住所と氏名が、印刷されるべきである。
この方法は、発明考案印刷物郵便封筒日付確認の他、衛生時計時間の郵便物領収書を、作る必要がある。2008年5月1日AM1時9分美馬牛市街地自宅にてニャン カンキチ 
付け加えるならば、家に買いだめ切手又は他から戴いた切手などのポスト投函に対して証拠を、残す観点から、はがき又は封筒の表裏を、読み取って記録して、ポスト投函証明書を、発行出来るポストが未来社会では、こうなってほしい。ただし安いポストに限る。
インターネット発明先提出の場合、衛生時計文書自動書き込みのパソコンとポストを、国が国営の会社として作るべきである。
先発明及び先考案及び先知的所有財産の郵便物送付目的意図2008年5月1日21時3分自宅美馬牛
知的所有財産とは、発明及び考案及び植物の新品種、意匠、著作権物その他の人間の創造的活動により生み出されるもの(発見又は解明かされた自然の法則又は現象であって産業上の利用可能性があるものを、含む。)。商標、商号その他事業活動にもち入れられる商品又は役務を表示するもの及び営業秘密その他の事業活動に有用な技術上又は営業上の情報を言う。確かに上記に述べたのが知的財産であるが、先発明日及び先考案日又は先意匠又は先著作権などの、日付が明白でなければ、現在の子供達に、国会議員が、国と地方の全額借金返済させる事を、国会議員が、テレビカメラの前で、言った事は、事実であった。
この事実に対して墫野和夫が、先発明及び先考案及び先意匠の事実を、郵便封筒日付消印永遠保存によって現在の子供達及びこれから、生まれてくる子供達を、救う事が、出来ると考えたからである。
先知的所有財産の個人先発明財産証明の現行2008年の法律と先発明と先考案保護に一番近い特許法の法律文書解釈
現在の特許庁職員の職務として、特許法第一条は、完全に発明の保護と考案の保護が、書かれている事実であっても、特許法39条(先願)同一の発明について異なった日に二つ以上の特許出願が、あった時は、最先の特許出願人のみが、その発明について特許を受ける事が、出来る。  
上記の特許法第39条(先願)に対して検証して見ます。
同一の発明について異なった日に二つ以上の特許出願が、あった時は最先の特許出願人のみが特許を、受ける事が出来る。この場合特許提出が、異なった日であるから、先提出が、特許認定なのは、正しい。だが、同一発明の場合、先に発明していた事が、明らかに証明一例では、既に公開していて、他の者に先特許提出された事で、先発明の先知的所有財産の先発明権利を、失うとするならば、この世の中は、金があれば、後発明でも、貧乏人より、先に特許提出した者が、先知的財産言うなれば先発明の権利を、後発明が、奪う事となれば、莫大な先知的所有財産の横領又は奪う行為を、許す特許法になってしまうのが、残念である。
【図面の簡単な説明】
【００８７】
【図１】アンテナ多機能電気トラクターの前と横と上の装置説明図
【図２】山岳ヘリコプター6台と鉄塔無線送受信アンテナ三角点位置地図装置説明図
【図３】アンテナ多機能電気トラクターの上から見た図と超高速制御軽水素圧電素子内蔵ダイナモ装置及びレールモーターホイスト制御ブレーキと特殊ボルトナット説明図
【図４】山岳ヘリコプター構造説明と10方向ライトカメラとカラー色ライトライン装置図
【図５】テレポーテイションカード説明図
【図６】アンテナ多機能電気トラクターの中央及び後方図
【図７】絶縁温度計及び絶縁湿度計及び磁波計測装置及び太陽光度量計装置及び安定風速計及び停止地震計の説明図 2008年7月9日AM9時47分50秒原本図面280枚つまり280項目容易するのに今まで掛かる美馬牛カンキチ     2008年7月9日昼12時22分42秒白雲の大雪山風もまた風失われし日差しもまた時既に半分過ぎ旅人の語らいも又、木の精ともに再び四つの竜そして最後の五つ目の竜を待つ美馬牛カンキチ
【図８】2001年5月10日北海道庁広報広聴第3ー37号の墫野和夫の先知的所有財産の郵便物受理書図 2008年7月9日PM13時14分7秒昨夜の中コイル改善型モーターを北海道知事宛てに先知的所有財産を出して来る美馬牛カンキチ。
【図９】2001年5月7日頃墫野和夫が、北海道知事にこの頃既に北海道庁の借金全額返済の為(北海道経営すなわち借金全額返済の為の予定会社を2000年頃そして、2001年2月4日〜6日頃から2001年4月26日頃まで200件〜300件近くの先知的所有財産に対して一切書いてない財産を含めて2000この頃から北海道の財政がとんでもない事に成りつつ有った頃また1999年2000年頃当時のIDO電話会社に手振り式の発電池と充電出来る携帯電話の充電池半分の電池を半分の電池を半層電池となづけて、当時余り良くならない時代と企業社会に対して改善を求めるため、試作品として当時のIDO電話会社の返信用はがきに書いて出していた事実でもあっが、IDO電話会社から先発明者の墫野和夫に連絡がない為墫野和夫が、手振りダイナモ発電の充電池充電式発電池の知的所有財産の返還を求めた手紙も、当時のIDOの社長に出していた手紙の内容をコピーした図78のIDO電話会社に断りの手紙を出して有った手紙のコピー図面。 従って、2001年5月9日北海道庁知事へ、先知的所有財産の後書きなどを含めて当時北海道庁と一緒に北海道の全額借金返済に対しての計画場所を示した図。2008年AM10時51分10秒美馬牛市街地晴れ、当時のIDO電話会社の断りの手紙の封筒探すが見つからず無駄な日にち2日過ごす。
【図１０】2001年5月2日既に水を真空装置または電熱線を使用して気化させた酸素と水素の混合融合物質を、(豊田自動車株式会社製の燃料電池に使用する固形水素を使った連続発電方法を使用し更に、水を水素と酸素に分ける後書き途中図。
【図１１】2001年5月2日既に、水を真空装置そして、この図では電熱線を使用した発電方法の途中図。
【図１２】2001年4月30日後書きの永久電池で有り現在の自動電池の後書き原本で有り、手振りダイナモ発電池では、時計のセイコウなどが有るが、2001年2月16日NHK放送の豊田自動車株式会社の固形水素燃料電池発表と本田自動車の液体マグネシウムの燃料電池発表の日2月16日燃料電池の発電後の残水すなわち、水を真空装置で、再び瞬間気化する技術を知っていた為、更に瞬間気化した酸素と水素の融合体発電に対してバッテリーだけでは、電気不足になる理由として、この頃は急速充電技術が、なかった為、真空装置作動と水中ポンプ作動と電動仕切り弁作動に対して電気不足になるのが、はっきりしていた此の頃の現状で有った。その為、1978年墫野和夫が、20代頃現在のセイコウ時計の原型自動巻時計を改良した、ダイナモを振る事で、電気を発電させる技術が、既にこの頃先に考案してた為更に、IDO電話会社では、2000年頃手振りダイナモ発電した電気を半分の電池を使用して急速充電した電気を、携帯電話に使用する発電方法手段を利用して携帯電話使用する技術が、先にここまでは技術的に知り得ていた事実。従って、燃料電池改良型の永久発電に対して補助発電方法として、手振りダイナモ発電とは、丸っきり異なる新技術として、ゼンマイの作動エネルギーと電池の作動エネルギーを使用した振り子装置回転作動の全自動で振り子作動エネルギーによって薄型ダイナモ回転作動発電する連続した発電技術を永久電池として略図として残して有った現在の自動電池または自動充電池の図283の原型永久電池の後書き原本図を改良した永久電池後書き原本図。
【図１３】2001年5月1日の5連結コイルモーター現在の2連結以上モーターの原本図とエアー電磁石反発吸引ホイスト図とこの頃永久発電機の発電量能力がわからい為、永久発電機を乗せたブルの後ろに更に補助永久発電機を乗せたこの頃の試作品なしの永久発電機発電量の利用方法をなどを示した図。
【図１４】2001年5月の先発明原本で有り図12の永久発電池つまり、現在の自動電池と現在の自動充電池を使用したヘリュームガス気球に上昇プロペラと水平飛行プロペラを取り付けたリモコンモーターの衛生位置確認携帯波送受信装置内蔵の衛生位置確認装置付きの気球カメラヘリコプター説明図。
【図１５】2001年5月22日北海道庁広報広聴第3ー54号の墫野和夫の先知的所有財産原本の受理書図。
【図１６】2001年5月18日(金)岩内トンネルでのレールモーター2001年2月から3月に掛けてのレールモーター電磁石磁気切り換えによる作動モーターの先考案先発明原本の後書き図。
【図１７】2001年5月の大型永久発電機つまり、現在の水発電機を使用で有り、モーターは、2001年5月1日図13の現在の2連結以上モーターのモーターコイル2コイル連結更に3コイル連結更に4コイル連結モーターを積載したトラクター原本説明図
【図１８】2001年8月27日北海道庁広報広聴第3ー187号の墫野和夫の先発明原本郵便物受理書図。
【図１９】2001年6月2日永久発電機つまり現在の水発電機の後書きの略図原本説明図
【図２０】2001年6月3日永久発電機を使用した場合、無害無給油連続発電機の為、税収不足になる明白な事実を踏まえて電気消費を記録出来る磁気カードなどを永久発電機に取り付けた無害無給油発電機電気消費カード記録機能で有り、電気税カード及び電気消費カードとしている文章電気税カードと電気消費カード説明図。
【図２１】2001年6月3日永久発電機等を使用した電気自動車バンパで有るが、今後トラクターにも衝撃吸収型バンパ使用予定の鋼鉄製スプリングバンパ説明図。
【図２２】2001年6月5日のレールモーターホイストの原型図で有り、磁石ホイストと明記して有る図16のレールモーターに次いで2回目のレールモーター原本図そして図27と図28のレールモーター3度目の原本図そして図53のレールモーター説明図で有り図57のレールモーター使用説明図で有り図58のレールモーター説明図であり図63のレールモーター説明図の一部レールモーター原本説明図。
【図２３】2001年6月8日の永久電池消費カードつまり現在の自動電池消費カードと自動充電池使用費税カードの有り方を書いた自動電池税カードの原本説明文章図。
【図２４】2001年8月29日の北海道庁広報広聴第3ー192号の墫野和夫が出した先知的所有財産または先発明郵便物受理書図。
【図２５】2001年7月22日に書いて有った永久発電機等の地震及び振動吸収材説明図。
【図２６】2001年7月22日に書いて有った永久発電機に取り付けられる震動吸収装置とコンクリート地盤に取り付けられている震動吸収装置後の壁など取り付け型地震計装置等に使用されたり震動を、防止する為の震動防止説明図。
【図２７】2001年7月22日に3回目のレールモーター作動構造原本説明図。
【図２８】2001年7月22日に3回目のレールモーターのリレー装置と電磁石切り換え装置によって作動させる事の出来る棒状レールモーター装置と円形レールモーターの作動構造説明図。
【図２９】2001年6月29日の衛生カメラ複数カメラ事すなわち山岳ヘリコプターの複数カメラシステムと地上においての山岳リモコンヘリコプター複数カメラ等から送られた複数画像を映像処理出来るシステム説明文章図。
【図３０】2001年6月29日デジタル装置またはノーマルカメラ装置に於いて被写体ストックカードに自分の好きな人及び自分の好きな動物及び自分の好きな物をあらかじめデジタル信号処理ストックカード及びノーマル信号処理ストックカードこれらの画像を、これから写そうとするデジタル写真とノーマル写真に予めストックしてあった自分の好きな被写体をこれから写そうとする写真にデジタル合成写真としてまたは、ノーマル合成写真として取りこめるフイルムカメラ構造と異なったカメラ合成写真技術説明文章で有り、これをテレポーテイションカメラ機能のテレポーテイションカメラ技術説明文書図。
【図３１】2001年6月に書いて有った電気トラクターつまり永久発電機すなわち無害無給油水発電機によってもたらせられる国税収入または地方税収入不足から来る農業危機に対しての農業危機対策など硬化プラスチックハウス文章説明図。
【図３２】2002年2月21日北海道庁広報広聴第3ー368号の郵便物先知的所有財産の受理書図。
【図３３】2001年10月4日PM21時3分先発明先考案の山岳ヘリコプターの複数ライトカメラ及び複数の望遠鏡の画像電波を、確認して安全ルートを携帯波画像連絡及びナビゲイション地図書き込みルートして相手に全自動で、道程とルート位置を知らせ、ナビゲイション誘導出来る装置文書説明と機械式発電機または、永久電池に使用する電子レンジシステム構造を活用応用した電子発生装置と後の説明の全自動ゼンマイ巻き取り装置及び機械式発電機作動説明文書図。
【図３４】2001年10月3日永久発電機を水発電機に名前を改め水発電機の作動手順文書説明図
【図３５】2001年10月2日機械式発電機及び永久電池つまり現在の自動電池及び自動充電池の振り子装置の反復作動による歯車ダイナモ回転作動と電子電気変換電気増幅装置によって、振り子装置の反発力を最高反復作動まで、連続作動によって振り子歯車作動回転を上げて行きながらダイナモ回転作動数を上げて連続振り子作動発電する機械式発電機構造を説明した文章説明図。
【図３６】2001年10月2日機械式発電機の作動説明と圧電素子電磁石応用の文書説明図。
【図３７】2001年10月2日機械式発電機の電子レンジの反対の力の作用の利用応用は、2001年5月17日岩内トンネルにて先考案応用と先発明応用の後き書き説明図。
【図３８】2001年10月2日機械式発電機を使用した水発電機の水に水素を予め多く入れて置く技術によって、水発電能力を高め、更に発電のムラを少なくする為の対策として2001年7月頃先考案応用技術及び先発明応用技術の後書き説明文章図。
【図３９】2001年10月2日永久電池を自動電池と改め永久発電機を水発電機として改め更に、電気税と電池税によっての生活安定を計る事を更に決意させたこの頃の文章説明図。
【図４０】2001年10月2日の後書きモーター説明で有り2001年6月か7月のモーターコイル板中抜き技術説明で有り、此の後モーターコイル板中抜き技術は、軽水素圧電素子内蔵板に薄いステンレス板を被せたモーターコイル板説明へ進化する為の技術後書き説明図。
【図４１】2001年10月2日この頃は、モーターコイルを増やす連結技術が、精一杯のため、モーター外壁構造を二重構造にして更に液体窒素内蔵の新技術として2001年6月から7月に2連結以上モーター二重構造の冷却材入り複数コイル連結の二連結以上モーターの後書き冷却材入りモーター説明文書図。
【図４２】2002年3月22日北海道道庁広報広聴第3ー410の先知的所有財産郵便物受理書図。
【図４３】2002年3月7日電気自動車の運転助手席及び後部座席前側にエアークッション取り付け先付け二重エアーバックの取り付け型とマスコットゴムエアークッションを取り付けによって幼児を守る方法説明図。
【図４４】2002年3月19日トラクター作業機ロボットアタチメントに対してレールモーターホイスト使用と、スクリューモーターホイスト使用と後部ダブルライト使用説明図。
【図４５】2002年3月22日アンテナ電動仕切り弁カラー色ライト連絡装置説明点滅方式有り、山岳ヘリコプター貯蓄タンク式又はホース式の全自動洗車装置。
【図４６】2002年8月7日北海道道庁広報広聴第3ー136号先知的所有財産郵便物受理説明書。
【図４７】2002年8月1日鋼鉄ダイナモの中に圧電素子を入れたダイナモ説明と後の軽水素合成に至る磁気体(圧電素子磁気体)とイオン合成すなわち後の軽水素と圧電素子磁石合成技術にたどり付く為の圧電素子磁気体と軽水素イオン合成に繋がる文章説明図。
【図４８】2002年8月1日圧縮水を使用した水発電機説明と2001年7月末先考案後書きの固形水素を外壁そして液体マグネシウムを内部構造にした針穴付きの合成水素文章説明図。
【図４９】2002年8月1日水発電機に使用される水に水素を入れて発電した場合通常水発電より、発電室内の温度が上がると言う水素を水に足した水発電機文章説明図。
【図５０】2002年8月2日の後書き原本説明として、2001年2月から3月頃確かに2001年2月16日確かに電磁石反発作動の自動巻き時計ダイナモ振り子発電装置に切り換えた日でも有った、実際に時計部品は使用されないが、まだこの時は通常ダイナモ発電で有り、電磁石反発作動発電には、部品が足りない状態で有り、しいて言えばソーラーパネル付き自動電池でも、発電不足の恐れが有るため、水発電機使用の大型自動電池でも、電気不足が、懸念されるのも、この頃の自動電池は、発電負けになる為、2001年5月に入ってから水素ニッケル充電池ならば、急速充電可能で有る事が、解りこの時は、電子レンジ反対作用の応用技術電気供給を多くする事の出来る装置と短い時間で、充電出来る水素ニッケル充電池と水素ニッケルバッテリーによって、自動電池と機械式発電機の完成を見るはずだったが、水素ニッケルが、高い料金の情報が、入り後の軽水素ニッケル充電池などの先考案先発明技術が、急がれていたのも特許料たかしはいつの世も同じの言葉が返ってきそうで有る。その為、水発電機つまり永久発電機は2001年2月〜3月にかけての真空装置使用の永久発電機は、どうしてもバッテリーが、多く必要視されていたのも、の頃の発電技術不足は、バッテリー充電を長距離トラックに依頼しなければ出来ない永久発電機で有り、水発電機でも有った。ただし水素ニッケル充電池は、永久発電機を完成近くまで、持って行き、中学の頃から家庭内に有った電子レンジの応用技術が、永久発電機の完成へ導き、一度電力のメドが、付くと一般生活応用学問によって、技術進歩する水発電機文章説明。
【図５１】2002年8月14日北海道庁広報広聴第3ー140号この頃北海道知事に1999年〜2000年頃、当時の堀辰也北海道知事に、北海道の借金全額返済依頼を墫野和夫の先知的所有財産依頼していたが、現在に至っても北海道庁から北海道全体の借金返済受理受託報告の連絡が、事実上ない状態で有る。現在の国と地方の借金苦を一日も早く取り、除く段取りは、2008年7月10日現在は、知的所有財産書きまでが、段取り済み。不思議な事で、日本の国官庁の特許庁は、拒絶理由だけで、終わらせ海外先行技術調査すらしてくれない意味不明の先発明保護に至らない対応と国と方が実際上借金苦に困っていても、海外先行技術調査しない理由が解らない文章説明図。
【図５２】2002年8月27日北海道道庁広報広聴第3ー147号先知的所有財産郵便物受理書図。
【図５３】2002年8月23日レールモーターの二列作動を書いて見たがスプリングゴムはやはり劣化する為その為強化スプリングゴムでもやはり今では、電磁石反発作動振り子式以上ここでは、これらの装置は、代替え部品としかならない。そして、ハンドルにナビゲイショスイッチが付けられない場合の笛型ナビゲイションスイッチは、笛の吹く音域の場所で、ナビゲイションスイッチ切り換え技術によって、ナビゲイションスイッチは、切り換え可能になる文章説明図。
【図５４】2002年8月24年電気テイラーの説明で有るが、図50の説明でも有るが、2001年の2月から3月に掛けて当時現在の水発電機すなわち永久発電機の電気エネルギーが、不足気味になるのを懸念して水発電機テイラー当時の永久発電機にコード巻き取り型リールをテイラーに乗せた永久発電機テイラーから始める予定でも有ったこの頃の水発電機つまり当時の永久発電機構造説明で有り、電気はわずかで良かった水発電機の当時の永久発電機文章説明図。
【図５５】2002年9月4日北海道道庁広報広聴第3ー155号この当時北海道が動かない為、水発電機の特許文章を自分で書いて出願番号が届いた事を知事に連絡した事実説明文章図。
【図５６】2002年9月26日北海道庁広報広聴第3ー183号先知的所有財産の郵便物受理書図。
【図５７】2002年9月9日手振り式発電方式の圧電素子3連鉄球手振り発電後の軽水素内蔵圧電素子鉄球発電池の構造説明図とレンズソーラーパネル充電方式の自動電池後の軽水素内蔵ダイオードのレンズソーラーパネル装置説明図。
【図５８】2002年9月12日まだこれでも、不完全ながら連続作動発電するレンズソーラーパネル機械式発電機仕様の機械式発電機と漸く圧電素子4電子磁気分割装置技術先発明先考案技術開発に至るが、この事で充電池の心配が、なくなりこの頃は、圧電素子内蔵のダイナモ装置によつて、更に単独機械式発電機の発電力は、アップされる事を説明した圧電素子本来の能力使用技術の文章説明図。
【図５９】2002年9月19日圧電素子の磁気分割の部分名称説明によって、既に電気抵抗は、圧電素子磁気分割技術によって、取り合えづ電気抵抗を取り除き成功までの文章説明図。
【図６０】2002年9月22日電熱線使用の水発電機説明で有る。従って水素を足す技術でなく予め水発電機内の空気を最初から少しだけ抜く技術説明の事を気圧を下げるの書き方になって入る。更に、圧電素子4電子磁気分割にに発電した電気を通して陽電子電気と陰電子電気だけ、発電自給エネルギーとして圧電素子中間陽電子電気と圧電素子中間陰電子電気を電熱線用に考えて見た電熱線使用の低い温度で、沸騰発電させる事を考えた水発電機装置文章説明図。
【図６１】2002年10月2日北海道庁広報広聴第3ー188号先知的所有財産の郵便物受理書図。
【図６２】2002年9月19日圧電素子中間電子つまり、圧電素子中間陽電子と圧電素子中間陰電子の熱エネルギー電気の処理方法としてつまりダイオード熱吸収発電を行うリサイクル発電技術紹介説明図。
【図６３】2002年9月28日圧電素子内蔵ダイナモ金属を回転作動する場合の最高圧力圧電素子内蔵のダイナモ金属または、同等の鋼鉄金属の中に圧電素子を縦に二重に入れた構造説明図。
【図６４】2002年9月29日山岳ヘリコプター電波中継装置としての空中GPSリモコン位置安定山岳ヘリコプター技術説明図。
【図６５】2002年9月30日圧電素子磁石体の磁気書き込みとガラス板圧電素子磁気磁石体粒子書き込み技術と電話スキャナ後の軽水素内蔵スキャナ技術。レールモーター超望遠レンズ文章紹介図。
【図６６】2002年10月9日北海道庁広報広聴第3ー193号先知的所有財産の郵便物受理書図。
【図６７】2002年10月1日小型風車発電機風速計の設置場所を地形の風気流計測地にそれぞれ設置この場合、山岳ヘリコプター温度カメラ設置予定による地温24時間計測と磁波計測機とソーラーパネル太陽光度電気量測定装置などの説明図。
【図６８】2002年11月5日北海道庁広報広聴第3ー249号先知的所有財産の郵便物受理書図。
【図６９】2002年10月20日水発電機に対して固形水素と液体マグネシウム物質発電交渉が出来なかった場合銅板の先に炭素物質体つまり、酸素と水素の弱冠吸収体に圧電素子陽電子素子体プラス電気と圧電素子陰電子マイナス電気に対して静電気の圧電素子プラス陽電子静電気流体と圧電素子マイナス陰電子静電気流体の接合発電が、電気学問上装置が有れば成立する電気学問上の説明図。2008年7月10日PM23時43分16秒この変で無理か不可能かもう一度静電気図69に挑戦。2008年7月11日PM15時32分53秒超ミクロ静電気装置までのを書いて道庁保管したがまだしっくり来ないのは他の装置を見つけなければ電気のミクロを制する一歩なのか。
【図７０】2002年10月27日 トラクターカメラのテレポーテイションカメラ装置等説明図。2008年7月11日PM19時59分43秒旭川買い物をしてハローワーク遅れる。美馬牛カンキチ
【図７１】2002年10月27日電気トラクターのテレポーテイションカメラ確認と磁気カードデーター書き込みその他説明。
【図７２】2002年10月27日磁気地図データー書き込みとカメラ確認と圧電素子磁気書き込み説明文書図。
【図７３】2002年10月29日真空装置を使用しない水発電機説明文章図。
【図７４】2002年10月30日水発電機沸騰水型説明図。
【図７５】2002年10月30日水発電機の沸騰水発電方法のニクロム線内蔵金属板説明図。
【図７６】2002年10月30日水発電機第1号機説明図。
【図７７】2002年10月30日機械式発電機の有り方説明図。
【図７８】2002年10月30日手振り発電池のIDO電話返信用はがきの説明図。
【図７９】2002年12月4日北海道道庁広報広聴第3ー274号知的所有財産受理書図。
【図８０】2002年11月28日永久電池2001年5月~6月の説明図。
【図８１】2003年1月29日北海道道庁広報広聴第3ー332号知的所有財産受理書図。
【図８２】2003年1月6日水発電装置除雪車説明電熱線ライト説明図。
【図８３】2003年1月6日電気ヘリコプターコンプレッサーエアーで雪を飛ばす方法説明図。
【図８４】2003年2月25日北海道庁広報広聴第3ー364号先知的所有財産郵便物受理書図。
【図８５】2003年2月21日水中ポンプと真空装置を使用せず電熱線電動フアンモーターだけで連続発電する事の出来る水発電機説明図。
【図８６】2003年2月21日電熱線金属パネル蒸気と噴水ノーズル式水発電機説明図。
【図８７】2003年2月15日水発電機電熱線説明図。
【図８８】2003年2月17日水発電機二重構造説明マホービン説明図。
【図８９】2003年2月13日水発電機電動仕切り弁作動調整説明図。
【図９０】2003年2月15日水発電機電気誘導発電説明文章図。
【図９１】2003年3月25日北海道道庁広報広聴第3ー396号先知的所有財産郵便物受理書図。
【図９２】2003年3月25日水発電機電熱線金属パネル又は電子発生装置使用説明図。
【図９３】2003年3月25日水発電機の説明図。
【図９４】2003年3月25日水発電機の別の発想説明図。
【図９５】2003年3月25日水発電機の別システム説明図。
【図９６】2003年3月12日水発電機の別システム説明図。
【図９７】2003年3月16日水発電機の別システム説明図。
【図９８】2003年2月9日水発電機の別のシステム説明図。
【図９９】2003年2月9日水発電機の別のシステム説明図。
【図１００】2003年2月9日水発電機の別のシステム説明図。
【図１０１】2003年2月9日水発電機の別のシステム説明図。
【図１０２】2003年2月9日水発電機の別のシステム説明図。
【図１０３】2003年4月15日北海道庁広報広聴第3ー13号郵便封筒物先知的所有財産受理書図。
【図１０４】2003年4月1日地震情報及び海底火山温度情報などの携帯波情報連絡方法説明文章図。
【図１０５】2003年4月1日風速計及び海底温度計及び地温測定などの連絡方法説明文章図。
【図１０６】2003年4月1日火山噴火予知システムの概要説明図。
【図１０７】2003年4月1日雲の濃度センサー及び山岳ヘリコプター等のワイヤー落下傘等飛行機GPS必要制説明図。
【図１０８】2003年4月1日アスフアルト温度及び空気湿度などの連絡方法説明図。
【図１０９】2003年4月9日別の水発電機試験用説明図。
【図１１０】2003年4月18日北海道道庁広報広聴第3ー15号郵便物先知的所有財産受理書図。
【図１１１】2003年4月22日北海道道庁広報広聴第3ー20号郵便物先知的所有財産受理書図。
【図１１２】2003年4月19日レールモーター自動電池説明図。
【図１１３】2003年4月13日水発電機説明図。 2008年7月12日(土)AM9時38分46秒朝霧の美馬牛姿みえし大雪山の白雲なりて蝉の声も我耳元の風となりて美馬牛カンキチ。
【図１１４】2003年4月13日書きそんじ永久電池現在の自動電池及び機械式発電機説明図。
【図１１５】2003年4月15日コンプレッサーの複数エアーノーズルで、雨と雪と風を防ぐベンチ説明図とグラスフアイバー循環水ベンチ。
【図１１６】2003年4月15日山岳ヘリコプターロボットのジュース運搬ロボットとレールモーター官ポストとコンプレッサーエアー官ポスト専用の運搬台によって送る著作権説明図。
【図１１７】2003年4月23日違う水発電機説明図。
【図１１８】2003年4月23日後書き水発電機説明文章図
【図１１９】2003年5月27日北海道道庁広報広聴第3ー82号郵便物先知的所有財産受理書図。
【図１２０】2003年5月3日別の水発電機試験用説明図。
【図１２１】2003年5月5日別の水発電機の部品説明図。
【図１２２】2003年5月5日別の水発電機の部品説明図。
【図１２３】2003年5月5日別の水発電機の部品説明図。
【図１２４】2003年5月7日別の水発電機の部品説明図。
【図１２５】2003年5月27日山岳ヘリコプターの複数ギアーモーターまたはレールモーター説明図。
【図１２６】2003年6月4日,6日,9日北海道道庁広報広聴第3ー125号郵便物先知的所有財産受理書図。
【図１２７】2003年6月12日北海道道庁広報広聴第3ー138号郵便物先知的所有財産受理書図。
【図１２８】2003年6月3日スクリューホイストとレールモーターホイストスプリング押し圧ブレーキ説明図。
【図１２９】2003年6月2日モーターハンドルブレーキなどの説明図。
【図１３０】2003年6月2日ブレーキの種類を説明した文章図。
【図１３１】2003年6月8日複数カラー色ライトライン光の鏡反射複数色光確認のダイオード光り読み混みによって予め設定色文字読み込み文字テープ音声変換によって電波障害を防ぐカラー色ライトラインの説明文章図。
【図１３２】2003年6月8日複数カラー色ライトラインの音声文字デジタル電波などの変換説明図。
【図１３３】2003年6月8日複数カラー色ライトラインの利用方法説明文書図。
【図１３４】2003年12月24日東北盛岡近くの郵便局から出した手紙封書のコピー図。
【図１３５】2004年1月13日旭川中央郵便局から出した手紙封書のコピー図。
【図１３６】2004年1月10日別の自動電池の説明図
【図１３７】2004年2月1日水発電機説明文書図。
【図１３８】2004年2月1日炭素ブラックシリコンソーラーパネルの応用靴と真空装置を積載したダンプ及び土及び残土運搬車利用説明文書図。
【図１３９】2004年1月25日水発電機温度センサー内蔵電動仕切り弁の説明文章図。
【図１４０】2003年7月2日,3日北海道道庁広報広聴第3ー185号郵便物先知的所有財産受理書図。
【図１４１】2003年7月1日水中ブラック炭素シリコンソーラーパネルなど、海底地震温度情報を、一時情報を、ストックする海底情報装置予定説明図。
【図１４２】2003年7月1日テレポーテイションカメラ使用説明図。
【図１４３】2003年7月1日水発電機の部品圧電素子4電子磁気分割装置の合成部品文章説明図。
【図１４４】2003年7月7日北海道道庁広報広聴第3ー191号先知的所有財産郵便物受理書図。
【図１４５】2003年7月4日水発電機の自動電池歯車水送り用水車の文章説明図。
【図１４６】2003年7月4日水発電機の別の水発電機説明文章図。
【図１４７】2003年7月9日北海道道庁広報広聴第3ー200号先知的所有財産郵便物受理説明書図。
【図１４８】2003年10月14日機械式発電機などの発電方法文章説明図。
【図１４９】2003年7月6日水発電機の別の構造説明図。
【図１５０】2003年10月23日水発電機の別の発電機の部品構造説明文書図。
【図１５１】2003年10月23日水発電機の別の発電機の部品構造説明文書図。
【図１５２】2003年10月23日水発電機の別の発電機の部品構造説明文書図。
【図１５３】2003年10月23日水発電機の別の発電機の部品構造説明文書図。
【図１５４】2003年10月23日水発電機の別の発電機の部品構造説明文書図。
【図１５５】2003年5月30日北海道道庁広報広聴第3ー94号先知的所有財産郵便物受理説明書図。
【図１５６】2003年5月14日北海道道庁広報広聴第3ー108号先知的所有財産郵便物受理説明書図。
【図１５７】2003年5月25日北海道道庁広報広聴第3ー112号先知的所有財産郵便物受理説明書図。
【図１５８】2004年5月18日水発電機の別の水発電機文書説明図。
【図１５９】2003年7月10日北海道道庁広報広聴第3ー215号先知的所有財産郵便物受理書説明図。
【図１６０】2003年7月14日鋼鉄鉄心入りボルト後書き説明文書図。
【図１６１】2003年7月21日別の実験用の水発電機説明文書図。
【図１６２】2003年7月21日別の水発電機説明図。
【図１６３】2003年7月21日試験用の別の水発電機説明図。
【図１６４】2003年7月21日別の水発電機説明図。
【図１６５】2003年7月21日試験用別の水発電機説明図。
【図１６６】2003年7月21日試験用別の水発電機部品説明図。
【図１６７】2003年7月21日試験用別の水発電機部品説明図。
【図１６８】2003年7月21日試験用別の水発電機部品説明図。
【図１６９】2003年7月21日試験用別の水発電機部品説明図。
【図１７０】2003年7月21日試験用別の水発電機部品説明図。
【図１７１】2003年7月20日試験用別の水発電機部品説明図。
【図１７２】2003年7月20日試験用別の水発電機部品説明図。
【図１７３】2003年7月20日試験用別の水発電機部品説明図。
【図１７４】2003年7月20日試験用別の水発電機部品説明図。
【図１７５】2003年7月20日試験用別の水発電機部品説明図。
【図１７６】2003年7月20日試験用別の水発電機部品説明図。
【図１７７】2003年7月27日別の機械式発電機説明図。
【図１７８】2003年7月27日ソーラーパネル積載自動充電池文書説明図。
【図１７９】2003年7月27日自動電池及び自動充電池及び機械式発電機に使用されるワイヤーゼンマイ巻き取り装置説明図。 通常ゼンマイモーター巻き取り型からワイヤー入りゼンマイレールモーター巻き取り型にする事で、ゼンマイ切れの心配がなくなり、超小型レールモーター使用のワイヤゼンマイレールモーター全自動巻き取り技術採用によって、更に2連振り子機械式発電機使用の水発電機発電力は、おそらく燃料電池発電総合電気量及び瞬間発電量は、この時点では、無害無給油発電システム上の発電量は、世界トップクラスになっていたのも事実で有る。
【図１８０】2003年8月7日北海道道庁広報広聴第3ー257号先知的所有財産郵便物受理書図。
【図１８１】2003年8月19日北海道道庁広報広聴第3ー283号先知的所有財産郵便物受理書図。
【図１８２】2003年8月26日北海道道庁広報広聴第3ー301号先知的所有財産郵便物受理書図。
【図１８３】2003年8月26日北海道道庁広報広聴第3ー301号先知的所有財産郵便物受理書図。
【図１８４】2003年9月17日北海道道庁広報広聴第3ー353号先知的所有財産郵便物受理書図。
【図１８５】2003年9月11日山岳ヘリコプター水発電機装置の電波中継装置の海上及び海底情報の連絡方法説明文書図。
【図１８６】2003年9月13日水発電機説明文書図。
【図１８７】2003年9月21日宇宙での水発電機説明図。
【図１８８】2003年9月21日宇宙ロボット集合発電システム文書説明図。
【図１８９】2003年10月30日,31日北海道道庁広報広聴第3ー463号先知的所有財産郵便物受理書図。
【図１９０】2003年10月24日別の水発電機文書説明図。
【図１９１】2003年10月26日別の水発電機文書説明図
【図１９２】2003年11月4日北海道道庁広報広聴第3ー480号先知的所有財産郵便物受理書図。
【図１９３】2003年10月29日別の水発電機文書説明図。
【図１９４】2003年10月29日別の水発電機文書説明図。
【図１９５】2003年11月5日北海道道庁広報広聴第3ー484号先知的所有財産郵便物受理書図。
【図１９６】2003年11月2日(日)別の水発電機装置文書説明図。
【図１９７】2003年11月2日(日)別の水発電機装置文章説明図。
【図１９８】2003年11月2日(日)別の水発電機装置文章説明図。
【図１９９】2003年11月2日(日)別の水発電機装置文章説明図。
【図２００】2003年11月11日,13日,19日北海道道庁広報広聴第3ー506号先知的所有財産郵便物受理書図。
【図２０１】2003年11月6日別の水発電機装置文章説明図。
【図２０２】2003年11月6日別の水発電機装置文章説明図。
【図２０３】2003年11月6日地震予知及びデーター作り地震予知データー作り考案図。
【図２０４】2003年11月14日エアーカーテン説明文書図。 2008年7月12日PM19時5分12秒美馬牛市街地夕方残す図の説明100図近くの説明を残すだけとなるビバ スーパー
【図２０５】2003年11月10日別の水発電機装置文章説明図。
【図２０６】2003年11月14日風速計及び太陽光日照時間の光度電気量測定に対しての注意事項の有り方説明文章図。
【図２０７】2003年11月14日雷画像測定など、道路状況の改善項目などの説明文章図。
【図２０８】2003年11月16日道路踏み切りなどのテレポーテイションカメラ装置説明文書図。
【図２０９】2003年11月16日テレポーテイションカメラシステムの説明文書図。
【図２１０】2003年11月16日テレポーテイションカメラシステムの説明文章図。
【図２１１】2003年11月25日北海道道庁広報広聴第3ー514号先知的所有財産郵便物受理書図。
【図２１２】2003年11月19日異なる別の水発電機の部品説明文書図。
【図２１３】2003年11月19日異なる別の水発電機の部品説明文章図。
【図２１４】2003年11月20日異なる別の水発電機の部品説明文章図。
【図２１５】2003年12月1日異なる別の水発電機の部品説明文章図。
【図２１６】2003年11月29日水発電機説明文章図。
【図２１７】2003年12月18日北海道道庁広報広聴第3ー6O4号先知的所有財産郵便物受理書図。
【図２１８】2003年12月13日全自動多機能電気トラクターに使用したのはカラー色ライトライン装置を使用していたが、カラー色ライトライン電波センサーは別のカラー色ライトライン説明になる。
【図２１９】2003年12月22日,24日北海道道庁広報広聴第3ー514号先知的所有財産郵便物受理書図。
【図２２０】2003年12月18日列車アンテナなどのアンテナの有り方説明文章図。
【図２２１】2003年12月18日スピーカーの説明文章図。
【図２２２】2003年12月17日集音マイクとレールモーター説明文章図。
【図２２３】2003年12月16日カラーライトの有り方の説明文章図。
【図２２４】2003年12月16日電子冷却装置の説明文章図。
【図２２５】2003年12月14日圧電素子4電子磁気分割装置の説明に対して圧電素子磁石体の圧電素子磁石体の中間電子の表記に対して実際にリサイクル電気にする場合は、圧電素子磁石中間電子を二つに分けるのが実際は、正解で有る。つまり、圧電素子中間陽電子電気と圧電素子中間電子陰電子電気の表記が正解になる。
【図２２６】2003年12月21日衛生GPSに使用する表裏両面のCDツース及びMDツースの利用説明図。
【図２２７】2003年12月21日GPSアンテナと二つ折液晶の利用方法説明図。
【図２２８】2003年12月21日水発電機説明などの文章図
【図２２９】2003年12月20日テレポーテイションカメラ文章説明図。
【図２３０】2003年12月3日全自動多機能トラクターのカメラテレポーテイションのダイオードカメラ確認認識作動が出来易い工夫の文章説明図。2008年7月12日PM21時15分頃一様の補助位置確認装置で有る。美馬牛カンキチ
【図２３１】2003年12月19日全自動多機能電気トラクターなどが、カメラテレポーテイション確認と衛生GPS確認と道路沿いに取り付けられて入るスピーカーのメロディー音で、全自動多機能電気トラクターの集音マイクのメロディー音で、位置を確認の補助位置チェック位置確認が出来るのだが、線路踏み切りの同じ変哲もない音を変えたい為の追加知的所有財産の文章説明図。
【図２３２】2003年12月19日ここで、紹介される超小型コンプレッサーサイズは、手のひらに乗る大きさで有る文章説明図。
【図２３３】2003年12月19日衛生GPSに使用される表裏両面MDとCDの紹介文章説明図。
【図２３４】2004年5月31日北海道道庁広報広聴第3ー121号先知的所有財産郵便物受理書図。
【図２３５】2004年6月8日,9日北海道庁広報広聴第3ー138号先知的所有財産郵便物受理書図。
【図２３６】2004年5月31日,6月16日北海道道庁広報広聴第3ー149号先知的所有財産郵便物受理書図で有り、2000年当事に木白子のペンネームで出した知的所有財産文章の枚数は、110枚以上存在し2000年前の1999年頃北海道知事に出した手紙ペンネーム木白子の名前の先知的所有財産文章として存在しているのも事実で有り、1999年春5月のテレビ放送を使っての国会議員発言に於いて現在の子供達が、過去の国と地方の借金全額返済に対して子供達が、払う事にするの発言を受けて知的所有財産として書いて有った先知的所有財産文章も存在する。説明文章図。
【図２３７】2004年7月12日北海道道庁広報広聴第3ー206号先知的所有財産郵便物受理書図。
【図２３８】2004年9月21日北海道道庁広報広聴第3ー206号先知的所有財産郵便物受理書図で有り、圧縮水素水陽電子陰電子スパーク発電機を最初に書いた頃は此の頃で有る説明文書図。
【図２３９】2003年2月9日別の水発電機説明文章図。
【図２４０】2003年2月9日別の水発電機説明文章図。
【図２４１】2003年2月9日別の水発電機説明文章図。
【図２４２】2003年2月9日別の水発電機説明文章図。
【図２４３】2004年8月27日高速電波の説明文章図。
【図２４４】2004年9月5日2000年1月頃に書いて有った排気ガス処理装置の文章図。
【図２４５】2004年8月22日自動車及びトラクター及び動く機械すべての新しい磁波計測装置と圧電素子4電子磁気分割装置を付けたガス充電池文章説明図。
【図２４６】2004年2月10日北海道道庁広報広聴第3ー728号先知的所有財産郵便物受理書図。
【図２４７】2004年2月6日別の水発電機つまり水沸騰型レールモーター制御発電機文章説明図。
【図２４８】2004年2月3日別の水発電機つまり水沸騰型レールモーター制御発電機文章説明図。
【図２４９】2004年2月2日別の水発電機つまり水沸騰型レールモーター制御発電機文章説明図。
【図２５０】2OO4年2月2日別の水発電機つまり水沸騰型レールモーター制御発電機文章説明図。
【図２５１】2004年2月2日別の水発電機つまり水沸騰型レールモーター制御発電機文章説明図。
【図２５２】2004年2月19日外れ防止ボルトナット説明図と鋼鉄芯入りボルトナットの後書き説明図。
【図２５３】2004年3月17日北海道道庁広報広聴第3ー811号先知的所有財産郵便物受理書図。
【図２５４】2004年3月9日別の水発電機文章説明図。
【図２５５】2004年3月9日別の水発電機文章説明図。
【図２５６】2004年3月9日別の水発電機文章説明図。
【図２５７】2004年2月23日別の水発電機文章説明図。
【図２５８】2004年2月23日別の水発電機文章説明図。
【図２５９】2004年3月6日金属スコープカメラ複数望遠カメラ等の説明文章図。
【図２６０】2004年3月6日複数コイルモーター圧電素子4電子磁気分割装置の使用説明文章図。
【図２６１】2004年3月31日北海道道庁広報広聴第3ー830号先知的所有財産郵便物受理書図。
【図２６２】2004年3月15日モーターダイナモブレーキ文章説明図。
【図２６３】2004年3月26日水位センサーの説明及びスクリューダイナモ文章図2008年7月13日昼PM12時52分11秒昼食を終え再び書き始める美馬牛カンキチ。
【図２６４】2004年3月26日水発電機構造文章説明図
【図２６５】2004年4月8日,13日,16日,20日,22日北海道道庁広報広聴第3ー33号先知的所有財産郵便物受理書図。
【図２６６】2004年4月16日水発電機構造文章説明図。
【図２６７】2004年4月6日水発電機構造ボルトアンテナ文章説明図。
【図２６８】2004年5月10日,11日,19日北海道道庁先知的所有財産郵便物受理書図。
【図２６９】2004年4月20日水発電機の固形水素液体マグネシウムで発電後水中ポンプから真空装置室へ水つまり発電残水を移動する間に圧電素子4電子磁気分割装置を使用した圧縮水素水陽電子陰電子スパーク発電を水発電機の官の中で行ってから真空装置室へ水を送るトリプル発電方法によって、小型発電機最高発電力を目指すこの頃の発電方法は、原子力廃棄物の処理と処理費に困り果てて少しでも、原子力発電方法に近付けたいからが本音だった文章説明図。
【図２７０】2004年5月1日水発電機売電に使用される水発電機の大きさはトレーラー荷台に積む事が出来る大きさまでの水発電機売電計画は、2001年既に考えて有ったのを後書きした文章説明図。
【図２７１】2004年4月22日自動電池と自動充電池文章説明図。
【図２７３】2004年4月22日自動電池と自動充電池文章説明図。
【図２７４】2004年5月3日別の水発電機に使用される部品構造説明図。
【図２７５】2005年4月11日北海道道庁広報広聴第3ー26号先知的所有財産郵便物受理書図。
【図２７６】2005年1月17日北海道道庁広報広聴第3ー26号先知的所有財産圧縮水素水陽電子陰電子スパーク発電機等の郵便物受理書図。
【図２７７】2004年5月31日,6月16日北海道道庁広報広聴第3ー149号先知的所有財産110枚以上有る中から3枚だけ手書き文書図などの公開文書図。
【図２７８】2000年秋頃のはず北海道庁だけ日付が解るはずです。ちなみに障害者用の携帯電話説明文章図。
【図２７９】2000年秋頃のはずです。木白子の名前で、北海道知事に北海道の借金返済に対して考えてもらいたくてペンネームで墫野和夫が、十代後半に考えて有った手振り式のダイナモ腕時計発電池の先考案で有っても当時特許と言う考えもなく時間が過ぎ、1999年当時のIDO電話会社の返信用葉書に携帯電話用の手振り発電機を書いて1999年当時のバブル崩壊を止めに入ったが連絡が、丸っきりなく更に北海道知事に、連絡しても回答がなく今現在の水発電機拒絶理由の特許庁判断だけだった文章説明図。
【図２８０】2000年秋頃北海道知事に出した陳情書と一緒に出した知的財産文章で有り、中学の頃から電子レンジが家庭に有った為、電気を電子に変えれれる事は既に学習済みで有り、更に電気を電子に変えた電子を集めて束にすると高出力電気になる事は、既に学習済みの一般庶民電気学で有り、後の2002年の圧電素子4電子磁気分割技術が、出来る事で、紙切れの文字に命が与えられる説明つまり、電気抵抗の取り除いた電気を電気回路チップ配線束にして、高出力電気としたのが、現在でも有る文書説明図。
【図２８１】2005年4月11日文部科学省の著作権証明書の見本で有り、経済産業省にて先知的所有財産の日本国内公開を考えていた頃の北海道道庁知事宛て提出の先知的所有財産説明文章図。
【図２８２】2003年1月13日北海道道庁広報広聴第3ー654号先知的所有財産郵便物受理書図。
【図２８３】2003年8月26日北海道道庁広報広聴第3ー300号先知的所有財産郵便物受理書図。
【図２８４】2003年8月22日エンジン補助モーター駆動装置機関は墫野和夫が、1964年〜1966年頃、ダブルモーターつまりエンジンの両側にモーターを付けてエンジンの駆動を補助する事によって燃料の消費を抑えるエンジンは、既にこの時から判っていた技術で有った。レールモーターが本田技研自動車工業の先発明である事が、今でも理解出来ない。確かにレールモーターは、DCブラシレスモーターの名前で日本の特許認定になっている。この事に対して先にレールモーターが、有った事を特許庁に説明しても、特許庁からの回答がないのが現状で有る文章説明図。
【図２８５】2003年9月21日水発電機を宇宙でもし使う事が有ればの文章説明図。
【図２８６】2003年9月24日北海道道庁広報広聴第3ー363号(1)〜(4)号先知的所有財産郵便物受理書図。
【図２８７】2003年夏頃に日の丸警備保障に行く前にこの頃の変わらぬ考えを文書化した説明文章図。
【図２８８】2003年夏頃に日の丸警備保障に行く前にこの頃の変わらぬ日本の国の全額借金返済と都道府県市町村の全額借金返済に対して借金返済方法の有り方としての考え方を文章化した説明文章図。
【図２８９】2003年10月21日,23日,24日,27日,28日北海道道庁広報広聴第3ー446号〜453号先知的所有財産郵便物受理説明書図。
【図２９０】2003年10月17日ワイヤーゼンマイ装置の説明で有り、ゼンマイの中心部にワイヤーを内蔵させたゼンマイ切れ防止のワイヤーゼンマイ装置で有り、おそらくこのワイヤーゼンマイ装置部品自体の使用は、墫野和夫の自動電池及び、自動充電池及び機械式発電機及び2連振り子自動充電池及び2連振り子機械式発電機使用の墫野和夫だけが、使用する部品で有り、今後の日本の国の全額借金返済と都道府県市町村の借金全額返済に対しての大事な部品説明文章図。
【図２９１】2002年10月30日当時の1DO電話現在のKDDIの現在のau電話会社に自動電池のお断りの手紙を真岡市郵便局から出す前にコピーを取っておいて有ったコピー説明図。
【図２９２】平成15年1月6日岩手県胡四王簡易郵便局から墫野和夫の先知的所有財産の確認の為に東京都日本消費者連合殿へ送ったゆうパック領収書
【図２９３】平成15年1月6日岩手県胡四王簡易郵便局から墫野和夫の先知的所有財産の確認の為に東京都NHKふれあいセンーター殿へ送ったゆうパック領収書
【図２９４】平成15年1月6日岩手県胡四王簡易郵便局から墫野和夫の先知的所有財産の確認の為にアムネステイインターナショナル支部殿へ先知的所有財産を送ったゆうパック領収書
【図２９５】平成15年1月6日岩手県胡四王簡易郵便局から墫野和夫の先知的所有財産の確認の為に東京都日本共産党委員会志位和夫殿へ先知的所有財産を送ったゆうパック領収書
【図２９６】平成15年3月20数日岩手県胡四王簡易郵便局から墫野和夫の先知的所有財産の確認の為に東京都社民党本部土井高子殿へ先知的所有財産を送ったゆうパック領収書
【図２９７】平成16年1月4日旭川市中央郵便局から墫野和夫の先知的所有財産の確認の為に東京都民主党本部民主党党首殿へ先知的所有財産を送ったゆうパック領収書
【符号の説明】
【００８８】
1   超高速ダブル制御ダイナモモーター
2   無害無給油連続作動発電機
3   複数配線制御二連結以上モーター
4   電磁石制御レールモーター        
5   超高速ダブル制御ダイナモモーター軸
6   圧電素子磁石
7   軽水素圧電素子内蔵ダイナモ
8   アンテナ10方向ライトカメラ   
9   バックミラー
10  ハンドル
11  サイドライト
12  座席椅子
13  アンテナGPS電気トラクター
14  超高低速切り換えレバー
15  カラー色ライトライン
16  前照灯ライト
17  アンテナ鉄塔送受信装置
18  山岳ヘリコプター(A,B,C,D,E,F,)
19  レンズライト玉
20  レンズライト大レンズ
21  レンズライト突レンズ
22  プロペラ
23  ハンドルウインカー
24  アンテナ無線波GPS中継装置
25  圧電素子4電子磁気分割装置
26  機械式発電機
27  アンテナ送受信装置
28  おおレンズ
29  とつレンズ
30  カラー色ライトライン装置玉
31  テレポーテイションカード被写体A
32  テレポーテイションカード被写体B
33  テレポーテイションカード被写体C
34  テレポーテイションカード被写体D
35  テレポーテイションカード被写体E
36  テレポーテイションカード被写体F
37  テレポーテイションカード被写体G
38  テレポーテイションカード被写体H
39  レンズライト
40  アンテナ多機能電気トラクター
41  前方作業灯
42  バック作業灯
43  ウイカーパネル
44  ウイカーパネル
45  作業けい引用取り付け部
46  パネルスピードメーター装置
47  アンテナレールモーターホイスト制御ブレーキ
48  アンテナ山岳ヘリコプターライトカメラ
49  山岳ヘリコプターカラー色ライトライン装置
50  アンテナ磁波計測装置
51  アンテナ太陽光度計装置
52  アンテナ安定風速計
53  チエンジレバー
54  作業機チエンジレバー
55  電熱線内蔵レンズ
56  非常カメラ洗浄用噴水装置
57  アンテナ停止地震計
58  アンテナ絶縁温度計
59  アンテナ絶縁湿度計
60  ウインカー装置
61  カラー色クリスタルガラス
62  足型アンテナ
63  エアーカーテン
64  軽水素内蔵炭素シリコンソーラーパネル
65  パネル装置
66  特殊ボルトナット
67  電動四角仕切り弁
【図１】
2013102688.tif 000003
【図２】
2013102688.tif 000004
【図３】
2013102688.tif 000005
【図４】
2013102688.tif 000006
【図５】
2013102688.tif 000007
【図６】
2013102688.tif 000008
【図７】
2013102688.tif 000009
【図８】
2013102688.tif 000010
【図９】
2013102688.tif 000011
【図１０】
2013102688.tif 000012
【図１１】
2013102688.tif 000013
【図１２】
2013102688.tif 000014
【図１３】
2013102688.tif 000015
【図１４】
2013102688.tif 000016
【図１５】
2013102688.tif 000017
【図１６】
2013102688.tif 000018
【図１７】
2013102688.tif 000019
【図１８】
2013102688.tif 000020
【図１９】
2013102688.tif 000021
【図２０】
2013102688.tif 000022
【図２１】
2013102688.tif 000023
【図２２】
2013102688.tif 000024
【図２３】
2013102688.tif 000025
【図２４】
2013102688.tif 000026
【図２５】
2013102688.tif 000027
【図２６】
2013102688.tif 000028
【図２７】
2013102688.tif 000029
【図２８】
2013102688.tif 000030
【図２９】
2013102688.tif 000031
【図３０】
2013102688.tif 000032
【図３１】
2013102688.tif 000033
【図３２】
2013102688.tif 000034
【図３３】
2013102688.tif 000035
【図３４】
2013102688.tif 000036
【図３５】
2013102688.tif 000037
【図３６】
2013102688.tif 000038
【図３７】
2013102688.tif 000039
【図３８】
2013102688.tif 000040
【図３９】
2013102688.tif 000041
【図４０】
2013102688.tif 000042
【図４１】
2013102688.tif 000043
【図４２】
2013102688.tif 000044
【図４３】
2013102688.tif 000045
【図４４】
2013102688.tif 000046
【図４５】
2013102688.tif 000047
【図４６】
2013102688.tif 000048
【図４７】
2013102688.tif 000049
【図４８】
2013102688.tif 000050
【図４９】
2013102688.tif 000051
【図５０】
2013102688.tif 000052
【図５１】
2013102688.tif 000053
【図５２】
2013102688.tif 000054
【図５３】
2013102688.tif 000055
【図５４】
2013102688.tif 000056
【図５５】
2013102688.tif 000057
【図５６】
2013102688.tif 000058
【図５７】
2013102688.tif 000059
【図５８】
2013102688.tif 000060
【図５９】
2013102688.tif 000061
【図６０】
2013102688.tif 000062
【図６１】
2013102688.tif 000063
【図６２】
2013102688.tif 000064
【図６３】
2013102688.tif 000065
【図６４】
2013102688.tif 000066
【図６５】
2013102688.tif 000067
【図６６】
2013102688.tif 000068
【図６７】
2013102688.tif 000069
【図６８】
2013102688.tif 000070
【図６９】
2013102688.tif 000071
【図７０】
2013102688.tif 000072
【図７１】
2013102688.tif 000073
【図７２】
2013102688.tif 000074
【図７３】
2013102688.tif 000075
【図７４】
2013102688.tif 000076
【図７５】
2013102688.tif 000077
【図７６】
2013102688.tif 000078
【図７７】
2013102688.tif 000079
【図７８】
2013102688.tif 000080
【図７９】
2013102688.tif 000081
【図８０】
2013102688.tif 000082
【図８１】
2013102688.tif 000083
【図８２】
2013102688.tif 000084
【図８３】
2013102688.tif 000085
【図８４】
2013102688.tif 000086
【図８５】
2013102688.tif 000087
【図８６】
2013102688.tif 000088
【図８７】
2013102688.tif 000089
【図８８】
2013102688.tif 000090
【図８９】
2013102688.tif 000091
【図９０】
2013102688.tif 000092
【図９１】
2013102688.tif 000093
【図９２】
2013102688.tif 000094
【図９３】
2013102688.tif 000095
【図９４】
2013102688.tif 000096
【図９５】
2013102688.tif 000097
【図９６】
2013102688.tif 000098
【図９７】
2013102688.tif 000099
【図９８】
2013102688.tif 000100
【図９９】
2013102688.tif 000101
【図１００】
2013102688.tif 000102
【図１０１】
2013102688.tif 000103
【図１０２】
2013102688.tif 000104
【図１０３】
2013102688.tif 000105
【図１０４】
2013102688.tif 000106
【図１０５】
2013102688.tif 000107
【図１０６】
2013102688.tif 000108
【図１０７】
2013102688.tif 000109
【図１０８】
2013102688.tif 000110
【図１０９】
2013102688.tif 000111
【図１１０】
2013102688.tif 000112
【図１１１】
2013102688.tif 000113
【図１１２】
2013102688.tif 000114
【図１１３】
2013102688.tif 000115
【図１１４】
2013102688.tif 000116
【図１１５】
2013102688.tif 000117
【図１１６】
2013102688.tif 000118
【図１１７】
2013102688.tif 000119
【図１１８】
2013102688.tif 000120
【図１１９】
2013102688.tif 000121
【図１２０】
2013102688.tif 000122
【図１２１】
2013102688.tif 000123
【図１２２】
2013102688.tif 000124
【図１２３】
2013102688.tif 000125
【図１２４】
2013102688.tif 000126
【図１２５】
2013102688.tif 000127
【図１２６】
2013102688.tif 000128
【図１２７】
2013102688.tif 000129
【図１２８】
2013102688.tif 000130
【図１２９】
2013102688.tif 000131
【図１３０】
2013102688.tif 000132
【図１３１】
2013102688.tif 000133
【図１３２】
2013102688.tif 000134
【図１３３】
2013102688.tif 000135
【図１３４】
2013102688.tif 000136
【図１３５】
2013102688.tif 000137
【図１３６】
2013102688.tif 000138
【図１３７】
2013102688.tif 000139
【図１３８】
2013102688.tif 000140
【図１３９】
2013102688.tif 000141
【図１４０】
2013102688.tif 000142
【図１４１】
2013102688.tif 000143
【図１４２】
2013102688.tif 000144
【図１４３】
2013102688.tif 000145
【図１４４】
2013102688.tif 000146
【図１４５】
2013102688.tif 000147
【図１４６】
2013102688.tif 000148
【図１４７】
2013102688.tif 000149
【図１４８】
2013102688.tif 000150
【図１４９】
2013102688.tif 000151
【図１５０】
2013102688.tif 000152
【図１５１】
2013102688.tif 000153
【図１５２】
2013102688.tif 000154
【図１５３】
2013102688.tif 000155
【図１５４】
2013102688.tif 000156
【図１５５】
2013102688.tif 000157
【図１５６】
2013102688.tif 000158
【図１５７】
2013102688.tif 000159
【図１５８】
2013102688.tif 000160
【図１５９】
2013102688.tif 000161
【図１６０】
2013102688.tif 000162
【図１６１】
2013102688.tif 000163
【図１６２】
2013102688.tif 000164
【図１６３】
2013102688.tif 000165
【図１６４】
2013102688.tif 000166
【図１６５】
2013102688.tif 000167
【図１６６】
2013102688.tif 000168
【図１６７】
2013102688.tif 000169
【図１６８】
2013102688.tif 000170
【図１６９】
2013102688.tif 000171
【図１７０】
2013102688.tif 000172
【図１７１】
2013102688.tif 000173
【図１７２】
2013102688.tif 000174
【図１７３】
2013102688.tif 000175
【図１７４】
2013102688.tif 000176
【図１７５】
2013102688.tif 000177
【図１７６】
2013102688.tif 000178
【図１７７】
2013102688.tif 000179
【図１７８】
2013102688.tif 000180
【図１７９】
2013102688.tif 000181
【図１８０】
2013102688.tif 000182
【図１８１】
2013102688.tif 000183
【図１８２】
2013102688.tif 000184
【図１８３】
2013102688.tif 000185
【図１８４】
2013102688.tif 000186
【図１８５】
2013102688.tif 000187
【図１８６】
2013102688.tif 000188
【図１８７】
2013102688.tif 000189
【図１８８】
2013102688.tif 000190
【図１８９】
2013102688.tif 000191
【図１９０】
2013102688.tif 000192
【図１９１】
2013102688.tif 000193
【図１９２】
2013102688.tif 000194
【図１９３】
2013102688.tif 000195
【図１９４】
2013102688.tif 000196
【図１９５】
2013102688.tif 000197
【図１９６】
2013102688.tif 000198
【図１９７】
2013102688.tif 000199
【図１９８】
2013102688.tif 000200
【図１９９】
2013102688.tif 000201
【図２００】
2013102688.tif 000202
【手続補正書】
【提出日】平成25年4月3日(2013.4.3)
【手続補正１】
【補正対象書類名】図面
【補正対象項目名】図２０１
【補正方法】変更
【補正の内容】
【図２０１】
2013102688.tif 000203
【手続補正２】
【補正対象書類名】図面
【補正対象項目名】図２０２
【補正方法】変更
【補正の内容】
【図２０２】
2013102688.tif 000204
【手続補正３】
【補正対象書類名】図面
【補正対象項目名】図２０３
【補正方法】変更
【補正の内容】
【図２０３】
2013102688.tif 000205
【手続補正４】
【補正対象書類名】図面
【補正対象項目名】図２０４
【補正方法】変更
【補正の内容】
【図２０４】
2013102688.tif 000206
【手続補正５】
【補正対象書類名】図面
【補正対象項目名】図２０５
【補正方法】変更
【補正の内容】
【図２０５】
2013102688.tif 000207
【手続補正６】
【補正対象書類名】図面
【補正対象項目名】図２０６
【補正方法】変更
【補正の内容】
【図２０６】
2013102688.tif 000208
【手続補正７】
【補正対象書類名】図面
【補正対象項目名】図２０７
【補正方法】変更
【補正の内容】
【図２０７】
2013102688.tif 000209
【手続補正８】
【補正対象書類名】図面
【補正対象項目名】図２０８
【補正方法】変更
【補正の内容】
【図２０８】
2013102688.tif 000210
【手続補正９】
【補正対象書類名】図面
【補正対象項目名】図２０９
【補正方法】変更
【補正の内容】
【図２０９】
2013102688.tif 000211
【手続補正１０】
【補正対象書類名】図面
【補正対象項目名】図２１０
【補正方法】変更
【補正の内容】
【図２１０】
2013102688.tif 000212
【手続補正１１】
【補正対象書類名】図面
【補正対象項目名】図２１１
【補正方法】変更
【補正の内容】
【図２１１】
2013102688.tif 000213
【手続補正１２】
【補正対象書類名】図面
【補正対象項目名】図２１２
【補正方法】変更
【補正の内容】
【図２１２】
2013102688.tif 000214
【手続補正１３】
【補正対象書類名】図面
【補正対象項目名】図２１３
【補正方法】変更
【補正の内容】
【図２１３】
2013102688.tif 000215
【手続補正１４】
【補正対象書類名】図面
【補正対象項目名】図２１４
【補正方法】変更
【補正の内容】
【図２１４】
2013102688.tif 000216
【手続補正１５】
【補正対象書類名】図面
【補正対象項目名】図２１５
【補正方法】変更
【補正の内容】
【図２１５】
2013102688.tif 000217
【手続補正１６】
【補正対象書類名】図面
【補正対象項目名】図２１６
【補正方法】変更
【補正の内容】
【図２１６】
2013102688.tif 000218
【手続補正１７】
【補正対象書類名】図面
【補正対象項目名】図２１７
【補正方法】変更
【補正の内容】
【図２１７】
2013102688.tif 000219
【手続補正１８】
【補正対象書類名】図面
【補正対象項目名】図２１８
【補正方法】変更
【補正の内容】
【図２１８】
2013102688.tif 000220
【手続補正１９】
【補正対象書類名】図面
【補正対象項目名】図２１９
【補正方法】変更
【補正の内容】
【図２１９】
2013102688.tif 000221
【手続補正２０】
【補正対象書類名】図面
【補正対象項目名】図２２０
【補正方法】変更
【補正の内容】
【図２２０】
2013102688.tif 000222
【手続補正２１】
【補正対象書類名】図面
【補正対象項目名】図２２１
【補正方法】変更
【補正の内容】
【図２２１】
2013102688.tif 000223
【手続補正２２】
【補正対象書類名】図面
【補正対象項目名】図２２２
【補正方法】変更
【補正の内容】
【図２２２】
2013102688.tif 000224
【手続補正２３】
【補正対象書類名】図面
【補正対象項目名】図２２３
【補正方法】変更
【補正の内容】
【図２２３】
2013102688.tif 000225
【手続補正２４】
【補正対象書類名】図面
【補正対象項目名】図２２４
【補正方法】変更
【補正の内容】
【図２２４】
2013102688.tif 000226
【手続補正２５】
【補正対象書類名】図面
【補正対象項目名】図２２５
【補正方法】変更
【補正の内容】
【図２２５】
2013102688.tif 000227
【手続補正２６】
【補正対象書類名】図面
【補正対象項目名】図２２６
【補正方法】変更
【補正の内容】
【図２２６】
2013102688.tif 000228
【手続補正２７】
【補正対象書類名】図面
【補正対象項目名】図２２７
【補正方法】変更
【補正の内容】
【図２２７】
2013102688.tif 000229
【手続補正２８】
【補正対象書類名】図面
【補正対象項目名】図２２８
【補正方法】変更
【補正の内容】
【図２２８】
2013102688.tif 000230
【手続補正２９】
【補正対象書類名】図面
【補正対象項目名】図２２９
【補正方法】変更
【補正の内容】
【図２２９】
2013102688.tif 000231
【手続補正３０】
【補正対象書類名】図面
【補正対象項目名】図２３０
【補正方法】変更
【補正の内容】
【図２３０】
2013102688.tif 000232
【手続補正３１】
【補正対象書類名】図面
【補正対象項目名】図２３１
【補正方法】変更
【補正の内容】
【図２３１】
2013102688.tif 000233
【手続補正３２】
【補正対象書類名】図面
【補正対象項目名】図２３２
【補正方法】変更
【補正の内容】
【図２３２】
2013102688.tif 000234
【手続補正３３】
【補正対象書類名】図面
【補正対象項目名】図２３３
【補正方法】変更
【補正の内容】
【図２３３】
2013102688.tif 000235
【手続補正３４】
【補正対象書類名】図面
【補正対象項目名】図２３４
【補正方法】変更
【補正の内容】
【図２３４】
2013102688.tif 000236
【手続補正３５】
【補正対象書類名】図面
【補正対象項目名】図２３５
【補正方法】変更
【補正の内容】
【図２３５】
2013102688.tif 000237
【手続補正３６】
【補正対象書類名】図面
【補正対象項目名】図２３６
【補正方法】変更
【補正の内容】
【図２３６】
2013102688.tif 000238
【手続補正３７】
【補正対象書類名】図面
【補正対象項目名】図２３７
【補正方法】変更
【補正の内容】
【図２３７】
2013102688.tif 000239
【手続補正３８】
【補正対象書類名】図面
【補正対象項目名】図２３８
【補正方法】変更
【補正の内容】
【図２３８】
2013102688.tif 000240
【手続補正３９】
【補正対象書類名】図面
【補正対象項目名】図２３９
【補正方法】変更
【補正の内容】
【図２３９】
2013102688.tif 000241
【手続補正４０】
【補正対象書類名】図面
【補正対象項目名】図２４０
【補正方法】変更
【補正の内容】
【図２４０】
2013102688.tif 000242
【手続補正４１】
【補正対象書類名】図面
【補正対象項目名】図２４１
【補正方法】変更
【補正の内容】
【図２４１】
2013102688.tif 000243
【手続補正４２】
【補正対象書類名】図面
【補正対象項目名】図２４２
【補正方法】変更
【補正の内容】
【図２４２】
2013102688.tif 000244
【手続補正４３】
【補正対象書類名】図面
【補正対象項目名】図２４３
【補正方法】変更
【補正の内容】
【図２４３】
2013102688.tif 000245
【手続補正４４】
【補正対象書類名】図面
【補正対象項目名】図２４４
【補正方法】変更
【補正の内容】
【図２４４】
2013102688.tif 000246
【手続補正４５】
【補正対象書類名】図面
【補正対象項目名】図２４５
【補正方法】変更
【補正の内容】
【図２４５】
2013102688.tif 000247
【手続補正４６】
【補正対象書類名】図面
【補正対象項目名】図２４６
【補正方法】変更
【補正の内容】
【図２４６】
2013102688.tif 000248
【手続補正４７】
【補正対象書類名】図面
【補正対象項目名】図２４７
【補正方法】変更
【補正の内容】
【図２４７】
2013102688.tif 000249
【手続補正４８】
【補正対象書類名】図面
【補正対象項目名】図２４８
【補正方法】変更
【補正の内容】
【図２４８】
2013102688.tif 000250
【手続補正４９】
【補正対象書類名】図面
【補正対象項目名】図２４９
【補正方法】変更
【補正の内容】
【図２４９】
2013102688.tif 000251
【手続補正５０】
【補正対象書類名】図面
【補正対象項目名】図２５０
【補正方法】変更
【補正の内容】
【図２５０】
2013102688.tif 000252
【手続補正５１】
【補正対象書類名】図面
【補正対象項目名】図２５１
【補正方法】変更
【補正の内容】
【図２５１】
2013102688.tif 000253
【手続補正５２】
【補正対象書類名】図面
【補正対象項目名】図２５２
【補正方法】変更
【補正の内容】
【図２５２】
2013102688.tif 000254
【手続補正５３】
【補正対象書類名】図面
【補正対象項目名】図２５３
【補正方法】変更
【補正の内容】
【図２５３】
2013102688.tif 000255
【手続補正５４】
【補正対象書類名】図面
【補正対象項目名】図２５４
【補正方法】変更
【補正の内容】
【図２５４】
2013102688.tif 000256
【手続補正５５】
【補正対象書類名】図面
【補正対象項目名】図２５５
【補正方法】変更
【補正の内容】
【図２５５】
2013102688.tif 000257
【手続補正５６】
【補正対象書類名】図面
【補正対象項目名】図２５６
【補正方法】変更
【補正の内容】
【図２５６】
2013102688.tif 000258
【手続補正５７】
【補正対象書類名】図面
【補正対象項目名】図２５７
【補正方法】変更
【補正の内容】
【図２５７】
2013102688.tif 000259
【手続補正５８】
【補正対象書類名】図面
【補正対象項目名】図２５８
【補正方法】変更
【補正の内容】
【図２５８】
2013102688.tif 000260
【手続補正５９】
【補正対象書類名】図面
【補正対象項目名】図２５９
【補正方法】変更
【補正の内容】
【図２５９】
2013102688.tif 000261
【手続補正６０】
【補正対象書類名】図面
【補正対象項目名】図２６０
【補正方法】変更
【補正の内容】
【図２６０】
2013102688.tif 000262
【手続補正６１】
【補正対象書類名】図面
【補正対象項目名】図２６１
【補正方法】変更
【補正の内容】
【図２６１】
2013102688.tif 000263
【手続補正６２】
【補正対象書類名】図面
【補正対象項目名】図２６２
【補正方法】変更
【補正の内容】
【図２６２】
2013102688.tif 000264
【手続補正６３】
【補正対象書類名】図面
【補正対象項目名】図２６３
【補正方法】変更
【補正の内容】
【図２６３】
2013102688.tif 000265
【手続補正６４】
【補正対象書類名】図面
【補正対象項目名】図２６４
【補正方法】変更
【補正の内容】
【図２６４】
2013102688.tif 000266
【手続補正６５】
【補正対象書類名】図面
【補正対象項目名】図２６５
【補正方法】変更
【補正の内容】
【図２６５】
2013102688.tif 000267
【手続補正６６】
【補正対象書類名】図面
【補正対象項目名】図２６６
【補正方法】変更
【補正の内容】
【図２６６】
2013102688.tif 000268
【手続補正６７】
【補正対象書類名】図面
【補正対象項目名】図２６７
【補正方法】変更
【補正の内容】
【図２６７】
2013102688.tif 000269
【手続補正６８】
【補正対象書類名】図面
【補正対象項目名】図２６８
【補正方法】変更
【補正の内容】
【図２６８】
2013102688.tif 000270
【手続補正６９】
【補正対象書類名】図面
【補正対象項目名】図２６９
【補正方法】変更
【補正の内容】
【図２６９】
2013102688.tif 000271
【手続補正７０】
【補正対象書類名】図面
【補正対象項目名】図２７０
【補正方法】変更
【補正の内容】
【図２７０】
2013102688.tif 000272
【手続補正７１】
【補正対象書類名】図面
【補正対象項目名】図２７１
【補正方法】変更
【補正の内容】
【図２７１】
2013102688.tif 000273
【手続補正７２】
【補正対象書類名】図面
【補正対象項目名】図２７２
【補正方法】変更
【補正の内容】
【図２７２】
2013102688.tif 000274
【手続補正７３】
【補正対象書類名】図面
【補正対象項目名】図２７３
【補正方法】変更
【補正の内容】
【図２７３】
2013102688.tif 000275
【手続補正７４】
【補正対象書類名】図面
【補正対象項目名】図２７４
【補正方法】変更
【補正の内容】
【図２７４】
2013102688.tif 000276
【手続補正７５】
【補正対象書類名】図面
【補正対象項目名】図２７５
【補正方法】変更
【補正の内容】
【図２７５】
2013102688.tif 000277
【手続補正７６】
【補正対象書類名】図面
【補正対象項目名】図２７６
【補正方法】変更
【補正の内容】
【図２７６】
2013102688.tif 000278
【手続補正７７】
【補正対象書類名】図面
【補正対象項目名】図２７７
【補正方法】変更
【補正の内容】
【図２７７】
2013102688.tif 000279
【手続補正７８】
【補正対象書類名】図面
【補正対象項目名】図２７８
【補正方法】変更
【補正の内容】
【図２７８】
2013102688.tif 000280
【手続補正７９】
【補正対象書類名】図面
【補正対象項目名】図２７９
【補正方法】変更
【補正の内容】
【図２７９】
2013102688.tif 000281
【手続補正８０】
【補正対象書類名】図面
【補正対象項目名】図２８０
【補正方法】変更
【補正の内容】
【図２８０】
2013102688.tif 000282
【手続補正８１】
【補正対象書類名】図面
【補正対象項目名】図２８１
【補正方法】変更
【補正の内容】
【図２８１】
2013102688.tif 000283
【手続補正８２】
【補正対象書類名】図面
【補正対象項目名】図２８２
【補正方法】変更
【補正の内容】
【図２８２】
2013102688.tif 000284
【手続補正８３】
【補正対象書類名】図面
【補正対象項目名】図２８３
【補正方法】変更
【補正の内容】
【図２８３】
2013102688.tif 000285
【手続補正８４】
【補正対象書類名】図面
【補正対象項目名】図２８４
【補正方法】変更
【補正の内容】
【図２８４】
2013102688.tif 000286
【手続補正８５】
【補正対象書類名】図面
【補正対象項目名】図２８５
【補正方法】変更
【補正の内容】
【図２８５】
2013102688.tif 000287
【手続補正８６】
【補正対象書類名】図面
【補正対象項目名】図２８６
【補正方法】変更
【補正の内容】
【図２８６】
2013102688.tif 000288
【手続補正８７】
【補正対象書類名】図面
【補正対象項目名】図２８７
【補正方法】変更
【補正の内容】
【図２８７】
2013102688.tif 000289
【手続補正８８】
【補正対象書類名】図面
【補正対象項目名】図２８８
【補正方法】変更
【補正の内容】
【図２８８】
2013102688.tif 000290
【手続補正８９】
【補正対象書類名】図面
【補正対象項目名】図２８９
【補正方法】変更
【補正の内容】
【図２８９】
2013102688.tif 000291
【手続補正９０】
【補正対象書類名】図面
【補正対象項目名】図２９０
【補正方法】変更
【補正の内容】
【図２９０】
2013102688.tif 000292
【手続補正９１】
【補正対象書類名】図面
【補正対象項目名】図２９１
【補正方法】変更
【補正の内容】
【図２９１】
2013102688.tif 000293
【手続補正９２】
【補正対象書類名】図面
【補正対象項目名】図２９２
【補正方法】変更
【補正の内容】
【図２９２】
2013102688.tif 000294
【手続補正９３】
【補正対象書類名】図面
【補正対象項目名】図２９３
【補正方法】変更
【補正の内容】
【図２９３】
2013102688.tif 000295
【手続補正９４】
【補正対象書類名】図面
【補正対象項目名】図２９４
【補正方法】変更
【補正の内容】
【図２９４】
2013102688.tif 000296
【手続補正９５】
【補正対象書類名】図面
【補正対象項目名】図２９５
【補正方法】変更
【補正の内容】
【図２９５】
2013102688.tif 000297
【手続補正９６】
【補正対象書類名】図面
【補正対象項目名】図２９６
【補正方法】変更
【補正の内容】
【図２９６】
2013102688.tif 000298
【手続補正９７】
【補正対象書類名】図面
【補正対象項目名】図２９７
【補正方法】変更
【補正の内容】
【図２９７】
2013102688.tif 000299
【手続補正９８】
【補正対象書類名】明細書
【補正対象項目名】００８７
【補正方法】変更
【補正の内容】
【００８７】
【図１】アンテナ多機能電気トラクターの前と横と上の装置説明図
【図２】山岳ヘリコプター6台と鉄塔無線送受信アンテナ三角点位置地図装置説明図
【図３】アンテナ多機能電気トラクターの上から見た図と超高速制御軽水素圧電素子内蔵ダイナモ装置及びレールモーターホイスト制御ブレーキと特殊ボルトナット説明図
【図４】山岳ヘリコプター構造説明と10方向ライトカメラとカラー色ライトライン装置図
【図５】テレポーテイションカード説明図
【図６】アンテナ多機能電気トラクターの中央及び後方図
【図７】絶縁温度計及び絶縁湿度計及び磁波計測装置及び太陽光度量計装置及び安定風速計及び停止地震計の説明図 2008年7月9日AM9時47分50秒原本図面280枚つまり280項目容易するのに今まで掛かる美馬牛カンキチ     2008年7月9日昼12時22分42秒白雲の大雪山風もまた風失われし日差しもまた時既に半分過ぎ旅人の語らいも又、木の精ともに再び四つの竜そして最後の五つ目の竜を待つ美馬牛カンキチ
【図８】2001年5月10日北海道庁広報広聴第3ー37号の墫野和夫の先知的所有財産の郵便物受理書図 2008年7月9日PM13時14分7秒昨夜の中コイル改善型モーターを北海道知事宛てに先知的所有財産を出して来る美馬牛カンキチ。
【図９】2001年5月7日頃墫野和夫が、北海道知事にこの頃既に北海道庁の借金全額返済の為(北海道経営すなわち借金全額返済の為の予定会社を2000年頃そして、2001年2月4日〜6日頃から2001年4月26日頃まで200件〜300件近くの先知的所有財産に対して一切書いてない財産を含めて2000この頃から北海道の財政がとんでもない事に成りつつ有った頃また1999年2000年頃当時のIDO電話会社に手振り式の発電池と充電出来る携帯電話の充電池半分の電池を半分の電池を半層電池となづけて、当時余り良くならない時代と企業社会に対して改善を求めるため、試作品として当時のIDO電話会社の返信用はがきに書いて出していた事実でもあっが、IDO電話会社から先発明者の墫野和夫に連絡がない為墫野和夫が、手振りダイナモ発電の充電池充電式発電池の知的所有財産の返還を求めた手紙も、当時のIDOの社長に出していた手紙の内容をコピーした図78のIDO電話会社に断りの手紙を出して有った手紙のコピー図面。 従って、2001年5月9日北海道庁知事へ、先知的所有財産の後書きなどを含めて当時北海道庁と一緒に北海道の全額借金返済に対しての計画場所を示した図。2008年AM10時51分10秒美馬牛市街地晴れ、当時のIDO電話会社の断りの手紙の封筒探すが見つからず無駄な日にち2日過ごす。
【図１０】2001年5月2日既に水を真空装置または電熱線を使用して気化させた酸素と水素の混合融合物質を、(豊田自動車株式会社製の燃料電池に使用する固形水素を使った連続発電方法を使用し更に、水を水素と酸素に分ける後書き途中図。
【図１１】2001年5月2日既に、水を真空装置そして、この図では電熱線を使用した発電方法の途中図。
【図１２】2001年4月30日後書きの永久電池で有り現在の自動電池の後書き原本で有り、手振りダイナモ発電池では、時計のセイコウなどが有るが、2001年2月16日NHK放送の豊田自動車株式会社の固形水素燃料電池発表と本田自動車の液体マグネシウムの燃料電池発表の日2月16日燃料電池の発電後の残水すなわち、水を真空装置で、再び瞬間気化する技術を知っていた為、更に瞬間気化した酸素と水素の融合体発電に対してバッテリーだけでは、電気不足になる理由として、この頃は急速充電技術が、なかった為、真空装置作動と水中ポンプ作動と電動仕切り弁作動に対して電気不足になるのが、はっきりしていた此の頃の現状で有った。その為、1978年墫野和夫が、20代頃現在のセイコウ時計の原型自動巻時計を改良した、ダイナモを振る事で、電気を発電させる技術が、既にこの頃先に考案してた為更に、IDO電話会社では、2000年頃手振りダイナモ発電した電気を半分の電池を使用して急速充電した電気を、携帯電話に使用する発電方法手段を利用して携帯電話使用する技術が、先にここまでは技術的に知り得ていた事実。従って、燃料電池改良型の永久発電に対して補助発電方法として、手振りダイナモ発電とは、丸っきり異なる新技術として、ゼンマイの作動エネルギーと電池の作動エネルギーを使用した振り子装置回転作動の全自動で振り子作動エネルギーによって薄型ダイナモ回転作動発電する連続した発電技術を永久電池として略図として残して有った現在の自動電池または自動充電池の図283の原型永久電池の後書き原本図を改良した永久電池後書き原本図。
【図１３】2001年5月1日の5連結コイルモーター現在の2連結以上モーターの原本図とエアー電磁石反発吸引ホイスト図とこの頃永久発電機の発電量能力がわからい為、永久発電機を乗せたブルの後ろに更に補助永久発電機を乗せたこの頃の試作品なしの永久発電機発電量の利用方法をなどを示した図。
【図１４】2001年5月の先発明原本で有り図12の永久発電池つまり、現在の自動電池と現在の自動充電池を使用したヘリュームガス気球に上昇プロペラと水平飛行プロペラを取り付けたリモコンモーターの衛生位置確認携帯波送受信装置内蔵の衛生位置確認装置付きの気球カメラヘリコプター説明図。
【図１５】2001年5月22日北海道庁広報広聴第3ー54号の墫野和夫の先知的所有財産原本の受理書図。
【図１６】2001年5月18日(金)岩内トンネルでのレールモーター2001年2月から3月に掛けてのレールモーター電磁石磁気切り換えによる作動モーターの先考案先発明原本の後書き図。
【図１７】2001年5月の大型永久発電機つまり、現在の水発電機を使用で有り、モーターは、2001年5月1日図13の現在の2連結以上モーターのモーターコイル2コイル連結更に3コイル連結更に4コイル連結モーターを積載したトラクター原本説明図
【図１８】2001年8月27日北海道庁広報広聴第3ー187号の墫野和夫の先発明原本郵便物受理書図。
【図１９】2001年6月2日永久発電機つまり現在の水発電機の後書きの略図原本説明図
【図２０】2001年6月3日永久発電機を使用した場合、無害無給油連続発電機の為、税収不足になる明白な事実を踏まえて電気消費を記録出来る磁気カードなどを永久発電機に取り付けた無害無給油発電機電気消費カード記録機能で有り、電気税カード及び電気消費カードとしている文章電気税カードと電気消費カード説明図。
【図２１】2001年6月3日永久発電機等を使用した電気自動車バンパで有るが、今後トラクターにも衝撃吸収型バンパ使用予定の鋼鉄製スプリングバンパ説明図。
【図２２】2001年6月5日のレールモーターホイストの原型図で有り、磁石ホイストと明記して有る図16のレールモーターに次いで2回目のレールモーター原本図そして図27と図28のレールモーター3度目の原本図そして図53のレールモーター説明図で有り図57のレールモーター使用説明図で有り図58のレールモーター説明図であり図63のレールモーター説明図の一部レールモーター原本説明図。
【図２３】2001年6月8日の永久電池消費カードつまり現在の自動電池消費カードと自動充電池使用費税カードの有り方を書いた自動電池税カードの原本説明文章図。
【図２４】2001年8月29日の北海道庁広報広聴第3ー192号の墫野和夫が出した先知的所有財産または先発明郵便物受理書図。
【図２５】2001年7月22日に書いて有った永久発電機等の地震及び振動吸収材説明図。
【図２６】2001年7月22日に書いて有った永久発電機に取り付けられる震動吸収装置とコンクリート地盤に取り付けられている震動吸収装置後の壁など取り付け型地震計装置等に使用されたり震動を、防止する為の震動防止説明図。
【図２７】2001年7月22日に3回目のレールモーター作動構造原本説明図。
【図２８】2001年7月22日に3回目のレールモーターのリレー装置と電磁石切り換え装置によって作動させる事の出来る棒状レールモーター装置と円形レールモーターの作動構造説明図。
【図２９】2001年6月29日の衛生カメラ複数カメラ事すなわち山岳ヘリコプターの複数カメラシステムと地上においての山岳リモコンヘリコプター複数カメラ等から送られた複数画像を映像処理出来るシステム説明文章図。
【図３０】2001年6月29日デジタル装置またはノーマルカメラ装置に於いて被写体ストックカードに自分の好きな人及び自分の好きな動物及び自分の好きな物をあらかじめデジタル信号処理ストックカード及びノーマル信号処理ストックカードこれらの画像を、これから写そうとするデジタル写真とノーマル写真に予めストックしてあった自分の好きな被写体をこれから写そうとする写真にデジタル合成写真としてまたは、ノーマル合成写真として取りこめるフイルムカメラ構造と異なったカメラ合成写真技術説明文章で有り、これをテレポーテイションカメラ機能のテレポーテイションカメラ技術説明文書図。
【図３１】2001年6月に書いて有った電気トラクターつまり永久発電機すなわち無害無給油水発電機によってもたらせられる国税収入または地方税収入不足から来る農業危機に対しての農業危機対策など硬化プラスチックハウス文章説明図。
【図３２】2002年2月21日北海道庁広報広聴第3ー368号の郵便物先知的所有財産の受理書図。
【図３３】2001年10月4日PM21時3分先発明先考案の山岳ヘリコプターの複数ライトカメラ及び複数の望遠鏡の画像電波を、確認して安全ルートを携帯波画像連絡及びナビゲイション地図書き込みルートして相手に全自動で、道程とルート位置を知らせ、ナビゲイション誘導出来る装置文書説明と機械式発電機または、永久電池に使用する電子レンジシステム構造を活用応用した電子発生装置と後の説明の全自動ゼンマイ巻き取り装置及び機械式発電機作動説明文書図。
【図３４】2001年10月3日永久発電機を水発電機に名前を改め水発電機の作動手順文書説明図
【図３５】2001年10月2日機械式発電機及び永久電池つまり現在の自動電池及び自動充電池の振り子装置の反復作動による歯車ダイナモ回転作動と電子電気変換電気増幅装置によって、振り子装置の反発力を最高反復作動まで、連続作動によって振り子歯車作動回転を上げて行きながらダイナモ回転作動数を上げて連続振り子作動発電する機械式発電機構造を説明した文章説明図。
【図３６】2001年10月2日機械式発電機の作動説明と圧電素子電磁石応用の文書説明図。
【図３７】2001年10月2日機械式発電機の電子レンジの反対の力の作用の利用応用は、2001年5月17日岩内トンネルにて先考案応用と先発明応用の後き書き説明図。
【図３８】2001年10月2日機械式発電機を使用した水発電機の水に水素を予め多く入れて置く技術によって、水発電能力を高め、更に発電のムラを少なくする為の対策として2001年7月頃先考案応用技術及び先発明応用技術の後書き説明文章図。
【図３９】2001年10月2日永久電池を自動電池と改め永久発電機を水発電機として改め更に、電気税と電池税によっての生活安定を計る事を更に決意させたこの頃の文章説明図。
【図４０】2001年10月2日の後書きモーター説明で有り2001年6月か7月のモーターコイル板中抜き技術説明で有り、此の後モーターコイル板中抜き技術は、軽水素圧電素子内蔵板に薄いステンレス板を被せたモーターコイル板説明へ進化する為の技術後書き説明図。
【図４１】2001年10月2日この頃は、モーターコイルを増やす連結技術が、精一杯のため、モーター外壁構造を二重構造にして更に液体窒素内蔵の新技術として2001年6月から7月に2連結以上モーター二重構造の冷却材入り複数コイル連結の二連結以上モーターの後書き冷却材入りモーター説明文書図。
【図４２】2002年3月22日北海道道庁広報広聴第3ー410の先知的所有財産郵便物受理書図。
【図４３】2002年3月7日電気自動車の運転助手席及び後部座席前側にエアークッション取り付け先付け二重エアーバックの取り付け型とマスコットゴムエアークッションを取り付けによって幼児を守る方法説明図。
【図４４】2002年3月19日トラクター作業機ロボットアタチメントに対してレールモーターホイスト使用と、スクリューモーターホイスト使用と後部ダブルライト使用説明図。
【図４５】2002年3月22日アンテナ電動仕切り弁カラー色ライト連絡装置説明点滅方式有り、山岳ヘリコプター貯蓄タンク式又はホース式の全自動洗車装置。
【図４６】2002年8月7日北海道道庁広報広聴第3ー136号先知的所有財産郵便物受理説明書。
【図４７】2002年8月1日鋼鉄ダイナモの中に圧電素子を入れたダイナモ説明と後の軽水素合成に至る磁気体(圧電素子磁気体)とイオン合成すなわち後の軽水素と圧電素子磁石合成技術にたどり付く為の圧電素子磁気体と軽水素イオン合成に繋がる文章説明図。
【図４８】2002年8月1日圧縮水を使用した水発電機説明と2001年7月末先考案後書きの固形水素を外壁そして液体マグネシウムを内部構造にした針穴付きの合成水素文章説明図。
【図４９】2002年8月1日水発電機に使用される水に水素を入れて発電した場合通常水発電より、発電室内の温度が上がると言う水素を水に足した水発電機文章説明図。
【図５０】2002年8月2日の後書き原本説明として、2001年2月から3月頃確かに2001年2月16日確かに電磁石反発作動の自動巻き時計ダイナモ振り子発電装置に切り換えた日でも有った、実際に時計部品は使用されないが、まだこの時は通常ダイナモ発電で有り、電磁石反発作動発電には、部品が足りない状態で有り、しいて言えばソーラーパネル付き自動電池でも、発電不足の恐れが有るため、水発電機使用の大型自動電池でも、電気不足が、懸念されるのも、この頃の自動電池は、発電負けになる為、2001年5月に入ってから水素ニッケル充電池ならば、急速充電可能で有る事が、解りこの時は、電子レンジ反対作用の応用技術電気供給を多くする事の出来る装置と短い時間で、充電出来る水素ニッケル充電池と水素ニッケルバッテリーによって、自動電池と機械式発電機の完成を見るはずだったが、水素ニッケルが、高い料金の情報が、入り後の軽水素ニッケル充電池などの先考案先発明技術が、急がれていたのも特許料たかしはいつの世も同じの言葉が返ってきそうで有る。その為、水発電機つまり永久発電機は2001年2月〜3月にかけての真空装置使用の永久発電機は、どうしてもバッテリーが、多く必要視されていたのも、の頃の発電技術不足は、バッテリー充電を長距離トラックに依頼しなければ出来ない永久発電機で有り、水発電機でも有った。ただし水素ニッケル充電池は、永久発電機を完成近くまで、持って行き、中学の頃から家庭内に有った電子レンジの応用技術が、永久発電機の完成へ導き、一度電力のメドが、付くと一般生活応用学問によって、技術進歩する水発電機文章説明。
【図５１】2002年8月14日北海道庁広報広聴第3ー140号この頃北海道知事に1999年〜2000年頃、当時の堀辰也北海道知事に、北海道の借金全額返済依頼を墫野和夫の先知的所有財産依頼していたが、現在に至っても北海道庁から北海道全体の借金返済受理受託報告の連絡が、事実上ない状態で有る。現在の国と地方の借金苦を一日も早く取り、除く段取りは、2008年7月10日現在は、知的所有財産書きまでが、段取り済み。不思議な事で、日本の国官庁の特許庁は、拒絶理由だけで、終わらせ海外先行技術調査すらしてくれない意味不明の先発明保護に至らない対応と国と方が実際上借金苦に困っていても、海外先行技術調査しない理由が解らない文章説明図。
【図５２】2002年8月27日北海道道庁広報広聴第3ー147号先知的所有財産郵便物受理書図。
【図５３】2002年8月23日レールモーターの二列作動を書いて見たがスプリングゴムはやはり劣化する為その為強化スプリングゴムでもやはり今では、電磁石反発作動振り子式以上ここでは、これらの装置は、代替え部品としかならない。そして、ハンドルにナビゲイショスイッチが付けられない場合の笛型ナビゲイションスイッチは、笛の吹く音域の場所で、ナビゲイションスイッチ切り換え技術によって、ナビゲイションスイッチは、切り換え可能になる文章説明図。
【図５４】2002年8月24年電気テイラーの説明で有るが、図50の説明でも有るが、2001年の2月から3月に掛けて当時現在の水発電機すなわち永久発電機の電気エネルギーが、不足気味になるのを懸念して水発電機テイラー当時の永久発電機にコード巻き取り型リールをテイラーに乗せた永久発電機テイラーから始める予定でも有ったこの頃の水発電機つまり当時の永久発電機構造説明で有り、電気はわずかで良かった水発電機の当時の永久発電機文章説明図。
【図５５】2002年9月4日北海道道庁広報広聴第3ー155号この当時北海道が動かない為、水発電機の特許文章を自分で書いて出願番号が届いた事を知事に連絡した事実説明文章図。
【図５６】2002年9月26日北海道庁広報広聴第3ー183号先知的所有財産の郵便物受理書図。
【図５７】2002年9月9日手振り式発電方式の圧電素子3連鉄球手振り発電後の軽水素内蔵圧電素子鉄球発電池の構造説明図とレンズソーラーパネル充電方式の自動電池後の軽水素内蔵ダイオードのレンズソーラーパネル装置説明図。
【図５８】2002年9月12日まだこれでも、不完全ながら連続作動発電するレンズソーラーパネル機械式発電機仕様の機械式発電機と漸く圧電素子4電子磁気分割装置技術先発明先考案技術開発に至るが、この事で充電池の心配が、なくなりこの頃は、圧電素子内蔵のダイナモ装置によつて、更に単独機械式発電機の発電力は、アップされる事を説明した圧電素子本来の能力使用技術の文章説明図。
【図５９】2002年9月19日圧電素子の磁気分割の部分名称説明によって、既に電気抵抗は、圧電素子磁気分割技術によって、取り合えづ電気抵抗を取り除き成功までの文章説明図。
【図６０】2002年9月22日電熱線使用の水発電機説明で有る。従って水素を足す技術でなく予め水発電機内の空気を最初から少しだけ抜く技術説明の事を気圧を下げるの書き方になって入る。更に、圧電素子4電子磁気分割にに発電した電気を通して陽電子電気と陰電子電気だけ、発電自給エネルギーとして圧電素子中間陽電子電気と圧電素子中間陰電子電気を電熱線用に考えて見た電熱線使用の低い温度で、沸騰発電させる事を考えた水発電機装置文章説明図。
【図６１】2002年10月2日北海道庁広報広聴第3ー188号先知的所有財産の郵便物受理書図。
【図６２】2002年9月19日圧電素子中間電子つまり、圧電素子中間陽電子と圧電素子中間陰電子の熱エネルギー電気の処理方法としてつまりダイオード熱吸収発電を行うリサイクル発電技術紹介説明図。
【図６３】2002年9月28日圧電素子内蔵ダイナモ金属を回転作動する場合の最高圧力圧電素子内蔵のダイナモ金属または、同等の鋼鉄金属の中に圧電素子を縦に二重に入れた構造説明図。
【図６４】2002年9月29日山岳ヘリコプター電波中継装置としての空中GPSリモコン位置安定山岳ヘリコプター技術説明図。
【図６５】2002年9月30日圧電素子磁石体の磁気書き込みとガラス板圧電素子磁気磁石体粒子書き込み技術と電話スキャナ後の軽水素内蔵スキャナ技術。レールモーター超望遠レンズ文章紹介図。
【図６６】2002年10月9日北海道庁広報広聴第3ー193号先知的所有財産の郵便物受理書図。
【図６７】2002年10月1日小型風車発電機風速計の設置場所を地形の風気流計測地にそれぞれ設置この場合、山岳ヘリコプター温度カメラ設置予定による地温24時間計測と磁波計測機とソーラーパネル太陽光度電気量測定装置などの説明図。
【図６８】2002年11月5日北海道庁広報広聴第3ー249号先知的所有財産の郵便物受理書図。
【図６９】2002年10月20日水発電機に対して固形水素と液体マグネシウム物質発電交渉が出来なかった場合銅板の先に炭素物質体つまり、酸素と水素の弱冠吸収体に圧電素子陽電子素子体プラス電気と圧電素子陰電子マイナス電気に対して静電気の圧電素子プラス陽電子静電気流体と圧電素子マイナス陰電子静電気流体の接合発電が、電気学問上装置が有れば成立する電気学問上の説明図。2008年7月10日PM23時43分16秒この変で無理か不可能かもう一度静電気図69に挑戦。2008年7月11日PM15時32分53秒超ミクロ静電気装置までのを書いて道庁保管したがまだしっくり来ないのは他の装置を見つけなければ電気のミクロを制する一歩なのか。
【図７０】2002年10月27日 トラクターカメラのテレポーテイションカメラ装置等説明図。2008年7月11日PM19時59分43秒旭川買い物をしてハローワーク遅れる。美馬牛カンキチ
【図７１】2002年10月27日電気トラクターのテレポーテイションカメラ確認と磁気カードデーター書き込みその他説明。
【図７２】2002年10月27日磁気地図データー書き込みとカメラ確認と圧電素子磁気書き込み説明文書図。
【図７３】2002年10月29日真空装置を使用しない水発電機説明文章図。
【図７４】2002年10月30日水発電機沸騰水型説明図。
【図７５】2002年10月30日水発電機の沸騰水発電方法のニクロム線内蔵金属板説明図。
【図７６】2002年10月30日水発電機第1号機説明図。
【図７７】2002年10月30日機械式発電機の有り方説明図。
【図７８】2002年10月30日手振り発電池のIDO電話返信用はがきの説明図。
【図７９】2002年12月4日北海道道庁広報広聴第3ー274号知的所有財産受理書図。
【図８０】2002年11月28日永久電池2001年5月~6月の説明図。
【図８１】2003年1月29日北海道道庁広報広聴第3ー332号知的所有財産受理書図。
【図８２】2003年1月6日水発電装置除雪車説明電熱線ライト説明図。
【図８３】2003年1月6日電気ヘリコプターコンプレッサーエアーで雪を飛ばす方法説明図。
【図８４】2003年2月25日北海道庁広報広聴第3ー364号先知的所有財産郵便物受理書図。
【図８５】2003年2月21日水中ポンプと真空装置を使用せず電熱線電動フアンモーターだけで連続発電する事の出来る水発電機説明図。
【図８６】2003年2月21日電熱線金属パネル蒸気と噴水ノーズル式水発電機説明図。
【図８７】2003年2月15日水発電機電熱線説明図。
【図８８】2003年2月17日水発電機二重構造説明マホービン説明図。
【図８９】2003年2月13日水発電機電動仕切り弁作動調整説明図。
【図９０】2003年2月15日水発電機電気誘導発電説明文章図。
【図９１】2003年3月25日北海道道庁広報広聴第3ー396号先知的所有財産郵便物受理書図。
【図９２】2003年3月25日水発電機電熱線金属パネル又は電子発生装置使用説明図。
【図９３】2003年3月25日水発電機の説明図。
【図９４】2003年3月25日水発電機の別の発想説明図。
【図９５】2003年3月25日水発電機の別システム説明図。
【図９６】2003年3月12日水発電機の別システム説明図。
【図９７】2003年3月16日水発電機の別システム説明図。
【図９８】2003年2月9日水発電機の別のシステム説明図。
【図９９】2003年2月9日水発電機の別のシステム説明図。
【図１００】2003年2月9日水発電機の別のシステム説明図。
【図１０１】2003年2月9日水発電機の別のシステム説明図。
【図１０２】2003年2月9日水発電機の別のシステム説明図。
【図１０３】2003年4月15日北海道庁広報広聴第3ー13号郵便封筒物先知的所有財産受理書図。
【図１０４】2003年4月1日地震情報及び海底火山温度情報などの携帯波情報連絡方法説明文章図。
【図１０５】2003年4月1日風速計及び海底温度計及び地温測定などの連絡方法説明文章図。
【図１０６】2003年4月1日火山噴火予知システムの概要説明図。
【図１０７】2003年4月1日雲の濃度センサー及び山岳ヘリコプター等のワイヤー落下傘等飛行機GPS必要制説明図。
【図１０８】2003年4月1日アスフアルト温度及び空気湿度などの連絡方法説明図。
【図１０９】2003年4月9日別の水発電機試験用説明図。
【図１１０】2003年4月18日北海道道庁広報広聴第3ー15号郵便物先知的所有財産受理書図。
【図１１１】2003年4月22日北海道道庁広報広聴第3ー20号郵便物先知的所有財産受理書図。
【図１１２】2003年4月19日レールモーター自動電池説明図。
【図１１３】2003年4月13日水発電機説明図。 2008年7月12日(土)AM9時38分46秒朝霧の美馬牛姿みえし大雪山の白雲なりて蝉の声も我耳元の風となりて美馬牛カンキチ。
【図１１４】2003年4月13日書きそんじ永久電池現在の自動電池及び機械式発電機説明図。
【図１１５】2003年4月15日コンプレッサーの複数エアーノーズルで、雨と雪と風を防ぐベンチ説明図とグラスフアイバー循環水ベンチ。
【図１１６】2003年4月15日山岳ヘリコプターロボットのジュース運搬ロボットとレールモーター官ポストとコンプレッサーエアー官ポスト専用の運搬台によって送る著作権説明図。
【図１１７】2003年4月23日違う水発電機説明図。
【図１１８】2003年4月23日後書き水発電機説明文章図
【図１１９】2003年5月27日北海道道庁広報広聴第3ー82号郵便物先知的所有財産受理書図。
【図１２０】2003年5月3日別の水発電機試験用説明図。
【図１２１】2003年5月5日別の水発電機の部品説明図。
【図１２２】2003年5月5日別の水発電機の部品説明図。
【図１２３】2003年5月5日別の水発電機の部品説明図。
【図１２４】2003年5月7日別の水発電機の部品説明図。
【図１２５】2003年5月27日山岳ヘリコプターの複数ギアーモーターまたはレールモーター説明図。
【図１２６】2003年6月4日,6日,9日北海道道庁広報広聴第3ー125号郵便物先知的所有財産受理書図。
【図１２７】2003年6月12日北海道道庁広報広聴第3ー138号郵便物先知的所有財産受理書図。
【図１２８】2003年6月3日スクリューホイストとレールモーターホイストスプリング押し圧ブレーキ説明図。
【図１２９】2003年6月2日モーターハンドルブレーキなどの説明図。
【図１３０】2003年6月2日ブレーキの種類を説明した文章図。
【図１３１】2003年6月8日複数カラー色ライトライン光の鏡反射複数色光確認のダイオード光り読み混みによって予め設定色文字読み込み文字テープ音声変換によって電波障害を防ぐカラー色ライトラインの説明文章図。
【図１３２】2003年6月8日複数カラー色ライトラインの音声文字デジタル電波などの変換説明図。
【図１３３】2003年6月8日複数カラー色ライトラインの利用方法説明文書図。
【図１３４】2003年12月24日東北盛岡近くの郵便局から出した手紙封書のコピー図。
【図１３５】2004年1月13日旭川中央郵便局から出した手紙封書のコピー図。
【図１３６】2004年1月10日別の自動電池の説明図
【図１３７】2004年2月1日水発電機説明文書図。
【図１３８】2004年2月1日炭素ブラックシリコンソーラーパネルの応用靴と真空装置を積載したダンプ及び土及び残土運搬車利用説明文書図。
【図１３９】2004年1月25日水発電機温度センサー内蔵電動仕切り弁の説明文章図。
【図１４０】2003年7月2日,3日北海道道庁広報広聴第3ー185号郵便物先知的所有財産受理書図。
【図１４１】2003年7月1日水中ブラック炭素シリコンソーラーパネルなど、海底地震温度情報を、一時情報を、ストックする海底情報装置予定説明図。
【図１４２】2003年7月1日テレポーテイションカメラ使用説明図。
【図１４３】2003年7月1日水発電機の部品圧電素子4電子磁気分割装置の合成部品文章説明図。
【図１４４】2003年7月7日北海道道庁広報広聴第3ー191号先知的所有財産郵便物受理書図。
【図１４５】2003年7月4日水発電機の自動電池歯車水送り用水車の文章説明図。
【図１４６】2003年7月4日水発電機の別の水発電機説明文章図。
【図１４７】2003年7月9日北海道道庁広報広聴第3ー200号先知的所有財産郵便物受理説明書図。
【図１４８】2003年10月14日機械式発電機などの発電方法文章説明図。
【図１４９】2003年7月6日水発電機の別の構造説明図。
【図１５０】2003年10月23日水発電機の別の発電機の部品構造説明文書図。
【図１５１】2003年10月23日水発電機の別の発電機の部品構造説明文書図。
【図１５２】2003年10月23日水発電機の別の発電機の部品構造説明文書図。
【図１５３】2003年10月23日水発電機の別の発電機の部品構造説明文書図。
【図１５４】2003年10月23日水発電機の別の発電機の部品構造説明文書図。
【図１５５】2003年5月30日北海道道庁広報広聴第3ー94号先知的所有財産郵便物受理説明書図。
【図１５６】2003年5月14日北海道道庁広報広聴第3ー108号先知的所有財産郵便物受理説明書図。
【図１５７】2003年5月25日北海道道庁広報広聴第3ー112号先知的所有財産郵便物受理説明書図。
【図１５８】2004年5月18日水発電機の別の水発電機文書説明図。
【図１５９】2003年7月10日北海道道庁広報広聴第3ー215号先知的所有財産郵便物受理書説明図。
【図１６０】2003年7月14日鋼鉄鉄心入りボルト後書き説明文書図。
【図１６１】2003年7月21日別の実験用の水発電機説明文書図。
【図１６２】2003年7月21日別の水発電機説明図。
【図１６３】2003年7月21日試験用の別の水発電機説明図。
【図１６４】2003年7月21日別の水発電機説明図。
【図１６５】2003年7月21日試験用別の水発電機説明図。
【図１６６】2003年7月21日試験用別の水発電機部品説明図。
【図１６７】2003年7月21日試験用別の水発電機部品説明図。
【図１６８】2003年7月21日試験用別の水発電機部品説明図。
【図１６９】2003年7月21日試験用別の水発電機部品説明図。
【図１７０】2003年7月21日試験用別の水発電機部品説明図。
【図１７１】2003年7月20日試験用別の水発電機部品説明図。
【図１７２】2003年7月20日試験用別の水発電機部品説明図。
【図１７３】2003年7月20日試験用別の水発電機部品説明図。
【図１７４】2003年7月20日試験用別の水発電機部品説明図。
【図１７５】2003年7月20日試験用別の水発電機部品説明図。
【図１７６】2003年7月20日試験用別の水発電機部品説明図。
【図１７７】2003年7月27日別の機械式発電機説明図。
【図１７８】2003年7月27日ソーラーパネル積載自動充電池文書説明図。
【図１７９】2003年7月27日自動電池及び自動充電池及び機械式発電機に使用されるワイヤーゼンマイ巻き取り装置説明図。 通常ゼンマイモーター巻き取り型からワイヤー入りゼンマイレールモーター巻き取り型にする事で、ゼンマイ切れの心配がなくなり、超小型レールモーター使用のワイヤゼンマイレールモーター全自動巻き取り技術採用によって、更に2連振り子機械式発電機使用の水発電機発電力は、おそらく燃料電池発電総合電気量及び瞬間発電量は、この時点では、無害無給油発電システム上の発電量は、世界トップクラスになっていたのも事実で有る。
【図１８０】2003年8月7日北海道道庁広報広聴第3ー257号先知的所有財産郵便物受理書図。
【図１８１】2003年8月19日北海道道庁広報広聴第3ー283号先知的所有財産郵便物受理書図。
【図１８２】2003年8月26日北海道道庁広報広聴第3ー301号先知的所有財産郵便物受理書図。
【図１８３】2003年8月26日北海道道庁広報広聴第3ー301号先知的所有財産郵便物受理書図。
【図１８４】2003年9月17日北海道道庁広報広聴第3ー353号先知的所有財産郵便物受理書図。
【図１８５】2003年9月11日山岳ヘリコプター水発電機装置の電波中継装置の海上及び海底情報の連絡方法説明文書図。
【図１８６】2003年9月13日水発電機説明文書図。
【図１８７】2003年9月21日宇宙での水発電機説明図。
【図１８８】2003年9月21日宇宙ロボット集合発電システム文書説明図。
【図１８９】2003年10月30日,31日北海道道庁広報広聴第3ー463号先知的所有財産郵便物受理書図。
【図１９０】2003年10月24日別の水発電機文書説明図。
【図１９１】2003年10月26日別の水発電機文書説明図
【図１９２】2003年11月4日北海道道庁広報広聴第3ー480号先知的所有財産郵便物受理書図。
【図１９３】2003年10月29日別の水発電機文書説明図。
【図１９４】2003年10月29日別の水発電機文書説明図。
【図１９５】2003年11月5日北海道道庁広報広聴第3ー484号先知的所有財産郵便物受理書図。
【図１９６】2003年11月2日(日)別の水発電機装置文書説明図。
【図１９７】2003年11月2日(日)別の水発電機装置文章説明図。
【図１９８】2003年11月2日(日)別の水発電機装置文章説明図。
【図１９９】2003年11月2日(日)別の水発電機装置文章説明図。
【図２００】2003年11月11日,13日,19日北海道道庁広報広聴第3ー506号先知的所有財産郵便物受理書図。
【図２０１】2003年11月6日別の水発電機装置文章説明図。
【図２０２】2003年11月6日別の水発電機装置文章説明図。
【図２０３】2003年11月6日地震予知及びデーター作り地震予知データー作り考案図。
【図２０４】2003年11月14日エアーカーテン説明文書図。 2008年7月12日PM19時5分12秒美馬牛市街地夕方残す図の説明100図近くの説明を残すだけとなるビバ スーパー
【図２０５】2003年11月10日別の水発電機装置文章説明図。
【図２０６】2003年11月14日風速計及び太陽光日照時間の光度電気量測定に対しての注意事項の有り方説明文章図。
【図２０７】2003年11月14日雷画像測定など、道路状況の改善項目などの説明文章図。
【図２０８】2003年11月16日道路踏み切りなどのテレポーテイションカメラ装置説明文書図。
【図２０９】2003年11月16日テレポーテイションカメラシステムの説明文書図。
【図２１０】2003年11月16日テレポーテイションカメラシステムの説明文章図。
【図２１１】2003年11月25日北海道道庁広報広聴第3ー514号先知的所有財産郵便物受理書図。
【図２１２】2003年11月19日異なる別の水発電機の部品説明文書図。
【図２１３】2003年11月19日異なる別の水発電機の部品説明文章図。
【図２１４】2003年11月20日異なる別の水発電機の部品説明文章図。
【図２１５】2003年12月1日異なる別の水発電機の部品説明文章図。
【図２１６】2003年11月29日水発電機説明文章図。
【図２１７】2003年12月18日北海道道庁広報広聴第3ー6O4号先知的所有財産郵便物受理書図。
【図２１８】2003年12月13日全自動多機能電気トラクターに使用したのはカラー色ライトライン装置を使用していたが、カラー色ライトライン電波センサーは別のカラー色ライトライン説明になる。
【図２１９】2003年12月22日,24日北海道道庁広報広聴第3ー514号先知的所有財産郵便物受理書図。
【図２２０】2003年12月18日列車アンテナなどのアンテナの有り方説明文章図。
【図２２１】2003年12月18日スピーカーの説明文章図。
【図２２２】2003年12月17日集音マイクとレールモーター説明文章図。
【図２２３】2003年12月16日カラーライトの有り方の説明文章図。
【図２２４】2003年12月16日電子冷却装置の説明文章図。
【図２２５】2003年12月14日圧電素子4電子磁気分割装置の説明に対して圧電素子磁石体の圧電素子磁石体の中間電子の表記に対して実際にリサイクル電気にする場合は、圧電素子磁石中間電子を二つに分けるのが実際は、正解で有る。つまり、圧電素子中間陽電子電気と圧電素子中間電子陰電子電気の表記が正解になる。
【図２２６】2003年12月21日衛生GPSに使用する表裏両面のCDツース及びMDツースの利用説明図。
【図２２７】2003年12月21日GPSアンテナと二つ折液晶の利用方法説明図。
【図２２８】2003年12月21日水発電機説明などの文章図
【図２２９】2003年12月20日テレポーテイションカメラ文章説明図。
【図２３０】2003年12月3日全自動多機能トラクターのカメラテレポーテイションのダイオードカメラ確認認識作動が出来易い工夫の文章説明図。2008年7月12日PM21時15分頃一様の補助位置確認装置で有る。美馬牛カンキチ
【図２３１】2003年12月19日全自動多機能電気トラクターなどが、カメラテレポーテイション確認と衛生GPS確認と道路沿いに取り付けられて入るスピーカーのメロディー音で、全自動多機能電気トラクターの集音マイクのメロディー音で、位置を確認の補助位置チェック位置確認が出来るのだが、線路踏み切りの同じ変哲もない音を変えたい為の追加知的所有財産の文章説明図。
【図２３２】2003年12月19日ここで、紹介される超小型コンプレッサーサイズは、手のひらに乗る大きさで有る文章説明図。
【図２３３】2003年12月19日衛生GPSに使用される表裏両面MDとCDの紹介文章説明図。
【図２３４】2004年5月31日北海道道庁広報広聴第3ー121号先知的所有財産郵便物受理書図。
【図２３５】2004年6月8日,9日北海道庁広報広聴第3ー138号先知的所有財産郵便物受理書図。
【図２３６】2004年5月31日,6月16日北海道道庁広報広聴第3ー149号先知的所有財産郵便物受理書図で有り、2000年当事に木白子のペンネームで出した知的所有財産文章の枚数は、110枚以上存在し2000年前の1999年頃北海道知事に出した手紙ペンネーム木白子の名前の先知的所有財産文章として存在しているのも事実で有り、1999年春5月のテレビ放送を使っての国会議員発言に於いて現在の子供達が、過去の国と地方の借金全額返済に対して子供達が、払う事にするの発言を受けて知的所有財産として書いて有った先知的所有財産文章も存在する。説明文章図。
【図２３７】2004年7月12日北海道道庁広報広聴第3ー206号先知的所有財産郵便物受理書図。
【図２３８】2004年9月21日北海道道庁広報広聴第3ー206号先知的所有財産郵便物受理書図で有り、圧縮水素水陽電子陰電子スパーク発電機を最初に書いた頃は此の頃で有る説明文書図。
【図２３９】2003年2月9日別の水発電機説明文章図。
【図２４０】2003年2月9日別の水発電機説明文章図。
【図２４１】2003年2月9日別の水発電機説明文章図。
【図２４２】2003年2月9日別の水発電機説明文章図。
【図２４３】2004年8月27日高速電波の説明文章図。
【図２４４】2004年9月5日2000年1月頃に書いて有った排気ガス処理装置の文章図。
【図２４５】2004年8月22日自動車及びトラクター及び動く機械すべての新しい磁波計測装置と圧電素子4電子磁気分割装置を付けたガス充電池文章説明図。
【図２４６】2004年2月10日北海道道庁広報広聴第3ー728号先知的所有財産郵便物受理書図。
【図２４７】2004年2月6日別の水発電機つまり水沸騰型レールモーター制御発電機文章説明図。
【図２４８】2004年2月3日別の水発電機つまり水沸騰型レールモーター制御発電機文章説明図。
【図２４９】2004年2月2日別の水発電機つまり水沸騰型レールモーター制御発電機文章説明図。
【図２５０】2OO4年2月2日別の水発電機つまり水沸騰型レールモーター制御発電機文章説明図。
【図２５１】2004年2月2日別の水発電機つまり水沸騰型レールモーター制御発電機文章説明図。
【図２５２】2004年2月19日外れ防止ボルトナット説明図と鋼鉄芯入りボルトナットの後書き説明図。
【図２５３】2004年3月17日北海道道庁広報広聴第3ー811号先知的所有財産郵便物受理書図。
【図２５４】2004年3月9日別の水発電機文章説明図。
【図２５５】2004年3月9日別の水発電機文章説明図。
【図２５６】2004年3月9日別の水発電機文章説明図。
【図２５７】2004年2月23日別の水発電機文章説明図。
【図２５８】2004年2月23日別の水発電機文章説明図。
【図２５９】2004年3月6日金属スコープカメラ複数望遠カメラ等の説明文章図。
【図２６０】2004年3月6日複数コイルモーター圧電素子4電子磁気分割装置の使用説明文章図。
【図２６１】2004年3月31日北海道道庁広報広聴第3ー830号先知的所有財産郵便物受理書図。
【図２６２】2004年3月15日モーターダイナモブレーキ文章説明図。
【図２６３】2004年3月26日水位センサーの説明及びスクリューダイナモ文章図2008年7月13日昼PM12時52分11秒昼食を終え再び書き始める美馬牛カンキチ。
【図２６４】2004年3月26日水発電機構造文章説明図
【図２６５】2004年4月8日,13日,16日,20日,22日北海道道庁広報広聴第3ー33号先知的所有財産郵便物受理書図。
【図２６６】2004年4月16日水発電機構造文章説明図。
【図２６７】2004年4月6日水発電機構造ボルトアンテナ文章説明図。
【図２６８】2004年5月10日,11日,19日北海道道庁先知的所有財産郵便物受理書図。
【図２６９】2004年4月20日水発電機の固形水素液体マグネシウムで発電後水中ポンプから真空装置室へ水つまり発電残水を移動する間に圧電素子4電子磁気分割装置を使用した圧縮水素水陽電子陰電子スパーク発電を水発電機の官の中で行ってから真空装置室へ水を送るトリプル発電方法によって、小型発電機最高発電力を目指すこの頃の発電方法は、原子力廃棄物の処理と処理費に困り果てて少しでも、原子力発電方法に近付けたいからが本音だった文章説明図。
【図２７０】2004年5月1日水発電機売電に使用される水発電機の大きさはトレーラー荷台に積む事が出来る大きさまでの水発電機売電計画は、2001年既に考えて有ったのを後書きした文章説明図。
【図２７１】2004年4月22日自動電池と自動充電池文章説明図。
【図２７３】2004年4月22日自動電池と自動充電池文章説明図。
【図２７４】2004年5月3日別の水発電機に使用される部品構造説明図。
【図２７５】2005年4月11日北海道道庁広報広聴第3ー26号先知的所有財産郵便物受理書図。
【図２７６】2005年1月17日北海道道庁広報広聴第3ー26号先知的所有財産圧縮水素水陽電子陰電子スパーク発電機等の郵便物受理書図。
【図２７７】2004年5月31日,6月16日北海道道庁広報広聴第3ー149号先知的所有財産110枚以上有る中から3枚だけ手書き文書図などの公開文書図。
【図２７８】2000年秋頃のはず北海道庁だけ日付が解るはずです。ちなみに障害者用の携帯電話説明文章図。
【図２７９】2000年秋頃のはずです。木白子の名前で、北海道知事に北海道の借金返済に対して考えてもらいたくてペンネームで墫野和夫が、十代後半に考えて有った手振り式のダイナモ腕時計発電池の先考案で有っても当時特許と言う考えもなく時間が過ぎ、1999年当時のIDO電話会社の返信用葉書に携帯電話用の手振り発電機を書いて1999年当時のバブル崩壊を止めに入ったが連絡が、丸っきりなく更に北海道知事に、連絡しても回答がなく今現在の水発電機拒絶理由の特許庁判断だけだった文章説明図。
【図２８０】2000年秋頃北海道知事に出した陳情書と一緒に出した知的財産文章で有り、中学の頃から電子レンジが家庭に有った為、電気を電子に変えれれる事は既に学習済みで有り、更に電気を電子に変えた電子を集めて束にすると高出力電気になる事は、既に学習済みの一般庶民電気学で有り、後の2002年の圧電素子4電子磁気分割技術が、出来る事で、紙切れの文字に命が与えられる説明つまり、電気抵抗の取り除いた電気を電気回路チップ配線束にして、高出力電気としたのが、現在でも有る文書説明図。
【図２８１】2005年4月11日文部科学省の著作権証明書の見本で有り、経済産業省にて先知的所有財産の日本国内公開を考えていた頃の北海道道庁知事宛て提出の先知的所有財産説明文章図。
【図２８２】2003年1月13日北海道道庁広報広聴第3ー654号先知的所有財産郵便物受理書図。
【図２８３】2003年8月26日北海道道庁広報広聴第3ー300号先知的所有財産郵便物受理書図。
【図２８４】2003年8月22日エンジン補助モーター駆動装置機関は墫野和夫が、1964年〜1966年頃、ダブルモーターつまりエンジンの両側にモーターを付けてエンジンの駆動を補助する事によって燃料の消費を抑えるエンジンは、既にこの時から判っていた技術で有った。レールモーターが本田技研自動車工業の先発明である事が、今でも理解出来ない。確かにレールモーターは、DCブラシレスモーターの名前で日本の特許認定になっている。この事に対して先にレールモーターが、有った事を特許庁に説明しても、特許庁からの回答がないのが現状で有る文章説明図。
【図２８５】2003年9月21日水発電機を宇宙でもし使う事が有ればの文章説明図。
【図２８６】2003年9月24日北海道道庁広報広聴第3ー363号(1)〜(4)号先知的所有財産郵便物受理書図。
【図２８７】2003年夏頃に日の丸警備保障に行く前にこの頃の変わらぬ考えを文書化した説明文章図。
【図２８８】2003年夏頃に日の丸警備保障に行く前にこの頃の変わらぬ日本の国の全額借金返済と都道府県市町村の全額借金返済に対して借金返済方法の有り方としての考え方を文章化した説明文章図。
【図２８９】2003年10月21日,23日,24日,27日,28日北海道道庁広報広聴第3ー446号〜453号先知的所有財産郵便物受理説明書図。
【図２９０】2003年10月17日ワイヤーゼンマイ装置の説明で有り、ゼンマイの中心部にワイヤーを内蔵させたゼンマイ切れ防止のワイヤーゼンマイ装置で有り、おそらくこのワイヤーゼンマイ装置部品自体の使用は、墫野和夫の自動電池及び、自動充電池及び機械式発電機及び2連振り子自動充電池及び2連振り子機械式発電機使用の墫野和夫だけが、使用する部品で有り、今後の日本の国の全額借金返済と都道府県市町村の借金全額返済に対しての大事な部品説明文章図。
【図２９１】2002年10月30日当時の1DO電話現在のKDDIの現在のau電話会社に自動電池のお断りの手紙を真岡市郵便局から出す前にコピーを取っておいて有ったコピー説明図。
【図２９２】平成15年1月6日岩手県胡四王簡易郵便局から墫野和夫の先知的所有財産の確認の為に東京都日本消費者連合殿へ送ったゆうパック領収書
【図２９３】平成15年1月6日岩手県胡四王簡易郵便局から墫野和夫の先知的所有財産の確認の為に東京都NHKふれあいセンーター殿へ送ったゆうパック領収書
【図２９４】平成15年1月6日岩手県胡四王簡易郵便局から墫野和夫の先知的所有財産の確認の為にアムネステイインターナショナル支部殿へ先知的所有財産を送ったゆうパック領収書
【図２９５】平成15年1月6日岩手県胡四王簡易郵便局から墫野和夫の先知的所有財産の確認の為に東京都日本共産党委員会志位和夫殿へ先知的所有財産を送ったゆうパック領収書
【図２９６】平成15年3月20数日岩手県胡四王簡易郵便局から墫野和夫の先知的所有財産の確認の為に東京都社民党本部土井高子殿へ先知的所有財産を送ったゆうパック領収書
【図２９７】平成16年1月4日旭川市中央郵便局から墫野和夫の先知的所有財産の確認の為に東京都民主党本部民主党党首殿へ先知的所有財産を送ったゆうパック領収書